(57)【特許請求の範囲】
【請求項１】
フェムトプロキシシステムを用いて、前記フェムトプロキシシステムの近傍にあり、マクロセルを介してマクロネットワークに通信可能に結合されたアクセス端末を検出することであって、前記フェムトプロキシシステムが、フェムトコンバージェンスシステムを介して前記マクロネットワークに通信可能に結合されたフェムトセルと帯域外（ＯＯＢ）フェムトプロキシとを備える、検出することと、
前記アクセス端末とのＯＯＢ通信リンクを前記ＯＯＢフェムトプロキシが確立することと、
前記ＯＯＢフェムトプロキシを介して前記フェムトセルから前記アクセス端末にサービス広告を通信することと、
前記サービス広告に応答して、前記マクロネットワーク上の前記アクセス端末を識別するセル識別子を前記アクセス端末から前記ＯＯＢフェムトプロキシが受信することと、
前記フェムトセルへの前記アクセス端末の近接を示し、少なくとも前記セル識別子を含むＯＯＢ存在指示を、前記フェムトセルから前記フェムトコンバージェンスシステムに通信することによって、前記マクロセルから前記フェムトセルへのハンドインのために前記アクセス端末を登録することと
を備える、マクロセルフェムトセル間ハンドインのための方法。
【請求項２】
前記フェムトプロキシシステムの近傍にある前記アクセス端末を検出することが、
前記ＯＯＢ通信リンクを介して前記ＯＯＢフェムトプロキシを使用して前記アクセス端末をページングすることと、
前記ＯＯＢ通信リンクを介して前記ＯＯＢフェムトプロキシを使用して前記アクセス端末からの前記ページングへの応答を検出することと
を備える、請求項１に記載の方法。
【請求項３】
前記フェムトプロキシシステムの近傍にある前記アクセス端末を検出することが、
前記ＯＯＢ通信リンクを介して前記ＯＯＢフェムトプロキシを使用して前記アクセス端末からネットワークアドレスについての要求を受信することであって、前記要求が前記アクセス端末のＯＯＢ識別子を備え、サブネットの一部として配設された前記ＯＯＢフェムトプロキシが前記フェムトセルを備える、受信することと、
前記ネットワークアドレスについての前記要求を前記フェムトセルに通信することと
を備える、請求項１に記載の方法。
【請求項４】
前記ネットワークアドレスについての前記要求が動的ホスト構成プロトコル（ＤＨＣＰ）要求であり、
前記アクセス端末の前記ＯＯＢ識別子がＭＡＣアドレスであり、
前記ネットワークアドレスについての前記要求を前記フェムトセルに通信することは、前記要求が少なくとも前記フェムトセルによって受信されるように、前記ＤＨＣＰ要求を前記サブネットにブロードキャストすることを備える、請求項３に記載の方法。
【請求項５】
前記フェムトプロキシシステムを用いて、前記アクセス端末が前記フェムトセルを介して前記マクロネットワークにアクセスすることを許可されるかどうかを判断することをさらに備え、
前記マクロセルからのハンドインのために前記アクセス端末を前記登録することは、前記アクセス端末が前記フェムトセルを介して前記マクロネットワークにアクセスすることを許可されるときのみ実行される、請求項１に記載の方法。
【請求項６】
前記フェムトセルを介して前記マクロネットワークにアクセスすることを許可されるアクセス端末に対応するセル識別子のリストを備えるアクセス制御リストを前記フェムトプロキシシステムにおいて維持することをさらに備え、
前記アクセス端末が前記フェムトセルを介して前記マクロネットワークにアクセスすることを許可されるかどうかを判断することは、前記アクセス制御リストに従って、前記アクセス端末が前記フェムトセルを介して前記マクロネットワークにアクセスすることを許可されるかどうかを判断することを備える、請求項５に記載の方法。
【請求項７】
前記フェムトセルにおいて、前記フェムトコンバージェンスシステムから前記アクセス端末についてのハンドオフ要求を受信することをさらに備え、前記ハンドオフ要求が、
前記マクロネットワークとのアクティブ通信を前記マクロセルから前記フェムトセルにハンドオフするように前記アクセス端末に指示するように構成され、
前記マクロセルを介して前記アクセス端末から受信された測定メッセージに従って前記マクロネットワークによって生成され、
前記アクセス端末の前記登録に従って前記フェムトコンバージェンスシステムを介して前記マクロネットワークから前記フェムトセルに通信される、請求項１に記載の方法。
【請求項８】
前記ハンドオフ要求が、前記マクロセルから前記フェムトセルへのハンドインのために前記アクセス端末を登録した後に受信される、請求項７に記載の方法。
【請求項９】
前記フェムトセルにおいて、前記フェムトコンバージェンスシステムから前記アクセス端末についてのハンドオフ要求を受信することをさらに備え
前記ハンドオフ要求が、前記マクロセルから前記フェムトセルへのハンドインのために前記アクセス端末を登録するより前に受信され、
前記アクセス端末を検出することが、前記ハンドオフ要求を受信したことに応答して前記アクセス端末を検出することを備える、請求項１に記載の方法。
【請求項１０】
前記ハンドオフ要求を受信したことに応答して前記アクセス端末を検出することが、
前記アクセス端末に関連するＯＯＢ識別子に従って前記ＯＯＢ通信リンクを介して前記アクセス端末を検出するように前記ＯＯＢフェムトプロキシに指示すること
を備える、請求項９に記載の方法。
【請求項１１】
前記ハンドオフ要求を受信したことに応答して前記アクセス端末を検出することが、
前記アクセス端末の固定パブリック識別子に従って前記アクセス端末を検出するために逆方向リンク感知を使用すること
をさらに備える、請求項１０に記載の方法。
【請求項１２】
前記アクセス端末の前記固定パブリック識別子が前記アクセス端末のパブリックロングコードマスクである、請求項１１に記載の方法。
【請求項１３】
前記アクセス端末と、前記フェムトプロキシシステムの前記ＯＯＢフェムトプロキシとの間の前記ＯＯＢ通信リンクの損失を検出することと、
前記ＯＯＢ通信リンクの前記損失を検出したことに従って前記アクセス端末を登録解除することと
をさらに備える、請求項１に記載の方法。
【請求項１４】
前記ＯＯＢ存在指示が、登録時間に対応するタイムスタンプを備える、請求項１に記載の方法。
【請求項１５】
前記フェムトプロキシシステムを用いて、前記フェムトプロキシシステムの近傍にある前記アクセス端末を検出することが、前記ＯＯＢ通信リンクを介して前記フェムトプロキシシステムの前記ＯＯＢフェムトプロキシを使用して前記アクセス端末のＯＯＢサブシステムを検出することを備える、請求項１に記載の方法。
【請求項１６】
前記ＯＯＢ通信リンクがＢｌｕｅｔｏｏｔｈリンクであり、前記ＯＯＢ識別子がＢｌｕｅｔｏｏｔｈデバイスアドレスである、請求項１５に記載の方法。
【請求項１７】
前記ＯＯＢ通信リンクがＷｉＦｉリンクであり、前記ＯＯＢ識別子がＷｉＦｉ  ＭＡＣアドレスである、請求項１５に記載の方法。
【請求項１８】
前記フェムトセルが、前記マクロネットワーク上の複数のフェムトセルのうちの１つであり、前記複数のフェムトセルの各々が、前記フェムトセルがそれに従って前記マクロネットワークによって非一意にアドレス指定可能である第１のフェムトセル識別子と、前記フェムトセルがそれに従って前記フェムトコンバージェンスシステムによって一意にアドレス指定可能である第２のフェムトセル識別子とを有する、請求項１に記載の方法。
【請求項１９】
前記第１のフェムトセル識別子が前記フェムトセルのＰＮオフセットである、請求項１８に記載の方法。
【請求項２０】
前記アクセス端末の前記セル識別子が、前記アクセス端末に関連する国際モバイル加入者識別情報（ＩＭＳＩ）である、請求項１に記載の方法。
【請求項２１】
前記フェムトセルが、フェムトレンジにわたって前記アクセス端末に通信可能に結合するように構成され、
前記ＯＯＢフェムトプロキシが、ＯＯＢレンジにわたって前記アクセス端末に通信可能に結合するように構成され、
前記ＯＯＢレンジが前記フェムトレンジを上回る、請求項１に記載の方法。
【請求項２２】
フェムトコンバージェンスシステムを介してマクロネットワークに通信可能に結合され、アクセス端末にマクロネットワークアクセスを与えるように構成されたフェムトセルと、
前記フェムトセルに通信可能に結合され、ＯＯＢ通信リンクを介して前記アクセス端末と通信するように構成された帯域外（ＯＯＢ）フェムトプロキシと、
前記フェムトセルと前記ＯＯＢフェムトプロキシとに通信可能に結合された通信管理サブシステムであって、
前記通信管理サブシステムの近傍にあり、マクロセルを介して前記マクロネットワークに通信可能に結合された近接アクセス端末を検出することと、
前記近接アクセス端末とのＯＯＢ通信リンクを前記ＯＯＢフェムトプロキシが確立することと、
前記ＯＯＢフェムトプロキシを介して前記フェムトセルから前記近接アクセス端末にサービス広告を通信することと、
前記サービス広告に応答して、前記マクロネットワーク上の前記近接アクセス端末を識別するセル識別子を前記近接アクセス端末から前記ＯＯＢフェムトプロキシが受信することと、
前記フェムトセルへの前記近接アクセス端末の近接を示し、少なくとも前記セル識別子を含むＯＯＢ存在指示を、前記フェムトセルから前記フェムトコンバージェンスシステムに通信することによって、前記マクロセルから前記フェムトセルへのハンドインのために前記近接アクセス端末を登録することと
を行うように構成された通信管理サブシステムと
を備えるフェムトプロキシシステム。
【請求項２３】
前記通信管理サブシステムが、
前記フェムトセルにおいて、前記フェムトコンバージェンスシステムから前記近接アクセス端末についてのハンドオフ要求を受信するようにさらに構成され、前記ハンドオフ要求が、
前記マクロネットワークとのアクティブ通信を前記マクロセルから前記フェムトセルにハンドオフするように前記近接アクセス端末に指示するように構成され、
前記マクロセルを介して前記近接アクセス端末から受信された測定メッセージに従って前記マクロネットワークによって生成され、
前記近接アクセス端末の前記登録に従って前記フェムトコンバージェンスシステムを介して前記マクロネットワークから前記フェムトセルに通信される、請求項２２に記載のフェムトプロキシシステム。
【請求項２４】
前記ハンドオフ要求が、前記マクロセルから前記フェムトセルへのハンドインのために前記近接アクセス端末を登録した後に受信される、請求項２３に記載のフェムトプロキシシステム。
【請求項２５】
前記通信管理サブシステムは、前記フェムトセルにおいて、前記フェムトコンバージェンスシステムから前記近接アクセス端末についてのハンドオフ要求を受信するようにさらに構成され、
前記ハンドオフ要求が、前記マクロセルから前記フェムトセルへのハンドインのために前記近接アクセス端末を登録するより前に受信され、
前記通信管理サブシステムが、前記ハンドオフ要求を受信したことに応答して前記近接アクセス端末を検出するように構成された、請求項２２に記載のフェムトプロキシシステム。
【請求項２６】
前記通信管理サブシステムが、
前記近接アクセス端末と前記ＯＯＢフェムトプロキシとの間の前記ＯＯＢ通信リンクの損失を検出することと、
前記ＯＯＢ通信リンクの前記損失を検出したことに従って前記近接アクセス端末を登録解除することと
を行うようにさらに構成された、請求項２２に記載のフェムトプロキシシステム。
【請求項２７】
前記通信管理サブシステムが、
前記ＯＯＢ通信リンクを介して前記ＯＯＢフェムトプロキシを使用して前記近接アクセス端末をページングすることと、
前記ＯＯＢ通信リンクを介して前記ＯＯＢフェムトプロキシを使用して前記アクセス端末からの前記ページングへの応答を検出することと
を行うことによって前記近接アクセス端末を検出するように構成された、請求項２２に記載のフェムトプロキシシステム。
【請求項２８】
前記通信管理サブシステムが、
前記ＯＯＢ通信リンクを介して前記ＯＯＢフェムトプロキシを使用して前記近接アクセス端末からネットワークアドレスについての要求を受信することであって、サブネットの一部として配設された前記ＯＯＢフェムトプロキシが前記フェムトセルを備える、受信することと、
前記ネットワークアドレスについての前記要求を前記フェムトセルに通信することと
を行うことによって前記近接アクセス端末を検出するように構成された、請求項２２に記載のフェムトプロキシシステム。
【請求項２９】
フェムトコンバージェンスシステムを介してマクロネットワークに通信可能に結合されたフェムトセルと、ＯＯＢ通信リンクを介して通信するように構成された帯域外（ＯＯＢ）フェムトプロキシとを備えるフェムトプロキシシステムにおけるマクロセルフェムトセル間ハンドインのためのプロセッサであって、
通信管理コントローラの近傍にあり、マクロセルを介して前記マクロネットワークに通信可能に結合された近接アクセス端末を検出することと、
前記近接アクセス端末とのＯＯＢ通信リンクを前記ＯＯＢフェムトプロキシが確立することと、
前記ＯＯＢフェムトプロキシを介して前記フェムトセルから前記近接アクセス端末にサービス広告を通信することと、
前記サービス広告に応答して、前記マクロネットワーク上の前記近接アクセス端末を識別するセル識別子を前記近接アクセス端末から前記ＯＯＢフェムトプロキシが受信することと
前記フェムトセルへの前記近接アクセス端末の近接を示し、少なくとも前記セル識別子を含むＯＯＢ存在指示を、前記フェムトセルから前記フェムトコンバージェンスシステムに通信することによって、前記マクロセルから前記フェムトセルへのハンドインのために前記近接アクセス端末を登録することと
を行うように構成された通信管理コントローラ
を備える、プロセッサ。
【請求項３０】
前記通信管理コントローラが、
前記フェムトセルにおいて、前記フェムトコンバージェンスシステムから前記近接アクセス端末についてのハンドオフ要求を受信するようにさらに構成され、前記ハンドオフ要求が、
前記マクロネットワークとのアクティブ通信を前記マクロセルから前記フェムトセルにハンドオフするように前記近接アクセス端末に指示するように構成され、
前記マクロセルを介して前記近接アクセス端末から受信された測定メッセージに従って前記マクロネットワークによって生成され、
前記近接アクセス端末の前記登録に従って前記フェムトコンバージェンスシステムを介して前記マクロネットワークから前記フェムトセルに通信される、請求項２９に記載のプロセッサ。
【請求項３１】
前記通信管理コントローラが、
前記近接アクセス端末と前記ＯＯＢフェムトプロキシとの間の前記ＯＯＢ通信リンクの損失を検出することと、
前記ＯＯＢ通信リンクの前記損失を検出したことに従って前記近接アクセス端末を登録解除することと
を行うようにさらに構成された、請求項３０に記載のプロセッサ。
【請求項３２】
プロセッサ可読媒体上に常駐するコンピュータプログラムであって、実行されると、プロセッサに、
フェムトプロキシシステムの近傍にあり、マクロセルを介してマクロネットワークに通信可能に結合されたアクセス端末を、前記フェムトプロキシシステムで検出することであって、前記フェムトプロキシシステムが、フェムトコンバージェンスシステムを介して前記マクロネットワークに通信可能に結合されたフェムトセルと帯域外（ＯＯＢ）フェムトプロキシとを備える、検出することと、
前記アクセス端末とのＯＯＢ通信リンクを前記ＯＯＢフェムトプロキシが確立することと、
前記ＯＯＢフェムトプロキシを介して前記フェムトセルから前記アクセス端末にサービス広告を通信することと、
前記サービス広告に応答して、前記マクロネットワーク上の前記アクセス端末を識別するセル識別子を前記アクセス端末から前記ＯＯＢフェムトプロキシが受信することと、
前記フェムトセルへの前記アクセス端末の近接を示し、少なくとも前記セル識別子を含むＯＯＢ存在指示を、前記フェムトセルから前記フェムトコンバージェンスシステムに通信することによって、前記マクロセルから前記フェムトセルへのハンドインのために前記アクセス端末を登録するように前記フェムトセルに指示することと
を備えるステップを実行させるプロセッサ可読命令
を備えるコンピュータプログラム。
【請求項３３】
前記プロセッサ可読命令が、実行されると、プロセッサに、
前記フェムトセルを介して前記フェムトコンバージェンスシステムから前記アクセス端末についてのハンドオフ要求を受信することをさらに備えるステップを実行させ、前記ハンドオフ要求が、
前記マクロネットワークとのアクティブ通信を前記マクロセルから前記フェムトセルにハンドオフするように前記アクセス端末に指示するように構成され、
前記マクロセルを介して前記アクセス端末から受信された測定メッセージに従って前記マクロネットワークによって生成され、
前記アクセス端末の前記登録に従って前記フェムトコンバージェンスシステムを介して前記マクロネットワークから前記フェムトセルに通信される、請求項３２に記載のコンピュータプログラム。
【請求項３４】
前記プロセッサ可読命令が、実行されると、プロセッサに、
前記アクセス端末と、前記フェムトプロキシシステムの前記ＯＯＢフェムトプロキシとの間の前記ＯＯＢ通信リンクの損失を検出することと、
前記ＯＯＢ通信リンクの前記損失を検出したことに従って前記アクセス端末を登録解除するように前記フェムトセルに指示することと
をさらに備えるステップを実行させる、請求項３２に記載のコンピュータプログラム。
【請求項３５】
フェムトプロキシシステムの近傍にあり、マクロセルを介してマクロネットワークに通信可能に結合されたアクセス端末を検出するための手段であって、前記フェムトプロキシシステムが、フェムトコンバージェンスシステムを介して前記マクロネットワークに通信可能に結合されたフェムトセルと帯域外（ＯＯＢ）フェムトプロキシとを備える、検出するための手段と、
前記アクセス端末とのＯＯＢ通信リンクを前記ＯＯＢフェムトプロキシが確立するための手段と、
前記ＯＯＢフェムトプロキシを介して前記フェムトセルから前記アクセス端末にサービス広告を通信するための手段と、
前記サービス広告に応答して、前記マクロネットワーク上の前記アクセス端末を識別するセル識別子を前記アクセス端末から前記ＯＯＢフェムトプロキシが受信するための手段と、
前記フェムトセルへの前記アクセス端末の近接を示し、少なくとも前記セル識別子を含むＯＯＢ存在指示を、前記フェムトセルから前記フェムトコンバージェンスシステムに通信することによって、前記マクロセルから前記フェムトセルへのハンドインのために前記アクセス端末を登録するように前記フェムトセルに指示するための手段と
を備えるマクロセルフェムトセル間ハンドインのためのシステム。
【請求項３６】
前記フェムトセルを介して前記フェムトコンバージェンスシステムから前記アクセス端末についてのハンドオフ要求を受信するための手段をさらに備え、前記ハンドオフ要求が、
前記マクロネットワークとのアクティブ通信を前記マクロセルから前記フェムトセルにハンドオフするように前記アクセス端末に指示するように構成され、
前記マクロセルを介して前記アクセス端末から受信された測定メッセージに従って前記マクロネットワークによって生成され、
前記アクセス端末の前記登録に従って前記フェムトコンバージェンスシステムを介して前記マクロネットワークから前記フェムトセルに通信される、請求項３５に記載のシステム。
【請求項３７】
前記アクセス端末と、前記フェムトプロキシシステムの前記ＯＯＢフェムトプロキシとの間の前記ＯＯＢ通信リンクの損失を検出するための手段と、
前記ＯＯＢ通信リンクの前記損失を検出したことに従って前記アクセス端末を登録解除するように前記フェムトセルに指示するための手段と
をさらに備える、請求項３５に記載のシステム。
【発明の詳細な説明】
【技術分野】
【０００１】
関連出願の相互参照
本出願は、すべての目的のために、本明細書において全体が記載されるかのように、参照により本明細書に組み込まれる、２０１０年４月２３日に出願された「METHOD FOR UNIQUELY IDENTIFYING TARGET FEMOCELL TO FACILITATE FAP ASSISTED ACTIVE HAND-IN」と題する同時係属米国仮出願第６１／３２７，４４５号の優先権を主張する。
【背景技術】
【０００２】
様々な形態のネットワークによって行われる情報通信は、今日、世界中で広く使用されている。たとえば、ボイスおよび／またはデータを搬送するために、ワイヤレスおよびワイヤラインリンクを使用して通信している複数のノードを有するネットワークが使用される。そのようなネットワークのノードは、コンピュータ、携帯情報端末（ＰＤＡ）、電話、サーバ、ルータ、スイッチ、マルチプレクサ、モデム、無線、アクセスポイント、基地局などであり得る。セルラーフォン、ＰＤＡ、ラップトップコンピュータなど、（ユーザ機器（ＵＥ）またはアクセス端末（ＡＴ）とも呼ばれる）多くのクライアントデバイスノードはモバイルであり、したがって、いくつかの異なるインターフェースを通してネットワークと接続し得る。
【０００３】
モバイルクライアントデバイスは、（本明細書ではまとめてアクセスポイントと呼ぶ）基地局、アクセスポイント、ワイヤレスルータなどを介してネットワークとワイヤレスに接続し得る。モバイルクライアントデバイスは、比較的長い時間期間の間そのようなアクセスポイントのサービスエリア内に残り得る（アクセスポイントに「キャンプオン」されていると呼ばれる）か、またはアクセスポイントサービスエリアを通って比較的迅速に進み得、アクセスポイントとの関連付けが変更されたとき、通信セッションを維持するためまたはアイドルモード動作のために、セルラーハンドオフ技法または再選択技法が使用される。
【０００４】
利用可能なスペクトル、帯域幅、容量などに関する問題により、特定のクライアントデバイスとアクセスポイントとの間のネットワークインターフェースが利用不可能または不適切になり得る。その上、シャドーイング、マルチパスフェージング、干渉など、ワイヤレス信号伝搬に関する問題により、特定のクライアントデバイスとアクセスポイントとの間のネットワークインターフェースが利用不可能または不適切になり得る。
【０００５】
セルラーネットワークは、サービスエリア内で所望の帯域幅と容量とワイヤレス通信カバレージとを与えるために、マクロセル、マイクロセル、ピコセル、およびフェムトセルなど、様々なセルタイプの使用を採用した。たとえば、フェムトセルの使用は、しばしば、ネットワークカバレージが不十分なエリア（たとえば、建築物の内部）においてワイヤレス通信を行うこと、増加したネットワーク容量を与えること、バックホールのためにブロードバンドネットワーク容量を利用することなどのために望ましい。
【発明の概要】
【０００６】
本開示は、モバイルアクセス端末のためのアクティブマクロ通信のマクロセルフェムトセル間ハンドインをサポートするためのシステムおよび方法を対象とする。フェムトセルが、（たとえば、フェムトプロキシシステムの一部としてフェムトセルと統合された帯域外無線によって確立される帯域外リンクを使用して）それの近傍にあるアクセス端末を検出する。それの近傍にあるアクセス端末を検出すると、フェムトセルは、アクセス端末を、マクロネットワークと通信しているコアネットワーク中に配設されたフェムトコンバージェンスシステム（たとえば、フェムトコンバージェンスサーバまたは他のタイプのインターフェースゲートウェイ）に事前登録するためにＯＯＢ存在インジケータを通信する。フェムトコンバージェンスシステムが、マクロネットワークから事前登録されたアクセス端末を示唆するハンドオフ要求を受信したとき、フェムトコンバージェンスシステムは、ＯＯＢ存在指示に従ってハンドインのために使用すべき適切なフェムトセルを確実に判断することが可能である。
【０００７】
マクロセルフェムトセル間ハンドインのための例示的な方法は、フェムトプロキシシステムを用いて、フェムトプロキシシステムの近傍にあり、マクロセルを介してマクロネットワークに通信可能に結合されたアクセス端末を検出することであって、フェムトプロキシシステムが、フェムトコンバージェンスシステムを介してマクロネットワークに通信可能に結合された帯域外（ＯＯＢ）フェムトプロキシとフェムトセルとを含む、検出することと、ＯＯＢ通信リンクを介してＯＯＢフェムトプロキシを使用してアクセス端末に対応するＯＯＢ識別子を検出することと、ＯＯＢ識別子と、マクロネットワーク上のアクセス端末を識別するセル識別子との間のマッピングに従って、セル識別子を判断することと、フェムトセルからフェムトコンバージェンスシステムに、フェムトセルへのアクセス端末の近接を示すＯＯＢ存在指示を通信することによって、マクロセルからフェムトセルへのハンドインのためにアクセス端末を登録することとを含む。
【０００８】
いくつかのそのような方法によれば、フェムトプロキシシステムの近傍にあるアクセス端末を検出することは、ＯＯＢ通信リンクを介してＯＯＢフェムトプロキシを使用してアクセス端末をページングすることと、ＯＯＢ通信リンクを介してＯＯＢフェムトプロキシを使用してアクセス端末からのページングへの応答を検出することであって、応答がアクセス端末のＯＯＢ識別子を含む、検出することとを含む。同じくまたは代替的に、フェムトプロキシシステムの近傍にあるアクセス端末を検出することは、ＯＯＢ通信リンクを介してＯＯＢフェムトプロキシを使用してアクセス端末からネットワークアドレスについての要求を受信することであって、要求がアクセス端末のＯＯＢ識別子を含み、サブネットの一部として配設されたＯＯＢフェムトプロキシがフェムトセルを含む、受信することと、ネットワークアドレスについての要求をフェムトセルに通信することとを含む。たとえば、ネットワークアドレスについての要求は動的ホスト構成プロトコル（ＤＨＣＰ）要求であり、アクセス端末のＯＯＢ識別子はＭＡＣアドレスであり、ネットワークアドレスについての要求をフェムトセルに通信することは、要求が少なくともフェムトセルによって受信されるように、ＤＨＣＰ要求をサブネットにブロードキャストすることを含む。
【０００９】
他のそのような方法によれば、セル識別子を判断することは、ＯＯＢ識別子とセル識別子との間のマッピングに従ってセル識別子を判断するためにフェムトプロキシシステムを使用することを含み、マッピングはフェムトプロキシシステムにおいて維持され、ＯＯＢ存在指示を通信することは、ＯＯＢ存在指示の一部としてアクセス端末のセル識別子を通信することを含む。同じくまたは代替的に、セル識別子を判断することは、ＯＯＢ識別子とセル識別子との間のマッピングに従ってセル識別子を判断するためにフェムトコンバージェンスシステムを使用することを含み、マッピングはフェムトコンバージェンスシステムにおいて維持され、ＯＯＢ存在指示を通信することは、ＯＯＢ存在指示の一部としてアクセス端末のＯＯＢ識別子を通信することを含む。
【００１０】
いくつかの実施形態では、本方法は、フェムトプロキシシステムを用いて、アクセス端末がフェムトセルを介してマクロネットワークにアクセスすることを許可されるかどうかを判断することをさらに含み、ＯＯＢ識別子を検出することは、アクセス端末がフェムトセルを介してマクロネットワークにアクセスすることを許可されるときのみ実行される。たとえば、本方法は、フェムトセルを介してマクロネットワークにアクセスすることを許可されるアクセス端末に対応するセル識別子のリストを含むアクセス制御リストをフェムトプロキシシステムにおいて維持することをさらに含み得、アクセス端末がフェムトセルを介してマクロネットワークにアクセスすることを許可されるかどうかを判断することは、アクセス制御リストに従って、アクセス端末がフェムトセルを介してマクロネットワークにアクセスすることを許可されるかどうかを判断することを含む。
【００１１】
いくつかのそのような方法は、フェムトセルにおいて、フェムトコンバージェンスシステムからアクセス端末についてのハンドオフ要求を受信することをさらに含み、ハンドオフ要求は、マクロネットワークとのアクティブ通信をマクロセルからフェムトセルにハンドオフするようにアクセス端末に指示するように構成され、マクロセルを介してアクセス端末から受信された測定メッセージに従ってマクロネットワークによって生成され、アクセス端末の登録に従ってフェムトコンバージェンスシステムを介してマクロネットワークからフェムトセルに通信される。たとえば、ハンドオフ要求は、マクロセルからフェムトセルへのハンドインのためにアクセス端末を登録した後に受信される。代替的に、ハンドオフ要求は、マクロセルからフェムトセルへのハンドインのためにアクセス端末を登録するより前に受信され、アクセス端末を検出することは、ハンドオフ要求を受信したことに応答してアクセス端末を検出することを含む。たとえば、ハンドオフ要求を受信したことに応答してアクセス端末を検出することは、アクセス端末のＯＯＢ識別子に従ってＯＯＢ通信リンクを介してアクセス端末を検出するようにＯＯＢフェムトプロキシに指示すること（たとえば、アクセス端末の固定パブリック識別子に従ってアクセス端末を検出するために逆方向リンク感知を使用すること、および／または、アクセス端末の固定パブリック識別子に従ってアクセス端末を検出するために逆方向リンク感知を使用することであって、フェムトプロキシシステムにおいて維持されるマッピングが、さらに、アクセス端末のＯＯＢ識別子と、セル識別子と、固定パブリック識別子との間のマッピングである、逆方向リンク感知を使用すること）を含む。
【００１２】
同じくまたは代替的に、本方法は、アクセス端末と、フェムトプロキシシステムのＯＯＢフェムトプロキシとの間のＯＯＢ通信リンクの損失を検出することと、ＯＯＢ通信リンクの損失を検出したことに従ってアクセス端末を登録解除することとを含み得る。いくつかの実施形態では、ＯＯＢ存在指示は、登録時間に対応するタイムスタンプを含む。さらに、いくつかの実施形態では、フェムトプロキシシステムを用いて、フェムトプロキシシステムの近傍にあるアクセス端末を検出することは、ＯＯＢ通信リンクを介してフェムトプロキシシステムのＯＯＢフェムトプロキシを使用してアクセス端末のＯＯＢサブシステムを検出することを含む。
【００１３】
例示的なフェムトプロキシシステムは、フェムトコンバージェンスシステムを介してマクロネットワークに通信可能に結合され、アクセス端末にマクロネットワークアクセスを与えるように構成されたフェムトセルと、フェムトセルに通信可能に結合され、ＯＯＢ通信リンクを介してアクセス端末と通信するように構成された帯域外（ＯＯＢ）フェムトプロキシと、フェムトセルとＯＯＢフェムトプロキシとに通信可能に結合された通信管理サブシステムであって、通信管理サブシステムの近傍にあり、マクロセルを介してマクロネットワークに通信可能に結合された近接アクセス端末を検出することと、ＯＯＢ通信リンクを介してＯＯＢフェムトプロキシを使用して近接アクセス端末のＯＯＢ識別子を検出することと、フェムトセルからフェムトコンバージェンスシステムに、フェムトセルへの近接アクセス端末の近接を示すＯＯＢ存在指示を通信することによって、マクロセルからフェムトセルへのハンドインのために近接アクセス端末を登録することとを行うように構成された通信管理サブシステムとを含む。
【００１４】
いくつかのそのようなフェムトプロキシシステムは、いくつかの許可されたアクセス端末の各々について、許可されたアクセス端末に対応するＯＯＢ識別子とセル識別子との間のマッピングを維持するように構成されたデータストアであって、近接アクセス端末が許可されたアクセス端末のうちの１つである、データストアをさらに含み、通信管理サブシステムは、データストアにおいて維持されるマッピングに従って近接アクセス端末のセル識別子を判断するようにさらに構成され、ＯＯＢ存在指示を通信することは、アクセス端末のセル識別子をフェムトコンバージェンスシステムに通信することを含む。
【００１５】
フェムトコンバージェンスシステムを介してマクロネットワークに通信可能に結合されたフェムトセルと、ＯＯＢ通信リンクを介して通信するように構成された帯域外（ＯＯＢ）フェムトプロキシとを有するフェムトプロキシシステムにおけるマクロセルフェムトセル間ハンドインのための例示的なプロセッサは、通信管理サブシステムの近傍にあり、マクロセルを介してマクロネットワークに通信可能に結合された近接アクセス端末を検出することと、ＯＯＢ通信リンクを介してＯＯＢフェムトプロキシを使用して近接アクセス端末のＯＯＢ識別子を検出することと、フェムトセルからフェムトコンバージェンスシステムに、フェムトセルへの近接アクセス端末の近接を示すＯＯＢ存在指示を通信することによって、マクロセルからフェムトセルへのハンドインのために近接アクセス端末を登録することとを行うように構成された通信管理コントローラを含む。
【００１６】
いくつかのそのようなプロセッサは、いくつかの許可されたアクセス端末の各々について、許可されたアクセス端末に対応するＯＯＢ識別子とセル識別子との間のマッピングを維持するように構成されたデータストアと通信しているマッピングコントローラであって、近接アクセス端末が許可されたアクセス端末のうちの１つであり、マッピングコントローラが、マッピングに従って近接アクセス端末のセル識別子を判断するように構成された、マッピングコントローラをさらに含み、ＯＯＢ存在指示を通信することは、近接アクセス端末のセル識別子をフェムトコンバージェンスシステムに通信することを含む。
【００１７】
例示的なコンピュータプログラム製品はプロセッサ可読媒体上に常駐し、実行されると、プロセッサに、フェムトプロキシシステムの近傍にあり、マクロセルを介してマクロネットワークに通信可能に結合されたアクセス端末を検出することであって、フェムトプロキシシステムが、フェムトコンバージェンスシステムを介してマクロネットワークに通信可能に結合された帯域外（ＯＯＢ）フェムトプロキシとフェムトセルとを含む、検出することと、ＯＯＢ通信リンクを介してアクセス端末に対応するＯＯＢ識別子を検出するようにＯＯＢフェムトプロキシに指示することと、フェムトセルからフェムトコンバージェンスシステムに、フェムトセルへのアクセス端末の近接を示すＯＯＢ存在指示を通信することによって、マクロセルからフェムトセルへのハンドインのためにアクセス端末を登録するようにフェムトセルに指示することとを含むステップを実行させるプロセッサ可読命令を有する。
【００１８】
いくつかのそのようなコンピュータプログラム製品によれば、プロセッサ可読命令は、実行されると、プロセッサに、プロセッサと通信しているデータストアにおいて、いくつかの許可されたアクセス端末の各々について、許可されたアクセス端末に対応するＯＯＢ識別子とセル識別子との間のマッピングを維持することであって、アクセス端末が許可されたアクセス端末のうちの１つである、維持することと、マッピングに従って、近接アクセス端末のセル識別子を判断することとをさらに含むステップを実行させ、ＯＯＢ存在指示を通信することは、フェムトコンバージェンスシステムにアクセス端末のセル識別子を通信することを含む。
【００１９】
マクロセルフェムトセル間ハンドインのための別の例示的なシステムは、フェムトプロキシシステムの近傍にあり、マクロセルを介してマクロネットワークに通信可能に結合されたアクセス端末を検出するための手段であって、フェムトプロキシシステムが、フェムトコンバージェンスシステムを介してマクロネットワークに通信可能に結合された帯域外（ＯＯＢ）フェムトプロキシとフェムトセルとを含む、検出するための手段と、ＯＯＢ通信リンクを介してアクセス端末に対応するＯＯＢ識別子を検出するようにＯＯＢフェムトプロキシに指示するための手段と、フェムトセルからフェムトコンバージェンスシステムに、フェムトセルへのアクセス端末の近接を示すＯＯＢ存在指示を通信することによって、マクロセルからフェムトセルへのハンドインのためにアクセス端末を登録するようにフェムトセルに指示するための手段とを含む。
【００２０】
いくつかのそのようなシステムは、プロセッサと通信しているデータストアにおいて、いくつかの許可されたアクセス端末の各々について、許可されたアクセス端末に対応するＯＯＢ識別子とセル識別子との間のマッピングを維持するための手段であって、アクセス端末が許可されたアクセス端末のうちの１つである、維持するための手段と、マッピングに従って、近接アクセス端末のセル識別子を判断するための手段とをさらに含み、ＯＯＢ存在指示を通信することは、フェムトコンバージェンスシステムにアクセス端末のセル識別子を通信することを含む。
【００２１】
マクロセルフェムトセル間ハンドインのための別の例示的な方法は、フェムトコンバージェンスシステムにおいて、マクロネットワークとのアクティブ通信をマクロセルから指定されたフェムトセルにハンドオフするようにアクセス端末に指示するように構成されたハンドオフ要求をマクロネットワークから受信することであって、指定されたフェムトセルが、フェムトコンバージェンスシステムを介してマクロネットワークと通信しているいくつかのフェムトセルのうちの１つであり、いくつかのフェムトセルの各々が、第１のフェムトセル識別子に従ってマクロネットワークによってアドレス指定可能であり、第２の識別子に従ってフェムトコンバージェンスシステムによってアドレス指定可能であり、ハンドオフ要求が、アクセス端末のセル識別子と、指定されたフェムトセルの第１のフェムトセル識別子とを含む、受信することと、フェムトコンバージェンスシステムを用いて、いくつかのフェムトセルのいずれかがハンドオフ要求を受信するより前にアクセス端末を登録したかどうかを判断することと、いくつかのフェムトセルのうちの登録フェムトセルがハンドオフ要求を受信するより前にアクセス端末を登録したとき、指定されたフェムトセルが登録フェムトセルであると判断することと、いくつかのフェムトセルのいずれもハンドオフ要求を受信するより前にアクセス端末を登録しなかったとき、ハンドオフ要求の一部として受信された第１のフェムトセル識別子に従って、いくつかのフェムトセルから候補フェムトセルのセットを判断することと、候補フェムトセルのセットの各々に、それの近傍にあるアクセス端末を検出するように指示することと、候補フェムトセルのうちの成功したフェムトセルから、それの近傍にアクセス端末があるという指示を受信することと、指定されたフェムトセルが成功したフェムトセルであると判断することと、指定されたフェムトセルの第２のフェムトセル識別子に従って、フェムトコンバージェンスシステムから指定されたフェムトセルにハンドオフ要求を通信することとを含む。
【００２２】
例示的なフェムトコンバージェンスシステムは、マクロネットワークのコアノードに通信可能に結合され、マクロネットワークから通信を受信するように構成されたマクロインターフェースサブシステムと、マクロネットワークの一部として構成されたいくつかのフェムトセルに通信可能に結合されたフェムトインターフェースサブシステムであって、各フェムトセルが、第１のフェムトセル識別子に従ってマクロネットワークによってアドレス指定可能であり、第２の識別子に従ってフェムトインターフェースサブシステムによってアドレス指定可能である、フェムトインターフェースサブシステムと、マクロインターフェースサブシステムとフェムトインターフェースサブシステムとに通信可能に結合された通信管理サブシステムであって、マクロセルからいくつかのフェムトセルのうちの指定されたフェムトセルにマクロネットワークとのアクティブ通信をハンドオフするようにアクセス端末に指示するように構成されたハンドオフ要求をマクロネットワークから受信することであって、ハンドオフ要求が、アクセス端末のセル識別子と指定されたフェムトセルの第１のフェムトセル識別子とを含む、受信することと、いくつかのフェムトセルのいずれかがハンドオフ要求を受信するより前にアクセス端末を登録したかどうかを判断することと、いくつかのフェムトセルのうちの登録フェムトセルがハンドオフ要求を受信するより前にアクセス端末を登録したとき、指定されたフェムトセルが登録フェムトセルであると判断することと、いくつかのフェムトセルのいずれもハンドオフ要求を受信するより前にアクセス端末を登録しなかったとき、ハンドオフ要求の一部として受信された第１のフェムトセル識別子に従って、いくつかのフェムトセルから候補フェムトセルのセットを判断することと、候補フェムトセルのセットの各々に、それの近傍にあるアクセス端末を検出するように指示することと、候補フェムトセルのうちの成功したフェムトセルから、それの近傍にアクセス端末があるという指示を受信することと、指定されたフェムトセルが成功したフェムトセルであると判断することと、指定されたフェムトセルの第２のフェムトセル識別子に従って、フェムトコンバージェンスシステムから指定されたフェムトセルにハンドオフ要求を通信することとを含む。
【００２３】
フェムトコンバージェンスシステムにおけるマクロセルフェムトセル間ハンドインのための例示的なプロセッサであって、フェムトコンバージェンスシステムが、マクロネットワークのコアノードに通信可能に結合され、マクロネットワークから通信を受信するように構成されたマクロインターフェースサブシステムを含み、フェムトコンバージェンスシステムが、マクロネットワークの一部として構成されたいくつかのフェムトセルに通信可能に結合されたフェムトインターフェースサブシステムを含み、各フェムトセルが、第１のフェムトセル識別子に従ってマクロネットワークによってアドレス指定可能であり、第２の識別子に従ってフェムトインターフェースサブシステムによってアドレス指定可能である、例示的なプロセッサは、マクロセルからいくつかのフェムトセルのうちの指定されたフェムトセルにマクロネットワークとのアクティブ通信をハンドオフするようにアクセス端末に指示するように構成されたハンドオフ要求をマクロネットワークから受信することであって、ハンドオフ要求が、アクセス端末のセル識別子と指定されたフェムトセルの第１のフェムトセル識別子とを含む、受信することと、いくつかのフェムトセルのいずれかがハンドオフ要求を受信するより前にアクセス端末を登録したかどうかを判断することと、いくつかのフェムトセルのうちの登録フェムトセルがハンドオフ要求を受信するより前にアクセス端末を登録したとき、指定されたフェムトセルが登録フェムトセルであると判断することと、いくつかのフェムトセルのいずれもハンドオフ要求を受信するより前にアクセス端末を登録しなかったとき、ハンドオフ要求の一部として受信された第１のフェムトセル識別子に従って、いくつかのフェムトセルから候補フェムトセルのセットを判断することと、候補フェムトセルのセットの各々に、それの近傍にあるアクセス端末を検出するように指示することと、候補フェムトセルのうちの成功したフェムトセルから、それの近傍にアクセス端末があるという指示を受信することと、指定されたフェムトセルが成功したフェムトセルであると判断することと、指定されたフェムトセルの第２のフェムトセル識別子に従って、フェムトコンバージェンスシステムから成功したフェムトセルへのハンドオフ要求の通信を指示することとを行うように構成された通信管理コントローラを含む。
【００２４】
例示的なコンピュータプログラム製品は、フェムトコンバージェンスシステムに配設されたプロセッサ可読媒体上に常駐し、実行されると、プロセッサに、マクロネットワークとのアクティブ通信をマクロセルから指定されたフェムトセルにハンドオフするようにアクセス端末に指示するように構成されたハンドオフ要求をマクロネットワークから受信することであって、指定されたフェムトセルが、フェムトコンバージェンスシステムを介してマクロネットワークと通信しているいくつかのフェムトセルのうちの１つであり、いくつかのフェムトセルの各々が、第１のフェムトセル識別子に従ってマクロネットワークによってアドレス指定可能であり、第２の識別子に従ってフェムトコンバージェンスシステムによってアドレス指定可能であり、ハンドオフ要求が、アクセス端末のセル識別子と、指定されたフェムトセルの第１のフェムトセル識別子とを含む、受信することと、いくつかのフェムトセルのいずれかがハンドオフ要求を受信するより前にアクセス端末を登録したかどうかを判断することと、いくつかのフェムトセルのうちの登録フェムトセルがハンドオフ要求を受信するより前にアクセス端末を登録したとき、指定されたフェムトセルが登録フェムトセルであると判断することと、いくつかのフェムトセルのいずれもハンドオフ要求を受信するより前にアクセス端末を登録しなかったとき、ハンドオフ要求の一部として受信された第１のフェムトセル識別子に従って、いくつかのフェムトセルから候補フェムトセルのセットを判断することと、候補フェムトセルのセットの各々に、それの近傍にあるアクセス端末を検出するように指示することと、候補フェムトセルのうちの成功したフェムトセルから、それの近傍にアクセス端末があるという指示を受信することと、指定されたフェムトセルが成功したフェムトセルであると判断することと、指定されたフェムトセルの第２のフェムトセル識別子に従って、フェムトコンバージェンスシステムから成功したフェムトセルへのハンドオフ要求の通信を指示することとを含むステップを実行させるプロセッサ可読命令を含む。
【００２５】
マクロセルフェムトセル間ハンドインのための別の例示的なシステムは、フェムトコンバージェンスシステムにおいて、マクロネットワークとのアクティブ通信をマクロセルから指定されたフェムトセルにハンドオフするようにアクセス端末に指示するように構成されたハンドオフ要求をマクロネットワークから受信するための手段であって、指定されたフェムトセルが、フェムトコンバージェンスシステムを介してマクロネットワークと通信しているいくつかのフェムトセルのうちの１つであり、いくつかのフェムトセルの各々が、第１のフェムトセル識別子に従ってマクロネットワークによってアドレス指定可能であり、第２の識別子に従ってフェムトコンバージェンスシステムによってアドレス指定可能であり、ハンドオフ要求が、アクセス端末のセル識別子と、指定されたフェムトセルの第１のフェムトセル識別子とを含む、受信するための手段と、フェムトコンバージェンスシステムを用いて、いくつかのフェムトセルのいずれかがハンドオフ要求を受信するより前にアクセス端末を登録したかどうかを判断するための手段と、いくつかのフェムトセルのうちの登録フェムトセルがハンドオフ要求を受信するより前にアクセス端末を登録したとき、指定されたフェムトセルが登録フェムトセルであると判断するための手段と、いくつかのフェムトセルのいずれもハンドオフ要求を受信するより前にアクセス端末を登録しなかったとき、ハンドオフ要求の一部として受信された第１のフェムトセル識別子に従って、いくつかのフェムトセルから候補フェムトセルのセットを判断するための手段と、候補フェムトセルのセットの各々に、それの近傍にあるアクセス端末を検出するように指示するための手段と、候補フェムトセルのうちの成功したフェムトセルから、それの近傍にアクセス端末があるという指示を受信するための手段と、指定されたフェムトセルが成功したフェムトセルであると判断するための手段と、指定されたフェムトセルの第２のフェムトセル識別子に従って、フェムトコンバージェンスシステムから指定されたフェムトセルにハンドオフ要求を通信するための手段とを含む。
【００２６】
マクロセルフェムトセル間ハンドインのための別の例示的な方法は、フェムトコンバージェンスシステムにおいて、登録フェムトセルによって登録フェムトセルの近傍にあることが検出されたアクセス端末を登録するためのＯＯＢ存在指示を登録フェムトセルから受信することであって、登録フェムトセルが、フェムトコンバージェンスシステムを介してマクロネットワークと通信しているいくつかのフェムトセルのうちの１つであり、複数のフェムトセルの各々が、第１のフェムトセル識別子に従ってマクロネットワークによってアドレス指定可能であり、第２の識別子に従ってフェムトコンバージェンスシステムによってアドレス指定可能である、受信することと、フェムトコンバージェンスシステムにおいて、マクロセルからいくつかのフェムトセルのうちの指定されたフェムトセルへのアクセス端末のハンドオフを指示するハンドオフ要求が受信されたかどうかを判断することと、フェムトコンバージェンスシステムにおいてＯＯＢ存在指示を受信した後にハンドオフ要求が受信されたとき、指定されたフェムトセルが登録フェムトセルであると判断することと、登録フェムトセルの第２のフェムトセル識別子に従ってフェムトコンバージェンスシステムから登録フェムトセルにハンドオフ要求を通信することと、ＯＯＢ存在指示を受信した後、およびアクセス端末を示唆するハンドオフ要求を受信するより前に登録解除状態が生じたとき、フェムトコンバージェンスシステムにおいてアクセス端末を登録解除することとを含む。
【００２７】
別の例示的なフェムトコンバージェンスシステムは、マクロネットワークのコアノードに通信可能に結合され、マクロネットワークから通信を受信するように構成されたマクロインターフェースサブシステムと、マクロネットワークの一部として構成されたいくつかのフェムトセルに通信可能に結合されたフェムトインターフェースサブシステムであって、各フェムトセルが、第１のフェムトセル識別子に従ってマクロネットワークによってアドレス指定可能であり、第２の識別子に従ってフェムトインターフェースサブシステムによってアドレス指定可能である、フェムトインターフェースサブシステムと、マクロインターフェースサブシステムとフェムトインターフェースサブシステムとに通信可能に結合された通信管理サブシステムであって、フェムトインターフェースサブシステムを介していくつかのフェムトセルのうちの登録フェムトセルから、登録フェムトセルによって登録フェムトセルの近傍にあることが検出されたアクセス端末のセル識別子を登録するためのＯＯＢ存在指示を受信することと、フェムトインターフェースサブシステムを介して登録フェムトセルからＯＯＢ存在指示を受信した後に、マクロインターフェースサブシステムを介して、マクロセルからいくつかのフェムトセルのうちの指定されたフェムトセルへのアクセス端末のハンドオフを指示するハンドオフ要求がコアノードから受信されたとき、指定されたフェムトセルが登録フェムトセルであると判断することと、指定されたフェムトセルの第２のフェムトセル識別子に従ってフェムトインターフェースサブシステムを介して登録フェムトセルにハンドオフ要求を通信することと、ＯＯＢ存在指示を受信した後、およびアクセス端末を示唆するハンドオフ要求を受信するより前に登録解除状態が生じたとき、アクセス端末を登録解除することとを行うように構成された通信管理サブシステムとを含む。
【００２８】
フェムトコンバージェンスシステムにおけるマクロセルフェムトセル間ハンドインのための別の例示的なプロセッサであって、フェムトコンバージェンスシステムが、マクロネットワークのコアノードに通信可能に結合され、マクロネットワークから通信を受信するように構成されたマクロインターフェースサブシステムを含み、フェムトコンバージェンスシステムが、マクロネットワークの一部として構成されたいくつかのフェムトセルに通信可能に結合されたフェムトインターフェースサブシステムを含み、各フェムトセルが、第１のフェムトセル識別子に従ってマクロネットワークによってアドレス指定可能であり、第２の識別子に従ってフェムトインターフェースサブシステムによってアドレス指定可能である、別の例示的なプロセッサは、フェムトインターフェースサブシステムを介していくつかのフェムトセルのうちの登録フェムトセルから、登録フェムトセルによって登録フェムトセルの近傍にあることが検出されたアクセス端末のセル識別子を登録するためのＯＯＢ存在指示を受信することと、フェムトインターフェースサブシステムを介して登録フェムトセルからＯＯＢ存在指示を受信した後に、マクロインターフェースサブシステムを介して、マクロセルからいくつかのフェムトセルのうちの指定されたフェムトセルへのアクセス端末のハンドオフを指示するハンドオフ要求がコアノードから受信されたとき、指定されたフェムトセルが登録フェムトセルであると判断することと、指定されたフェムトセルの第２のフェムトセル識別子に従ってフェムトインターフェースサブシステムを介して登録フェムトセルにハンドオフ要求を通信することと、ＯＯＢ存在指示を受信した後、およびアクセス端末を示唆するハンドオフ要求を受信するより前に登録解除状態が生じたとき、アクセス端末を登録解除することとを行うように構成された通信管理コントローラを含む。
【００２９】
別の例示的なコンピュータプログラム製品は、フェムトコンバージェンスシステムに配設されたプロセッサ可読媒体上に常駐し、実行されると、プロセッサに、登録フェムトセルによって登録フェムトセルの近傍にあることが検出されたアクセス端末のセル識別子を登録するためのＯＯＢ存在指示を登録フェムトセルから受信することであって、登録フェムトセルが、フェムトコンバージェンスシステムを介してマクロネットワークと通信しているいくつかのフェムトセルのうちの１つであり、いくつかのフェムトセルの各々が、第１のフェムトセル識別子に従ってマクロネットワークによってアドレス指定可能であり、第２の識別子に従ってフェムトコンバージェンスシステムによってアドレス指定可能である、受信することと、ＯＯＢ存在指示を受信した後に、フェムトコンバージェンスシステムにおいて、マクロセルからいくつかのフェムトセルのうちの指定されたフェムトセルへのアクセス端末のハンドオフを指示するハンドオフ要求が受信されたとき、指定されたフェムトセルが登録フェムトセルであると判断することと、指定されたフェムトセルの第２のフェムトセル識別子に従って、フェムトコンバージェンスシステムから登録フェムトセルにハンドオフ要求を通信することと、ＯＯＢ存在指示を受信した後、およびアクセス端末を示唆するハンドオフ要求を受信するより前に登録解除状態が生じたとき、フェムトコンバージェンスシステムにおいてアクセス端末を登録解除することとを含むステップを実行させるプロセッサ可読命令を含む。
【００３０】
マクロセルフェムトセル間ハンドインのための別の例示的なシステムは、フェムトコンバージェンスシステムにおいて、登録フェムトセルによって登録フェムトセルの近傍にあることが検出されたアクセス端末のセル識別子を登録するためのＯＯＢ存在指示を登録フェムトセルから受信するための手段であって、登録フェムトセルが、フェムトコンバージェンスシステムを介してマクロネットワークと通信しているいくつかのフェムトセルのうちの１つであり、いくつかのフェムトセルの各々が、第１のフェムトセル識別子に従ってマクロネットワークによってアドレス指定可能であり、第２の識別子に従ってフェムトコンバージェンスシステムによってアドレス指定可能である、受信するための手段と、ＯＯＢ存在指示を受信した後に、フェムトコンバージェンスシステムにおいて、マクロセルからいくつかのフェムトセルのうちの指定されたフェムトセルへのアクセス端末のハンドオフを指示するハンドオフ要求が受信されたとき、指定されたフェムトセルが登録フェムトセルであると判断するための手段と、指定されたフェムトセルの第２のフェムトセル識別子に従って、フェムトコンバージェンスシステムから登録フェムトセルにハンドオフ要求を通信するための手段と、ＯＯＢ存在指示を受信した後、およびアクセス端末を示唆するハンドオフ要求を受信するより前に登録解除状態が生じたとき、フェムトコンバージェンスシステムにおいてアクセス端末を登録解除するための手段とを含む。
【００３１】
上記では、以下の発明を実施するための形態がより良く理解され得るように、開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【００３２】
本明細書の残りの部分および図面を参照すれば、本開示によって提供される例の性質および利点がさらに理解され得る。複数の図面全体にわたって同様の構成要素を指すのに同様の参照番号を使用する。場合によっては、複数の同様の構成要素のうちの１つを示すためにサブラベルを参照番号に関連付ける。既存のサブラベルの特定なしに参照番号を参照するとき、参照番号はすべてのそのような同様の構成要素を指す。
【図面の簡単な説明】
【００３３】
【図１】ワイヤレス通信システムのブロック図。
【図２Ａ】フェムトプロキシシステムを含む例示的なワイヤレス通信システムのブロック図。
【図２Ｂ】図２Ａに示したアーキテクチャとは異なるフェムトプロキシシステムのアーキテクチャを含む例示的なワイヤレス通信システムのブロック図。
【図３】図２Ａに示した通信管理サブシステムの機能を実装するためのプロセッサモジュールの一例のブロック図。
【図４Ａ】レガシー回線サービスのためのフェムトセルアーキテクチャの一例に関する詳細を示す図。
【図４Ｂ】レガシーインターフェースを使用するパケットデータサービスアクセスのためのフェムトセルアーキテクチャの一例に関する詳細を示す図。
【図５】図１〜図４Ｂの通信システムおよびネットワークのコンテキストにおいて図３Ａおよび図３Ｂのフェムトプロキシシステムとともに使用するモバイルアクセス端末の一例のブロック図。
【図６Ａ】フェムトプロキシモジュールと統合されたフェムトセルを有するフェムトプロキシシステムを使用してアクティブハンドインを可能にするための通信システムの簡略ネットワーク図。
【図６Ｂ】サブネットをフェムトプロキシモジュールと共有するフェムトセルを有するフェムトプロキシシステムを使用してアクティブハンドインを可能にするための通信システムの簡略ネットワーク図。
【図７Ａ】フェムトコンバージェンスシステム（ＦＣＳ：femto convergence system）を含むワイヤレス通信システムのブロック図。
【図７Ｂ】図７ＡのＦＣＳの代替構成であるＦＣＳのブロック図。
【図８Ａ】ＦＡＰとのＡＴ登録を処理するための例示的な方法の流れ図。
【図８Ｂ】帯域外近傍検出のためにＢｌｕｅｔｏｏｔｈ（登録商標）無線を使用してＦＡＰとのＡＴ登録を処理するための例示的な方法の流れ図。
【図８Ｃ】帯域外近傍検出のためにＷｉＦｉアクセスポイントを使用してＦＡＰとのＡＴ登録を処理するための例示的な方法の流れ図。
【図９】ＦＡＰとのアクティブハンドインを処理するための例示的な方法の流れ図。
【図１０】たとえば、図９および図１０の方法によるアクティブハンドインを示す例示的なコールフロー図。
【図１１】ＦＡＰとのＡＴの登録解除を処理するための例示的な方法の流れ図。
【図１２】ＯＯＢ存在指示なしに、あるアクティブハンドイン機能を実装するための例示的な方法の流れ図。
【図１３】例示的なＦＣＳにおいてＦＡＰ支援アクティブハンドインを処理するための例示的な方法の流れ図。
【図１４】たとえば、それぞれ、図１２および図１３の方法によるアクティブハンドインを示す例示的なコールフロー図。
【図１５】図１４の方法のいくつかの部分をいつ実装すべきかを判断するための例示的な方法の流れ図。
【図１６】図１４の方法に、ある機能を追加するための例示的な方法の流れ図。
【図１７】様々な順序でおよび様々なコンテキストにおいて、ＦＣＳにおいてハンドオフ要求と登録要求との受信を処理するための例示的な方法の流れ図。
【発明を実施するための形態】
【００３４】
モバイルアクセス端末のためのアクティブマクロ通信のマクロセルフェムトセル間ハンドインをサポートするための実施形態について説明する。フェムトセルが、（たとえば、フェムトプロキシシステムの一部としてフェムトセルと統合された帯域外無線によって確立される帯域外リンクを使用して）それの近傍にあるアクセス端末を検出する。それの近傍にあるアクセス端末を検出すると、フェムトセルは、アクセス端末を、マクロネットワークと通信しているコアネットワーク中に配設されたフェムトコンバージェンスシステム（たとえば、フェムトコンバージェンスサーバまたは他のタイプのインターフェースゲートウェイ）に事前登録するためにＯＯＢ存在インジケータを通信する。フェムトコンバージェンスシステムが、マクロネットワークから事前登録されたアクセス端末を示唆するハンドオフ要求を受信したとき、フェムトコンバージェンスシステムは、ＯＯＢ存在指示に従ってハンドインのために使用すべき適切なフェムトセルを確実に判断することが可能である。
【００３５】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ
Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ
Ｐａｃｋｅｔ  Ｄａｔａ（ＨＲＰＤ）などと呼ばれる。ＵＴＲＡは、Ｗｉｄｅｂａｎｄ
ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の団体からの文書に記載されている。本明細書で説明する技法は、上記のシステムおよび無線技術、ならびに他のシステムおよび無線技術に使用され得る。
【００３６】
したがって、以下の説明は、例を与えるものであり、特許請求の範囲において記載される範囲、適用性、または構成を限定するものではない。本開示の趣旨および範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々な動作が追加、省略、または組み合わせられ得る。また、いくつかの例に関して説明される特徴は、他の例において組み合わせられ得る。
【００３７】
最初に図１を参照すると、ブロック図に、ワイヤレス通信システム１００の例が示されている。システム１００は、セル１１０中に配設された送受信基地局（ＢＴＳ）１０５と、モバイルアクセス端末１１５（ＡＴ）と、基地局コントローラ（ＢＳＣ）１２０とを含む。アクセス端末（ＡＴ）、移動局（ＭＳ）などのような用語は、本明細書では互換的に使用され、特定のネットワークトポロジーまたは実装形態を暗示するものではないことは注目に値する。たとえば、「ＡＴ」という用語は、一般に回線交換（たとえば、ＣＤＭＡ
１Ｘ）ネットワークに対して使用され得、「ＭＳ」という用語は、一般にパケットデータサービス（たとえば、ＥＶ−ＤＯ、ＨＲＰＤ）ネットワークに対して使用され得るが、本明細書で説明する技法は、これらまたは他のネットワークのいずれかのコンテキストにおいて適用され得る。
【００３８】
システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、ＳＣ−ＦＤＭＡ信号などであり得る。各被変調信号は、異なるキャリア上で送られ得、パイロット、オーバーヘッド情報、データなどを搬送し得る。システム１００は、ネットワークリソースを効率的に割り振ることが可能なマルチキャリアＬＴＥネットワークであり得る。
【００３９】
ＢＴＳ１０５は、基地局アンテナを介してＡＴ１１５とワイヤレス通信することができる。ＢＴＳ１０５は、複数のキャリアを介してＢＳＣ１２０の制御下でＡＴ１１５と通信するように構成される。ＢＴＳ１０５の各々は、それぞれの地理的エリア、ここでは、セル１１０−ａ、１１０−ｂ、または１１０−ｃに通信カバレージを与えることができる。システム１００は、異なるタイプのＢＴＳ１０５、たとえば、マクロ基地局、ピコ基地局、および／またはフェムト基地局を含み得る。
【００４０】
ＡＴ１１５は、セル１１０全体に分散され得る。ＡＴ１１５は、移動局、モバイルデバイス、ユーザ機器（ＵＥ）、または加入者ユニットと呼ばれることがある。ここで、ＡＴ１１５は、セルラー電話とワイヤレス通信デバイスとを含むが、携帯情報端末（ＰＤＡ）、他のハンドヘルドデバイス、ネットブック、ノートブックコンピュータなどをも含むことができる。
【００４１】
以下の説明のために、ＡＴ１１５は、複数の「マクロ」ＢＴＳ１０５によって可能にされるマクロネットワークまたは同様のネットワーク上で動作する（「キャンピング」される）。各マクロＢＴＳ１０５は、比較的大きい地理的エリア（たとえば、半径数キロメートル）をカバーし得、サービスに加入している端末による無制限のアクセスを可能にし得る。ＡＴ１１５はまた、「フェムト」または「ホーム」ＢＴＳ１０５によって可能にされる少なくとも１つのフェムトネットワーク上で動作するように登録される。マクロＢＴＳ１０５は、一般に（たとえば、図１に示す例示的な六角形セル１１０を生じる）ネットワークプランニングに従って展開され得るが、フェムトＢＴＳ１０５は、一般に個々のユーザ（またはユーザ代表）によって展開されて、局地フェムトセル（localized femtocell）を作り出し得ることを諒解されたい。局地フェムトセルは、一般にマクロネットワークプランニングアーキテクチャ（たとえば、六角形セル）に従わないが、それは、様々なマクロレベルネットワークプランニングおよび／または管理決定の一部（たとえば、負荷分散など）として考慮され得る。
【００４２】
ＡＴ１１５は、概して、高度モバイル動作を可能にするために、小さいバッテリーなど、内部電源を使用して動作し得る。フェムトセルなど、ネットワークデバイスの戦略的展開は、モバイルデバイス電力消費をある程度まで緩和することができる。たとえば、フェムトセルは、（たとえば、容量制限、帯域幅制限、信号フェージング、信号シャドーイングなどのために）場合によっては十分なサービスまたはいかなるサービスをも経験しないことがあるエリア内でサービスを提供するために利用され得、それにより、クライアントデバイスが探索時間を低減し、送信電力を低減し、送信時間を低減することなどが可能になる。フェムトセルは、（たとえば、家屋または建築物内の）比較的小さいサービスエリア内でサービスを提供する。したがって、クライアントデバイスは、一般に、サービスされているとき、フェムトセルの近くに配設され、クライアントデバイスが低減された送信電力を用いて通信することをしばしば可能にする。
【００４３】
たとえば、フェムトセルは、レジデンス、オフィスビルなどのユーザ構内中にあるフェムトアクセスポイント（ＦＡＰ）として実装される。そのロケーションは、（たとえば、窓の近くでの）地球測位衛星（ＧＰＳ）信号へのアクセス、および／または他の有用なロケーションにおけるアクセスを可能にするために、（たとえば、集中型ロケーションにおける）最大カバレージのために選定され得る。明快のために、本明細書の開示では、ＡＴ１１５のセットが、実質的にユーザ構内全体にわたってカバレージを与える単一のＦＡＰに（たとえば、その単一のＦＡＰのホワイトリスト上に）登録されると仮定する。「ホーム」ＦＡＰは、マクロネットワーク上での通信サービスへのアクセスをＡＴ１１５に提供する。本明細書で使用するマクロネットワークは、ワイヤレスワイドエリアネットワーク（ＷＷＡＮ）であると仮定する。したがって、「マクロネットワーク」と「ＷＷＡＮネットワーク」のような用語は交換可能である。同様の技法は、本開示または特許請求の範囲の範囲から逸脱することなく他のタイプのネットワーク環境に適用され得る。
【００４４】
例示的な構成では、ＦＡＰは、フェムトプロキシシステムとして１つまたは複数の帯域外（ＯＯＢ）プロキシと統合される。本明細書で使用する「帯域外」または「ＯＯＢ」は、ＷＷＡＮリンクに対して帯域外である任意のタイプの通信を含む。たとえば、ＯＯＢプロキシおよび／またはＡＴ１１５は、Ｂｌｕｅｔｏｏｔｈ（たとえば、クラス１、クラス１．５、および／またはクラス２）、（たとえば、ＩＥＥＥ８０２．１５．４−２００３ワイヤレス規格に従う）ＺｉｇＢｅｅ（登録商標）、ＷｉＦｉ、および／またはマクロネットワーク帯域外の他の有用なタイプの通信を使用して動作するように構成され得る。特に、ＦＡＰとのＯＯＢの統合は、たとえば、低減された干渉、低電力のフェムト発見などを含む、いくつかの特徴を与え得る。
【００４５】
さらに、ＯＯＢ機能とＦＡＰとの統合は、ＦＡＰに接続されたＡＴ１１５がＯＯＢピコネットの一部になることも可能にし得る。ピコネットは、ＡＴ１１５に対して、拡張されたＦＡＰ機能、他の通信サービス、電力管理機能、および／または他の特徴を可能にし得る。これらおよび他の特徴は、以下の説明からさらに諒解されよう。
【００４６】
図２Ａに、フェムトプロキシシステム２９０ａを含むワイヤレス通信システム２００ａのブロック図を示す。フェムトプロキシシステム２９０ａは、フェムトプロキシモジュール２４０ａと、ＦＡＰ２３０ａと、通信管理サブシステム２５０とを含む。図１に関して説明したように、ＦＡＰ２３０ａはフェムトＢＴＳ１０５であり得る。フェムトプロキシシステム２９０ａはまた、アンテナ２０５と、トランシーバモジュール２１０と、メモリ２１５と、プロセッサモジュール２２５とを含み、その各々は、（たとえば、１つまたは複数のバスを介して）互いと直接または間接的に通信し得る。トランシーバモジュール２１０は、アンテナ２０５を介してＡＴ１１５と双方向に通信するように構成される。トランシーバモジュール２１０（および／またはフェムトプロキシシステム２９０ａの他の構成要素）はまた、マクロ通信ネットワーク１００ａ（たとえば、ＷＷＡＮ）と双方向に通信するように構成される。たとえば、トランシーバモジュール２１０は、バックホールネットワークを介してマクロ通信ネットワーク１００ａと通信するように構成される。マクロ通信ネットワーク１００ａは図１の通信システム１００であり得る。
【００４７】
メモリ２１５は、ランダムアクセスメモリ（ＲＡＭ）と読取り専用メモリ（ＲＯＭ）とを含み得る。いくつかの実施形態では、メモリ２１５は、ＡＴマッピング２１９を記憶するように構成されたデータストア２１７を含む（またはデータストア２１７と通信している）。以下でより十分に説明するように、これらのＡＴマッピング２１９は、いくつかのＦＡＰ支援ハンドイン機能を可能にするために使用される。一般に、ＡＴマッピング２１９は、各ＡＴ１１５のセル識別子（たとえば、ＡＴ１１５のＳＩＭカードに関連する国際モバイル加入者識別情報（ＩＭＳＩ：International Mobile Subscriber Identity））をＡＴ１１５のＯＯＢ無線に対応するＯＯＢ識別子（たとえば、ＡＴ１１５のＢｌｕｅｔｏｏｔｈアドレス）とマッピングする。いくつかの実施形態では、たとえば、パブリックロングコードマスクを含めて、さらなるマッピングがＡＴマッピング２１９によってＡＴ１１５ごとに維持される。
【００４８】
メモリ２１５はまた、実行されるとプロセッサモジュール２２５に本明細書で説明する様々な機能（たとえば、呼処理、データベース管理、メッセージルーティングなど）を実行させるように構成された命令を含んでいるコンピュータ可読、コンピュータ実行可能ソフトウェアコード２２０を記憶し得る。代替的に、ソフトウェア２２０は、プロセッサモジュール２２５によって直接的に実行可能でないことがあるが、たとえば、コンパイルされ実行されると、コンピュータに本明細書で説明する機能を実行させるように構成され得る。
【００４９】
プロセッサモジュール２２５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール２２５は、マイクロフォンを介してオーディオを受信し、そのオーディオを、受信したオーディオを表す（たとえば、長さ３０ｍｓの）パケットに変換し、そのオーディオパケットをトランシーバモジュール２１０に供給し、ユーザが話しているかどうかの指示を与えるように構成された音声エンコーダ（図示せず）を含み得る。代替的に、エンコーダはパケットのみをトランシーバモジュール２１０に供給し、パケット自体の供給または抑制／抑圧が、ユーザが話しているかどうかの指示を与え得る。
【００５０】
トランシーバモジュール２１０は、パケットを変調し、変調されたパケットを送信のためにアンテナ２０５に供給し、アンテナ２０５から受信されたパケットを復調するように構成されたモデムを含み得る。フェムトプロキシシステム２９０ａのいくつかの例は単一のアンテナ２０５を含み得るが、フェムトプロキシシステム２９０ａは、好ましくは複数のリンクのための複数のアンテナ２０５を含む。たとえば、ＡＴ１１５とのマクロ通信をサポートするために１つまたは複数のリンクが使用され得る。また、１つまたは複数の帯域外リンクが同じアンテナ２０５または異なるアンテナ２０５によってサポートされ得る。
【００５１】
特に、フェムトプロキシシステム２９０ａは、ＦＡＰ２３０ａとフェムトプロキシモジュール２４０ａの両方の機能を与えるように構成される。たとえば、ＡＴ１１５がフェムトセルカバレージエリアに接近すると、ＡＴ１１５のＯＯＢ無線はＯＯＢフェムトプロキシモジュール２４０ａの探索を開始し得る。発見されると、ＡＴ１１５は、それがフェムトセルカバレージエリアの近傍にあるという高いレベルの確信を有し得、ＦＡＰ２３０ａの走査が開始することができる。
【００５２】
ＦＡＰ２３０ａの走査は異なる方法で実装され得る。たとえば、ＡＴ１１５のＯＯＢ無線によるフェムトプロキシモジュール２４０ａの発見のために、ＡＴ１１５とフェムトプロキシシステム２９０ａの両方は互いの近接を認識していることがある。ＡＴ１１５はＦＡＰ２３０ａを走査する。代替的に、ＦＡＰ２３０ａは、（たとえば、個々に、またはすべての登録されたＡＴ１１５のラウンドロビンポーリングの一部として）ＡＴ１１５についてポーリングし、ＡＴ１１５はポールについてリッスンする。ＦＡＰ２３０ａの走査が成功すると、ＡＴ１１５はＦＡＰ２３０ａに接続し得る。
【００５３】
ＡＴ１１５がフェムトセルカバレージエリア中にあり、ＦＡＰ２３０ａに接続されているとき、ＡＴ１１５は、ＦＡＰ２３０ａを介してマクロ通信ネットワーク１００ａと通信していることがある。上記で説明したように、ＡＴ１１５はまた、フェムトプロキシモジュール２４０ａがマスタとして働くピコネットのスレーブであり得る。たとえば、ピコネットは、Ｂｌｕｅｔｏｏｔｈを使用して動作し得、ＦＡＰ２３０ａ中の（たとえば、トランシーバモジュール２１０の一部として実装される）Ｂｌｕｅｔｏｏｔｈ無線によって可能にされるＢｌｕｅｔｏｏｔｈ通信リンクを含み得る。
【００５４】
ＦＡＰ２３０ａの例は、基地局またはワイヤレスアクセスポイント機器の様々な構成を有する。本明細書で使用するＦＡＰ２３０ａは、様々な端末（たとえば、クライアントデバイス（ＡＴ１１５など）、近傍エージェントデバイスなど）と通信するデバイスであり得、基地局、ノードＢ、および／または他の同様のデバイスと呼ばれることもあり、それらの機能の一部または全部を含み得る。本明細書ではＦＡＰ２３０ａと呼ぶが、本明細書でのその概念は、フェムトセル構成以外のアクセスポイント構成（たとえば、ピコセル、マイクロセルなど）に適用可能である。ＦＡＰ２３０ａの例は、ＦＡＰ２３０ａに関連するフェムトセルカバレージエリア内での通信を可能にするために（たとえば、エリアのカバレージの改善を与えるために、容量の増加を与えるために、帯域幅の増加を与えるためになど）対応するセルラーネットワーク（たとえば、マクロ通信ネットワーク１００ａ、またはその一部分）に対してネイティブな通信周波数およびプロトコルを利用する。
【００５５】
ＦＡＰ２３０ａは、図２Ａに明示的に示す他のインターフェースと通信していないことがある。たとえば、ＦＡＰ２３０ａは、ネイティブセルラーワイヤレスリンク（たとえば、「帯域内」通信リンク）を介して、ＡＴ１１５など、様々な適宜に構成されたデバイスと通信するためのトランシーバモジュール２１０の一部としてのネイティブセルラーインターフェース（たとえば、動作中に比較的大きい電力量を消費し得るセルラーネットワーク通信技法を利用する特殊なトランシーバ）と通信していることがある。そのような通信インターフェースは、限定はしないが、広帯域符号分割多元接続（Ｗ−ＣＤＭＡ）、ＣＤＭＡ２０００、ｇｌｏｂａｌ  ｓｙｓｔｅｍ  ｆｏｒ  ｍｏｂｉｌｅ  ｔｅｌｅｃｏｍｍｕｎｉｃａｔｉｏｎ（ＧＳＭ）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭａｘ）、およびワイヤレスＬＡＮ（ＷＬＡＮ）を含む、様々な通信規格に従って動作し得る。同じくまたは代替的に、ＦＡＰ２３０ａは、様々なデバイスまたは他のネットワークと通信するためのトランシーバモジュール２１０の一部としての１つまたは複数のバックエンドネットワークインターフェース（たとえば、インターネット、パケット交換ネットワーク、交換ネットワーク、無線ネットワーク、制御ネットワーク、ワイヤードリンクなどを介して通信を行うバックホールインターフェース）と通信していることがある。
【００５６】
上記で説明したように、ＦＡＰ２３０ａはさらに、トランシーバモジュール２１０および／またはフェムトプロキシモジュール２４０ａの一部として１つまたは複数のＯＯＢインターフェースと通信していることがある。たとえば、ＯＯＢインターフェースは、動作中に比較的低い電力量を消費するトランシーバを含み得、および／または帯域内トランシーバに対して帯域内スペクトル中に生じる干渉が小さくなり得る。そのようなＯＯＢインターフェースは、ＡＴ１１５のＯＯＢ無線など、様々な適宜に構成されたデバイスに対して低電力ワイヤレス通信を行うために、実施形態に従って利用され得る。ＯＯＢインターフェースは、たとえば、Ｂｌｕｅｔｏｏｔｈリンク、超広帯域（ＵＷＢ）リンク、ＩＥＥＥ８０２．１１（ＷＬＡＮ）リンクなどを与え得る。
【００５７】
本明細書で使用する「高電力」と「低電力」という用語は相対語であり、特定のレベルの電力消費を暗示しない。したがって、ＯＯＢデバイス（たとえば、ＯＯＢフェムトプロキシモジュール２４０ａ）は、所与の動作時間の間、（たとえば、マクロＷＷＡＮ通信のための）ネイティブセルラーインターフェースよりも消費電力が少なくなり得るにすぎない。いくつかの実装形態では、ＯＯＢインターフェースはまた、マクロ通信インターフェースと比較して、比較的より低い帯域幅の通信、比較的より短い距離の通信を行い、および／または比較的より低い電力を消費する。ＯＯＢデバイスおよびインターフェースが低電力、短距離、および／または低帯域幅であるという制限はない。デバイスは、ＩＥＥＥ８０２．１１、Ｂｌｕｅｔｏｏｔｈ、ＰＥＡＮＵＴ、ＵＷＢ、ＺｉｇＢｅｅ（登録商標）、ＩＰトンネル、ワイヤードリンクなど、ワイヤレスまたはそれ以外に関わらず、任意の好適な帯域外リンクを使用し得る。その上、デバイスは、仮想ＯＯＢリンクとして働くワイヤレスワイドエリアネットワーク（ＷＷＡＮ）リンク上のＩＰベースの機構（たとえば、ＷＷＡＮリンク上のＩＰトンネル）などの使用によって、仮想ＯＯＢリンクを利用し得る。
【００５８】
フェムトプロキシモジュール２４０ａは、様々なタイプのＯＯＢ機能を与え得、様々な方法で実装され得る。フェムトプロキシモジュール２４０ａは、スタンドアロンプロセッサベースシステム、ホストデバイスと統合されたプロセッサベースシステム（たとえば、アクセスポイント、ゲートウェイ、ルータ、スイッチ、リピータ、ハブ、コンセントレータなど）など、様々な構成のいずれかを有し得る。たとえば、フェムトプロキシモジュール２４０ａは、様々なタイプの通信を可能にするための様々なタイプのインターフェースを含み得る。
【００５９】
いくつかのフェムトプロキシモジュール２４０ａは、本明細書ではワイヤレスリンクを介して干渉緩和および／またはフェムトセル選択を行うために、他の適宜に構成されたデバイス（たとえば、ＡＴ１１５）と通信するためのトランシーバモジュール２１０の一部としての１つまたは複数のＯＯＢインターフェース（たとえば、動作中に比較的低い電力量を消費し得、および／または帯域内スペクトル中よりも生じる干渉が少なくなり得るトランシーバ）を含む。好適な通信インターフェースの一例は、時分割複信（ＴＤＤ）方式を使用するＢｌｕｅｔｏｏｔｈ対応トランシーバである。
【００６０】
フェムトプロキシモジュール２４０ａはまた、様々なデバイスまたはネットワークと通信するために、トランシーバモジュール２１０の一部として１つまたは複数のバックエンドネットワークインターフェース（たとえば、パケット交換ネットワークインターフェース、交換ネットワークインターフェース、無線ネットワークインターフェース、制御ネットワークインターフェース、ワイヤードリンクなど）を含み得る。ＦＡＰ２３０ａなど、ホストデバイス内に統合されたフェムトプロキシモジュール２４０ａは、所望される場合、フェムトプロキシモジュール２４０ａと他のデバイスとの間の通信を行うために、バックエンドネットワークインターフェースの代替として内部バスまたは他のそのような通信インターフェースを利用し得る。追加または代替として、フェムトプロキシモジュール２４０ａとＦＡＰ２３０ａおよび／または他のデバイスもしくはネットワークとの間の通信を行うために、ＯＯＢインターフェース、ネイティブセルラーインターフェースなど、他のインターフェースが利用され得る。
【００６１】
（たとえば、ＦＡＰ２３０ａおよび／またはフェムトプロキシモジュール２４０ａの通信機能を含む）様々な通信機能は、通信管理サブシステム２５０を使用して管理され得る。たとえば、通信管理サブシステム２５０は、マクロ（たとえば、ＷＷＡＮ）ネットワーク、１つまたは複数のＯＯＢネットワーク（たとえば、ピコネット、ＡＴ１１５のＯＯＢ無線、他のフェムトプロキシ、ＯＯＢビーコンなど）、１つまたは複数の他のフェムトセル（たとえば、ＦＡＰ２３０）、ＡＴ１１５などとの通信を少なくとも部分的に処理し得る。たとえば、通信管理サブシステム２５０は、バスを介してフェムトプロキシシステム２９０ａの他の構成要素の一部または全部と通信しているフェムトプロキシシステム２９０ａの構成要素であり得る。
【００６２】
図２Ａによって示されるアーキテクチャ以外の様々な他のアーキテクチャが可能である。ＦＡＰ２３０ａとフェムトプロキシモジュール２４０ａは、コロケートされ、単一のデバイス中に統合され、構成要素などを共有するように構成されることもされないこともある。たとえば、図２Ａのフェムトプロキシシステム２９０ａは、アンテナ２０５とトランシーバモジュール２１０とメモリ２１５とプロセッサモジュール２２５とを含む、構成要素を少なくとも部分的に共有する統合されたＦＡＰ２３０ａとフェムトプロキシモジュール２４０ａとを有する。
【００６３】
図２Ｂに、図２Ａに示したアーキテクチャとは異なるフェムトプロキシシステム２９０ｂのアーキテクチャを含むワイヤレス通信システム２００ｂのブロック図を示す。フェムトプロキシシステム２９０ａと同様に、フェムトプロキシシステム２９０ｂは、フェムトプロキシモジュール２４０ｂとＦＡＰ２３０ｂとを含む。ただし、システム２９０ａとは異なり、フェムトプロキシモジュール２４０ｂおよびＦＡＰ２３０ｂの各々は、それ自体のアンテナ２０５と、トランシーバモジュール２１０と、メモリ２１５と、プロセッサモジュール２２５とを有する。両方のトランシーバモジュール２１０は、それらのそれぞれのアンテナ２０５を介してＡＴ１１５と双方向に通信するように構成される。（たとえば、一般にバックホールネットワークを介して）マクロ通信ネットワーク１００ｂと双方向通信しているＦＡＰ２３０ｂのトランシーバモジュール２１０−１が示されている。
【００６４】
説明のために、フェムトプロキシシステム２９０ｂは、別個の通信管理サブシステム２５０なしに示されている。いくつかの構成では、通信管理サブシステム２５０がフェムトプロキシモジュール２４０ｂとＦＡＰ２３０ｂの両方に設けられる。他の構成では、通信管理サブシステム２５０はフェムトプロキシモジュール２４０ｂの一部として実装される。さらに他の構成では、通信管理サブシステム２５０の機能は、フェムトプロキシモジュール２４０ｂとＦＡＰ２３０ｂの一方または両方の（たとえば、メモリ２１５−１中のソフトウェア２２０−１として記憶される）コンピュータプログラム製品として実装される。
【００６５】
さらに他の構成では、通信管理サブシステム２５０の機能の一部または全部はプロセッサモジュール２２５の構成要素として実装される。図３に、通信管理サブシステム２５０の機能を実装するためのプロセッサモジュール２２５ａのブロック図３００を示す。プロセッサモジュール２２５ａは、ＷＷＡＮ通信コントローラ３１０とアクセス端末コントローラ３２０とを含む。プロセッサモジュール２２５ａは、（たとえば、図２Ａおよび図２Ｂに示したように）ＦＡＰ２３０およびフェムトプロキシモジュール２４０と通信している。ＷＷＡＮ通信コントローラ３１０は、指定されたＡＴ１１５のためのＷＷＡＮ通信（たとえば、ページ）を受信するように構成される。アクセス端末コントローラ３２０は、ＦＡＰ２３０および／またはフェムトプロキシモジュール２４０の動作に影響を及ぼすことを含めて、通信をどのように処理すべきかを判断する。
【００６６】
図２ＡのＦＡＰ２３０ａと図２ＢのＦＡＰ２３０ｂの両方は、マクロ通信ネットワーク１００ａのみに通信リンクを与えるものとして示されている。しかしながら、ＦＡＰ２３０は、多くの様々なタイプのネットワークおよび／またはトポロジーを介して通信機能を与え得る。たとえば、ＦＡＰ２３０は、セルラー電話網、セルラーデータネットワーク、ローカルエリアネットワーク（ＬＡＮ）、メトロポリタンエリアネットワーク（ＭＡＮ）、ワイドエリアネットワーク（ＷＡＮ）、公衆交換電話網（ＰＳＴＮ）、インターネットなどのためのワイヤレスインターフェースを与え得る。
【００６７】
図４Ａおよび図４Ｂに、様々なサービスを提供するための通信ネットワークにおけるフェムトセルアーキテクチャに関してさらなる詳細を示す。詳細には、図４Ａに、レガシー回線サービスのための例示的なフェムトセルアーキテクチャに関する詳細を示す。たとえば、図４ＡのネットワークはＣＤＭＡ  １Ｘ回線交換サービスネットワークであり得る。図４Ｂに、レガシーインターフェースを使用するパケットデータサービスアクセスのための例示的なフェムトセルアーキテクチャに関する詳細を示す。たとえば、図４Ｂのネットワークは１ｘ  ＥＶ−ＤＯ（ＨＲＰＤ）パケットデータサービスネットワークであり得る。これらのアーキテクチャは、図１〜図３に示した通信システムおよびネットワークの考えられる部分を示している。
【００６８】
上記で説明したように、フェムトプロキシシステム２９０は、ＡＴ１１５を含むクライアントデバイスと通信するように構成される。図５に、図１〜図４Ｂの通信システムおよびネットワークのコンテキストにおいて図２Ａおよび図２Ｂのフェムトプロキシシステム２９０とともに使用するモバイルアクセス端末（ＡＴ）１１５ａのブロック図５００を示す。ＡＴ１１５ａは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。明快のために、ＡＴ１１５ａは、モバイル動作を可能にするために、小さいバッテリーなど、内部電源（図示せず）を有するモバイル構成で与えられると仮定する。
【００６９】
ＡＴ１１５ａは、アンテナ５０５と、トランシーバモジュール５１０と、メモリ５１５と、プロセッサモジュール５２５とを含み、その各々は、（たとえば、１つまたは複数のバスを介して）互いと直接または間接的に通信し得る。トランシーバモジュール５１０は、上記で説明したように、アンテナ５０５ならびに／あるいは１つまたは複数のワイヤードもしくはワイヤレスリンクを介して、１つまたは複数のネットワークと双方向に通信するように構成される。たとえば、トランシーバモジュール５１０は、マクロ通信ネットワーク（たとえば、図１の通信システム１００）のＢＴＳ１０５と、また、特に、少なくとも１つのＦＡＰ２３０と双方向に通信するように構成される。
【００７０】
上記で説明したように、トランシーバモジュール５１０は、１つまたは複数のＯＯＢリンクを介してさらに通信するように構成され得る。たとえば、トランシーバモジュール５１０は、ＦＡＰ２３０への帯域内（たとえば、マクロ）リンクと、フェムトプロキシモジュール２４０への少なくとも１つのＯＯＢリンクの両方を介して（たとえば、図２Ａおよび図２Ｂを参照しながら説明したように）フェムトプロキシシステム２９０と通信する。トランシーバモジュール５１０は、パケットを変調し、変調されたパケットを送信のためにアンテナ５０５に供給し、アンテナ５０５から受信されたパケットを復調するように構成されたモデムを含み得る。ＡＴ１１５ａは単一のアンテナ５０５を含み得るが、ＡＴ１１５ａは、一般に、複数のリンクのための複数のアンテナ５０５を含む。
【００７１】
メモリ５１５は、ランダムアクセスメモリ（ＲＡＭ）と読取り専用メモリ（ＲＯＭ）とを含み得る。メモリ５１５は、実行されるとプロセッサモジュール５２５に本明細書で説明する様々な機能（たとえば、呼処理、データベース管理、メッセージルーティングなど）を実行させるように構成された命令を含んでいるコンピュータ可読、コンピュータ実行可能ソフトウェアコード５２０を記憶し得る。代替的に、ソフトウェア５２０は、プロセッサモジュール５２５によって直接的に実行可能でないことがあるが、たとえば、コンパイルされ実行されると、コンピュータに本明細書で説明する機能を実行させるように構成され得る。
【００７２】
プロセッサモジュール５２５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール５２５は、マイクロフォンを介してオーディオを受信し、そのオーディオを、受信したオーディオを表す（たとえば、長さ３０ｍｓの）パケットに変換し、そのオーディオパケットをトランシーバモジュール５１０に供給し、ユーザが話しているかどうかの指示を与えるように構成された音声エンコーダ（図示せず）を含み得る。代替的に、エンコーダはパケットのみをトランシーバモジュール５１０に供給し、パケット自体の供給または抑制／抑圧が、ユーザが話しているかどうかの指示を与え得る。
【００７３】
図５のアーキテクチャによれば、ＡＴ１１５ａは通信管理サブシステム５４０をさらに含む。通信管理サブシステム５４０は、マクロ（たとえば、ＷＷＡＮ）ネットワーク、１つまたは複数のＯＯＢネットワーク（たとえば、ピコネット、フェムトプロキシモジュール２４０など）、１つまたは複数のフェムトセル（たとえば、ＦＡＰ２３０）、（たとえば、２次ピコネットのマスタとして働く）他のＡＴ１１５などとの通信を管理し得る。たとえば、通信管理サブシステム５４０は、バスを介してＡＴ１１５ａの他の構成要素の一部または全部と通信しているＡＴ１１５ａの構成要素であり得る。代替的に、通信管理サブシステム５４０の機能は、トランシーバモジュール５１０の構成要素として、コンピュータプログラム製品として、ならびに／あるいはプロセッサモジュール５２５の１つまたは複数のコントローラ要素として実装される。
【００７４】
ＡＴ１１５ａは、マクロ（たとえば、セルラー）ネットワークと、１つまたは複数のＯＯＢネットワーク（たとえば、フェムトプロキシモジュール２４０リンク）の両方とインターフェースするための通信機能を含む。たとえば、いくつかのＡＴ１１５は、ネイティブセルラーワイヤレスリンクを介して他の適宜に構成されたデバイスと通信するために（たとえば、ＦＡＰ２３０を介したマクロ通信ネットワークとのリンクを確立するために）トランシーバモジュール５１０または通信管理サブシステム５４０の一部としてネイティブセルラーインターフェース（たとえば、動作中に比較的大きい電力量を消費するセルラーネットワーク通信技法を利用するトランシーバ）を含む。ネイティブセルラーインターフェースは、限定はしないが、Ｗ−ＣＤＭＡ、ＣＤＭＡ２０００、ＧＳＭ、ＷｉＭａｘ、およびＷＬＡＮを含む１つまたは複数の通信規格に従って動作し得る。
【００７５】
さらに、ＡＴ１１５は、ワイヤレスリンクを介して他の適宜に構成されたデバイスと通信するためのトランシーバモジュール５１０および／または通信管理サブシステム５４０の一部として実装されたＯＯＢインターフェース（たとえば、動作中に比較的低い電力量を消費し得、および／または帯域内スペクトル中よりも生じる干渉が少なくなり得るトランシーバ）をも含み得る。好適なＯＯＢ通信インターフェースの一例は、時分割複信（ＴＤＤ）方式を使用するＢｌｕｅｔｏｏｔｈ対応トランシーバである。
【００７６】
アクティブハンドイン実施形態
多くの場合、アクティブユーザ（アクティブＡＴ１１５）にシームレスなボイスおよびデータサービスを提供するために、ハンドオフを使用して、マクロセル（たとえば、図１のマクロＢＴＳ１０５）からＦＡＰ２３０へのアクティブハンドイン、および／またはＦＡＰ２３０からマクロＢＴＳ１０５へのアクティブハンドアウトをサポートすることが望ましい。アクティブハンドアウトは、比較的実装するのが簡単であり、レガシーマクロネットワーク１００およびＡＴ１１５をもつたいていの事業者によってサポートされる。しかしながら、アクティブハンドインは難しく、一般に事業者によってサポートされない。
【００７７】
たとえば、ＡＴ１１５が、マクロネットワーク１００とのアクティブ通信の過程で（たとえば、ボイス呼、アクティブデータ転送中などに）移動するとき、ハンドオフが必要である（たとえば、現在のマクロＢＴＳ１０５信号が弱くなり得る）という判断が行われ得る。ハンドオフの必要性は、アクティブＡＴ１１５によって送られる測定報告に従って判断され得る。特に、「測定報告」という句は、概して３ＧＰＰネットワークに関連し得るが、本明細書では、（たとえば、３ＧＰＰ２ネットワークでは、「ＰＳＭＭ」またはパイロット強度測定値を含む）同様のタイプのネットワークにおける同様のタイプの測定報告を含むものとする。
【００７８】
測定報告は、ＡＴ１１５によって観測されたパイロットの強度の測定値と、ターゲットセルの順方向リンクセル識別子とを含む。セル識別子は、特定のセルを識別するためにマクロネットワーク１００によって使用される任意の識別子であり得る。たとえば、セル識別子は、３ＧＰＰ２ネットワークにおける「ＰＮオフセット」、３ＧＰＰネットワークにおける「ＰＳＣ」（プライマリスクランブリングコード）などであり得る。典型的なマクロネットワーク１００上では、マクロＢＴＳ１０５の地理的分布が与えられれば、各マクロＢＴＳ１０５が、それのセル識別子によって（たとえば、マクロネットワーク１００中の基地局コントローラ（ＢＳＣ）１２０、ネットワークのコア中のモバイル交換センター（ＭＳＣ）などによって）効果的に一意に識別され得ることを実質的に保証するのに十分なセル識別子（たとえば、ＰＮオフセット）が利用可能である。
【００７９】
マクロＢＴＳ１０５は、マクロネットワーク１００によって効果的に一意に識別され得るが、一般に、ネットワークに追加されるすべてのＦＡＰ２３０を一意に識別するのに十分な残っているセル識別子がない。たとえば、典型的なマクロネットワーク１００は、それのネットワーク中のすべてのセルに割り当てるのに利用可能な５１２個のＰＮオフセット値を有し得る。ＰＮオフセットは、混乱なしに効果的に識別され得るセルの数を拡張するために異なるキャリア上で、異なる地理的領域中などで再利用され得る。しかしながら、ＰＮオフセット値の小部分のみ（すなわち、マクロＢＴＳ１０５が使用する、予約された値以外）が、ＦＡＰ２３０が使用するのに利用可能であり得、ＦＡＰの数および密度は一部のエリア中で比較的大きくなり得る。たとえば、場合によってはマクロセクタ当たり数百個のＦＡＰ２３０の間で少数のＰＮオフセット値のみが再利用されなければならない。
【００８０】
アクティブＡＴ１１５についてマクロＢＴＳ１０５へのハンドオフが（別のマクロＢＴＳ１０５からのハンドオフとして、またはＦＡＰ２３０からのハンドアウトとして）必要とされたとき、測定報告中で与えられたセル識別子は、ハンドオフのための適切なマクロＢＴＳ１０５を確実に判断するのに十分であり得る。アクティブ通信は、あいまいさなしに正しいターゲットセルにハンドオフされ得る。しかしながら、アクティブＡＴ１１５についてＦＡＰ２３０へのハンドオフが（マクロＢＴＳ１０５からのハンドインとして）必要とされたとき、測定報告中で与えられた同じセル識別子は、同じマクロセクタ中の複数のＦＡＰ２３０によって共有され得る。したがって、すべての場合においてハンドインのための適切なＦＡＰ２３０を確実に判断するのにセル識別子のみでは不十分なことがある。たとえば、ＡＴ１１５はそれのホームＦＡＰ２３０の近くにあり得、そのホームＦＡＰ２３０にハンドインすることが望ましいことがあるが、マクロセクタ中の別のＦＡＰ２３０が同じセル識別子に関連することがある。
【００８１】
いくつかのより新しいネットワークでは、この問題を緩和または解決し得る追加の識別子が利用可能である。たとえば、ＣＤＭＡ２０００ネットワークでは、セルは、アクセスポイント識別メッセージ（ＡＰＩＤＭ）、ロケーション情報、および／またはそれの（１つまたは複数の）セル識別子のみに基づく特定のＦＡＰ２３０の識別をより一意の信頼できるものにし得る他の情報をブロードキャストするようにアップグレードされる。アップグレードされたＡＴ１１５は、たとえば、近隣セルのＡＰＩＤＭメッセージを復号し、アクティブ通信中に測定報告中で識別子を報告することによって、（１つまたは複数の）新しいセル識別子を活用することができる。その場合、コントローラ（たとえば、マクロＢＳＣ１２０およびＭＳＣ）は、ターゲットＦＡＰ２３０を（たとえば、ＦＣＳに対して）一意に識別するために、ハンドオフメッセージ中にＡＰＩＤＭを含めることができる。この技法は、アップグレードされたネットワークとアップグレードされたＡＴ１１５との間の通信のためにのみ利用可能であることに留意することが重要である。エアインターフェースをアップグレードすることを希望しない事業者には、この技法は利用可能でない。
【００８２】
（レガシーＡＴ１１５と通信することを望んでいる事業者を含む）レガシーネットワークの事業者は、異なる方法でアクティブハンドインのこの困難に対処し得る。いくつかの典型的なネットワークはアクティブハンドインをまったくサポートしない。ハンドインがＡＴ１１５とのアクティブ通信を維持するための唯一の方法である場合、アクティブ通信が単に失われ得る（たとえば、マクロＢＴＳ１０５からの信号が失われたとき、ＡＴ１１５が場合によってはＦＡＰカバレージエリア中にあるときでも、呼が中断され得る）。
【００８３】
レガシーネットワークにおけるアクティブハンドインの困難に対処するための１つの技法によれば、一部の事業者はブラインドハンドオフを実装する。たとえば、測定報告が、同じマクロセクタ中の複数のＦＡＰ２３０によって共有されるセル識別子を含むとき、ネットワークは、ハンドインのためのそのセル識別子を有するＦＡＰ２３０のいずれかをブラインド選択し得る。ブラインド選択が適切なＦＡＰ２３０へのハンドインを生じる場合、ハンドインは成功し得る。しかしながら、ブラインド選択が、不適切なＦＡＰ２３０（たとえば、ＡＴ１１５のレンジ外にあるＦＡＰ２３０、ＡＴ１１５が接続することを許可されないＦＡＰ２３０など）へのハンドインを生じる場合、アクティブ通信が失われ得る。
【００８４】
別の技法に従って、事業者は、上記で説明したタイプのブラインドハンドインを改善するために逆方向リンク感知を使用する。逆方向リンク感知は、ハンドインのために識別されたセル識別子を共有するＦＡＰ２３０の間での選択に関する、経験に基づく推測（educated guess）、さらには正確な判断を生じ得る。たとえば、上記で説明したように、マクロネットワーク１００とアクティブ通信中のＡＴ１１５は、測定報告（たとえば、ＭＲ、ＰＳＭＭなど）をソースマクロＢＴＳ１０５（ＡＴ１１５が現在それを介して通信しているマクロＢＴＳ１０５）に送り、測定報告は、最も強い近隣セルとしてのターゲットＦＡＰ２３０のセル識別子（たとえば、ＰＮオフセット、ＰＳＣなど）を含む。測定報告に基づいて、ソースマクロＢＴＳ１０５は、ハードハンドオフを実行することを判断する。ソースマクロＢＴＳ１０５は、（たとえば、それのソースＢＳＣ１２０を介して）ハンドオフ必要メッセージ（Handoff Required message）をそれのソースＭＳＣに送り、ソースＭＳＣは、コアネットワークメッセージングを介してＦＡＣＤＩＲ２メッセージをターゲットフェムトコンバージェンスシステム（ＦＣＳ）に送る。本明細書で使用するＦＣＳは、ＦＡＰ２３０とコアネットワークとの間のインターフェースを与えるための任意のタイプのインターフェースゲートウェイを含むものとする。一般に、ＦＣＳはフェムトコンバージェンスサーバとして実装される。コアネットワークメッセージングは、ハンドオフを開始するようにターゲットＦＣＳに指示し得る。
【００８５】
ターゲットＦＣＳが適切なターゲットＦＡＰ２３０を確実に判断することができない（すなわち、複数のＦＡＰ２３０が測定報告のセル識別子を共有する）と仮定すると、ターゲットＦＣＳは、セル識別子を共有するすべてのＦＡＰ２３０に測定要求メッセージを送る。測定要求は、ＡＴ１１５のパブリックロングコードマスク（たとえば、スクランブリングコード、ＩＭＳＩなど）を含み得る。一般に、測定要求は、シリアル化された応答を待つことを回避するために、すべての潜在的なターゲットＦＡＰ２３０に同時に送られる。このメッセージを受信すると、ＦＡＰ２３０は、それのロングコードマスクによってＡＴ１１５を検出し、ＡＴ１１５の逆方向リンクの信号強度を測定しようと試みる。各ＦＡＰ２３０は、少なくとも、ＡＴ１１５の逆方向リンク上で測定された信号強度を与えてターゲットＦＣＳに応答する。場合によっては、ＦＡＰ２３０は、ＡＴ１１５（たとえば、それらのそれぞれのＩＭＳＩ）がＦＡＰ２３０を介してサービスにアクセスすることを許可されるかどうかをさらに判断し、それに応じてＦＣＳに通知する。さらに、いくつかのＦＡＰ２３０は測定応答を送らないことがある。たとえば、いくつかのネットワーク構成は、ＡＴ１１５の検出が成功しなかったとき、測定結果が事業者の構成可能なしきい値を下回ったときなど、ＦＡＰ２３０が測定応答メッセージで応答することを省略することを可能にする。測定応答結果に基づいて、ターゲットＦＣＳは、適切なターゲットＦＡＰ２３０を一意に判断しようと試み、アクティブハンドインプロセスを続ける。
【００８６】
この逆方向リンク測定技法のいくつかの態様は注目に値する。一態様は、測定要求メッセージを候補ターゲットＦＡＰ２３０に送るときに、ターゲットＦＣＳが、一般に、ＦＡＰ２３０からの対応する測定応答メッセージの到着を待つためのタイマーのインスタンスを開始し得ることである。ＦＣＳがＦＡＰ２３０からの応答を待つ持続時間は、ＦＣＳと候補ターゲットＦＡＰ２３０のいずれかとの間の往復遅延＋いくつかのネットワーク構成要素に対する測定応答オプション中に含まれる測定応答タイマーフィールドの値を考慮するのに十分大きくなるべきである。これはハンドインに対して望ましくない遅延を課することがあり、その遅延は、最悪の場合、ハンドインプロセスを失敗させることがある。
【００８７】
逆方向リンク測定技法の別の態様は、各ＦＡＰ２３０が、ＡＴ１１５の逆方向リンクを測定することによってマクロネットワーク１００と通信している近くのアクティブＡＴ１１５の存在を検出するために、追加の無線受信機を必要とし得ることである。逆方向リンク感知を可能にするために追加の無線受信機を含むことは、望ましくないことがある（たとえば、それがＦＡＰ２３０設計および実装形態のコストおよび複雑さを増大させ得る）。逆方向リンク測定技法のさらに別の態様は、ＦＡＰ２３０によるＡＴ１１５の逆方向リンク測定が完全には信頼できないことである。たとえば、ＡＴ１１５がセルエッジにあるとき、ＡＴ１１５は、２つ以上のＦＡＰ２３０がＡＴ１１５を同時に検出し得るような、より高い送信電力を有し得る。同様に、ＡＴ１１５があまりに低い電力で送信しているとき、ＦＡＰ２３０はＡＴ１１５を検出しないことがある。
【００８８】
次に、レガシーシステムの事業者が、既存の技法を使用してＦＡＰ２３０へのアクティブハンドインを確実にサポートすることができないことがあることが諒解されよう。実施形態は、レガシーネットワークおよび／またはレガシーＡＴ１１５のためのアクティブハンドインをサポートするための新規の技法を含む。図６Ａを参照すると、アクティブハンドインを可能にするための通信システム６００ａの簡略化ネットワーク図が示されている。
【００８９】
通信システム６００ａは、マクロネットワーク１００と、ユーザローカルネットワーク６１０と、コアネットワーク６３０とを含む。コアネットワーク６３０は、特に、フェムトコンバージェンスシステム（ＦＣＳ）６４０とモバイル交換センター（ＭＳＣ）６５０とを含む。ＦＣＳ６４０は、いくつかのＦＡＰ２３０（明快のためにただ１つのＦＡＰ２３０が示されている）と通信しており、ＭＳＣ６５０は、１つまたは複数のマクロＢＳＣ１２０を介して複数のマクロＢＴＳ１０５（明快のためにただ１つのマクロＢＴＳ１０５が示されている）と通信している。セルラー通信が、ＦＣＳ６４０およびＭＳＣ６５０の機能を使用してＦＡＰ２３０によって可能にされ得るように、ＦＡＰ２３０は、コアネットワーク６３０要素を介してマクロネットワーク１００と通信している。
【００９０】
（マクロ通信リンク６６０を介して）マクロＢＴＳ１０５とアクティブ通信中のＡＴ１１５は、ＦＡＰ２３０のカバレージエリアに接近し得る。上記で説明したように、マクロネットワーク１００（たとえば、マクロＢＳＣ１２０）は、ＡＴ１１５からの測定報告に基づいてハンドオフが必要とされると判断する。測定報告は、それのセル識別子（たとえば、それのＰＮオフセット）によってターゲットＦＡＰ２３０を識別する。次いで、ハンドインのための適切なＦＡＰ２３０を識別するために、ハンドオフ要求が、ＭＳＣ６５０によってターゲットＦＣＳ６４０に送られ得る。
【００９１】
説明したように、特に複数のＦＡＰ２３０がセル識別子を共有する場合、ＦＣＳ６４０が、セル識別子のみを使用してハンドインのための適切なターゲットＦＣＳ２３０を確実に判断することは、困難または不可能であり得る。いくつかの実施形態は、フェムトプロキシシステム２９０の特徴を活用する。図示のように、ユーザローカルネットワーク６１０は、フェムトプロキシシステム２９０の一部としてフェムトプロキシモジュール２４０のＯＯＢ機能に統合されたＦＡＰ２３０機能を含む。このＯＯＢ機能は、ＡＴ１１５とフェムトプロキシモジュール２４０との間に確立され得るＯＯＢ通信リンク６７０を介して可能にされる。
【００９２】
多くの様々なタイプの帯域外通信がここで説明した機能を（たとえば、上記で説明したように）可能にするために使用され得るが、以下の説明では、これらの実施形態のＯＯＢ通信を可能にするものとして、Ｂｌｕｅｔｏｏｔｈに焦点を当てる。Ｂｌｕｅｔｏｏｔｈは、いくつかの特徴を与える。１つの特徴は、Ｂｌｕｅｔｏｏｔｈ機能が、それらの既存のＡＴ１１５を修正することなしに多くのユーザのために活用され得るように、Ｂｌｕｅｔｏｏｔｈ無線が多くのＡＴ１１５中に統合されることである。別の特徴は、２つの「クラス１．５」Ｂｌｕｅｔｏｏｔｈデバイス間の許容経路損失が、ＦＡＰ２３０とＡＴ１１５との間と同等、またはそれよりもさらに高くなり得ることである。任意の所与の環境では、このより高い許容経路損失は、（たとえば、本明細書で説明するように、ＦＡＰ２３０発見、ハンドオーバ、および／または干渉緩和を可能にする）より高い有効レンジにつながることができる。
【００９３】
Ｂｌｕｅｔｏｏｔｈのさらに別の特徴は、Ｂｌｕｅｔｏｏｔｈアドレス（ＢＤ＿ＡＤＤＲ）が、各Ｂｌｕｅｔｏｏｔｈ対応デバイスを識別するために使用される一意の４８ビットアドレスであることである。Ｂｌｕｅｔｏｏｔｈアドレスは、デバイスが別のデバイスと通信するときに使用され、２４ビットＬＡＰ（下位アドレス部）と、１６ビットＮＡＰ（非有意アドレス部：Non-significant Address Part）と、８ビットＵＡＰ（上位アドレス部）とに分割される。ＬＡＰは製造業者によって割り当てられ、Ｂｌｕｅｔｏｏｔｈデバイスごとに一意であるが、ＵＡＰおよびＮＡＰはＯｒｇａｎｉｚａｔｉｏｎａｌｌｙ  Ｕｎｉｑｕｅ  Ｉｄｅｎｔｉｆｉｅｒ（ＯＵＩ）の一部である。Ｂｌｕｅｔｏｏｔｈアドレスを使用して、任意のデバイスにおける各Ｂｌｕｅｔｏｏｔｈアダプターは、グローバル一意値に従って識別され得る。
【００９４】
以下でより十分に説明するように、実施形態は、レガシーマクロネットワーク１００および／またはレガシーＡＴ１１５への変更が最小であるかまたはなしでアクティブハンドインをサポートするために、図６の通信システム６００のようなシステムのコンテキストにおいて動作し得る。そのような実施形態の１つのセットは、アクティブハンドインを可能にするためにＡＴ１１５およびＦＣＳ６４０への修正を使用する。特に、ＦＡＰ２３０のＯＯＢ識別子は、ＦＣＳ６４０によるターゲットＦＡＰ２３０の識別を可能にするために、ＡＴ１１５によって検出され、測定報告の一部として通信される。
【００９５】
ＡＴ１１５およびＦＡＰ２３０の各々は、他のデバイスをページングする（たとえば、ＡＴ１１５がＦＡＰ２３０をページングするか、またはＦＡＰ２３０がＡＴ１１５をページングする）ために使用される一意のＢｌｕｅｔｏｏｔｈデバイスアドレス（ＢＤ＿ＡＤＤＲ）を有する。他のデバイスのＢＤ＿ＡＤＤＲがページングデバイスによって知られていることを理解されたい。特に、同じまたは同様の技法は、他のタイプの帯域外アドレス指定のために使用され得る。たとえば、デバイスは、互いのＷｉＦｉ  ＭＡＣアドレスなどを知り得る。ＡＴ１１５は、その場合、マクロネットワーク１００がアクティブハンドインを実施するのを支援し得る。
【００９６】
フェムトプロキシモジュール２４０とのＯＯＢ通信リンク６７０が確立された後、ＡＴ１１５は、それの測定報告の一部としてターゲットＦＡＰ２３０のセル識別子（たとえば、ＰＮオフセット）とＯＯＢ識別子（たとえば、Ｂｌｕｅｔｏｏｔｈデバイスアドレス）とをＭＳＣ６５０に通信し得る。ＦＣＳ６４０は、セル識別子とＯＯＢ識別子との間のマッピングを維持し、次いで、そのマッピングは、アクティブハンドインのためにターゲットＦＡＰ２３０を一意に識別するために使用され得る。
【００９７】
ＡＴ１１５支援アクティブハンドインのための技法は、すべての目的のために、参照により本明細書に組み込まれる、「A method for uniquely identifying target femtocell to facilitate FAP assisted active hand-in」と題する２０１０年４月２３日に出願された米国仮特許出願第６１／３２７，４４５号により十分に記載されている。特に、この技法は、ＡＴ１１５「エアインターフェース」におけるアップグレードに関与する（すなわち、新しいメッセージ、または既存のメッセージの修正に関与する）。また、新しいＡＴ１１５メッセージングの適切な通信は、マクロＢＳＣ１２０、ＭＳＣ６５０、ＦＣＳ６４０、およびＦＡＰ２３０への変更に関与し得る。レガシーマクロネットワーク１００へのこれらの変更は、大部分は（ハードウェアアップグレードではなく）ソフトウェアアップグレードであり得るが、事業者は、依然として変更を実装したがらないことがある。
【００９８】
実施形態の別のセットは、レガシーマクロネットワーク１００とレガシーＡＴ１１５の両方のためのアクティブハンドインをサポートする。特に、ＦＡＰ２３０およびＦＣＳ６４０への変更は、ＦＡＰ２３０支援アクティブハンドインを可能にし得る。ＦＡＰ２３０支援ハンドインの実施形態は、エアインターフェース、マクロＢＳＣ１２０、またはＭＳＣ６５０への変更なしに実装され得る。ＦＡＰ２３０支援ハンドインは、（たとえば、ＡＴ１１５をＦＣＳ６４０に効果的に事前登録するためにＯＯＢ存在指示を使用して）ＦＣＳ６４０におけるＡＴ１１５のＦＡＰ２３０による登録を活用する。ＡＴ１１５を示唆するハンドオフ指示がＦＣＳ６４０において受信されると、ハンドインのための適切なターゲットＦＡＰ２３０を判断するのを助けるために、ＡＴ１１５の登録がＦＣＳ６４０によって使用され得る。
【００９９】
図２Ａを参照しながら上記で説明したように、ＦＡＰ２３０の実施形態は、ＡＴマッピング２１９を維持する。一般に、ＡＴマッピング２１９は、各ＡＴ１１５のセル識別子（たとえば、国際モバイル加入者識別情報（ＩＭＳＩ）、モバイル機器識別子（ＭＥＩＤ： Mobile Equipment Identifier）、電子シリアル番号（ＥＳＮ：Electronic Serial Number）など）をＡＴ１１５のＯＯＢ無線に対応するＯＯＢ識別子（たとえば、Ｂｌｕｅｔｏｏｔｈデバイスアドレス、ＷｉＦｉ  ＭＡＣアドレスなど）とマッピングする。いくつかの実施形態では、たとえば、パブリックロングコードマスクを含めて、さらなるマッピングがＡＴマッピング２１９によってＡＴ１１５ごとに維持される。ＦＡＰ２３０が制限付きアクセスフェムトセルであるとき、ＡＴマッピング２１９は許可されたユーザのためにのみ維持され得る。たとえば、アクセス制御リストは、ＡＴマッピング２１９を含むか、またはＡＴマッピング２１９に関連するＦＡＰ２３０において維持される。
【０１００】
特に、ＡＴマッピング２１９を確立するための様々な方法があり得る。１つの例示的な技法によれば、ＡＴ１１５は特定の番号に発呼し、それにより、ＡＴ１１５とＦＡＰ２３０との間のＯＯＢペアリング（たとえば、Ｂｌｕｅｔｏｏｔｈペアリング）を自動的にトリガし得る。このようにして、ＡＴ識別子とＯＯＢ識別子との間のマッピングが確立される。別の例示的な技法によれば、ユーザは、ＡＴ１１５のセル識別子（たとえば、ＩＭＳＩ）とＯＯＢ識別子（たとえば、ＢＤ＿ＡＤＤＲ）とをＦＡＰ２３０におけるユーザインターフェースに手動で入力する。さらに別の例示的な技法によれば、ユーザは、ポータル（たとえば、ウェブページ）を介してマッピング情報を入力し、ＦＡＰ２３０は、その情報をダウンロードする（たとえば、またはＦＡＰ２３０はウェブサーバを含み、ポータルはＦＡＰ２３０を直接アドレス指定する）。
【０１０１】
本明細書で説明するアクティブハンドイン機能は、ＯＯＢフェムトプロキシ２４０に統合されたＦＡＰ２３０を有するフェムトプロキシシステム２９０の使用に関与する。図６Ａに示したように、また、上記のいくつかの例示的な構成で説明したように、ＯＯＢフェムトプロキシ２４０は、ＦＡＰ２３０に通信可能に結合されたＯＯＢデバイス（たとえば、ＯＯＢ無線）を含む。たとえば、ＦＡＰ２３０とＯＯＢフェムトプロキシ２４０とは、単一のハウジングまたはアセンブリ中に物理的に統合され得る（たとえば、バスまたは何らかの他の内部接続を介して通信していることがある）か、またはＯＯＢフェムトプロキシ２４０は別個に格納され得、ワイヤードまたはワイヤレス接続を使用してＦＡＰ２３０と通信していることがある。一般に、ＯＯＢフェムトプロキシ２４０による近傍検出がＦＡＰ２３０の近傍をも示すように、ＯＯＢフェムトプロキシ２４０はＦＡＰ２３０の十分近くに配置される。
【０１０２】
いくつかの他の構成では、ＯＯＢフェムトプロキシ２４０は、物理的にではなく、論理的にＦＡＰ２３０に統合される（たとえば、構成要素は、場合によってはネットワークによって論理的に互いに関連することができる）。たとえば、ＯＯＢフェムトプロキシ２４０がＦＡＰ２３０から物理的に分離されても、ＯＯＢフェムトプロキシ２４０による近傍検出が、ＦＡＰ２３０の近傍に関連することができるように、構成要素は共通のサブネットの一部であり得る。図６Ｂに、ＯＯＢフェムトプロキシ２４０およびＦＡＰ２３０がコアネットワーク６３０に関して論理的に統合される、アクティブハンドインを可能にするための通信システム６００ｂの簡略ネットワーク図を示す。
【０１０３】
図６Ａの場合のように、通信システム６００ｂは、マクロネットワーク１００と、ユーザローカルネットワーク６１０と、コアネットワーク６３０とを含む。コアネットワーク６３０は、特に、フェムトコンバージェンスシステム（ＦＣＳ）６４０とモバイル交換センター（ＭＳＣ）６５０とを含む。ＦＣＳ６４０は、いくつかのＦＡＰ２３０（明快のためにただ１つのＦＡＰ２３０が示されている）と通信しており、ＭＳＣ６５０は、１つまたは複数のマクロＢＳＣ１２０を介して複数のマクロＢＴＳ１０５（明快のためにただ１つのマクロＢＴＳ１０５が示されている）と通信している。セルラー通信が、ＦＣＳ６４０およびＭＳＣ６５０の機能を使用してＦＡＰ２３０によって可能にされ得るように、ＦＡＰ２３０は、コアネットワーク６３０要素を介してマクロネットワーク１００と通信している。
【０１０４】
図示のように、ユーザローカルネットワーク６１０は、フェムトプロキシシステム２９０の一部としてＦＡＰ２３０とＯＯＢフェムトプロキシ２４０とを含む。ＯＯＢフェムトプロキシ２４０は、一体型ＯＯＢフェムトプロキシ／ルータ２４０ａとして示されている。たとえば、ブロードバンド通信サービスは、モデム６８０を介してユーザローカルネットワーク６１０に配信される。モデム６８０は、その場合、ローカルサブネットにブロードバンド通信サービスを提供するように構成されたＯＯＢフェムトプロキシ／ルータ２４０ａと通信している。たとえば、ＯＯＢフェムトプロキシ／ルータ２４０ａは、それのカバレージエリア中でＡＴ１１５が使用するＷｉＦｉ「ホットスポット」として働くＷｉＦｉルータである。
【０１０５】
例示的なシナリオによれば、ＡＴ１１５は、（たとえば、ＷｉＦｉカバレージエリア内の）ＯＯＢフェムトプロキシ／ルータ２４０ａの近傍中に移動し、ＡＴ１１５は、ＯＯＢフェムトプロキシ／ルータ２４０ａを検出するか、またはＯＯＢフェムトプロキシ／ルータ２４０ａによって検出される。たとえば、ＡＴ１１５は、（たとえば、ＡＴ１１５にすでに知られ得、前に許可され得るなどの）特定のＳＳＩＤをもつワイヤレスネットワークを検出する。ＡＴ１１５にサービスを提供するより前に、ＯＯＢフェムトプロキシ／ルータ２４０ａは、ＡＴ１１５にＩＰアドレスを割り当てようと試み得る。割当てプロセスの一部として、ＯＯＢフェムトプロキシ／ルータ２４０ａは、サブネット上のすべてのデバイスにＤＨＣＰ要求をブロードキャストする。
【０１０６】
ＦＡＰ２３０は、ＯＯＢフェムトプロキシ／ルータ２４０ａによって与えられるサブネット上のデバイスであるように構成される。特に、ＯＯＢフェムトプロキシ２４０とＦＡＰ２３０とは、物理的な連結、物理的な統合などが行われることも行われないこともある。しかしながら、ＯＯＢフェムトプロキシ２４０とＦＡＰ２３０とがユーザローカルネットワーク６１０中の同じサブネットの一部であるので、ＦＡＰ２３０はＯＯＢフェムトプロキシ／ルータ２４０ａからＤＨＣＰ要求を受信する。ＤＨＣＰ要求は、ＡＴ１１５のＷｉＦｉ  ＭＡＣアドレス（たとえば、または他の同様のタイプの識別子）を含む。
【０１０７】
ＦＡＰ２３０において、ＡＴ１１５のＭＡＣアドレスとそれのセル識別子（たとえば、ＩＭＳＩ、ＭＥＩＤ、ＥＳＮなど）との間のマッピングが維持される。ＦＡＰ２３０が、（たとえば、それのアクセスリストの一部であるＡＴ１１５、セルフォンであることが知られているＡＴ１１５などについて）認識されるＭＡＣアドレスをもつＤＨＣＰ要求を見ると、ＦＡＰ２３０は、アクティブハンドインを可能にするために、ＡＴ１１５のための対応するセル識別子をＦＣＳ６４０に送る。代替的に、ＡＴ１１５のＭＡＣアドレスとセル識別子との間のマッピングは、ＦＣＳ６４０において維持され得る。したがって、ＦＡＰ２３０はＭＡＣアドレスをＦＣＳ６４０に送ることができ、ＦＣＳ６４０は、ＡＴ１１５のための対応するセル識別子を取り出すことができる。
【０１０８】
ＯＯＢフェムトプロキシ２４０とＦＡＰ２３０とを同じサブネット上にあるように構成することにより、フェムトプロキシシステム２９０の構成要素が物理的に、あるいは統合されていない場合でも、それらの構成要素間の論理統合を行い得る。ＷｉＦｉ  ＭＡＣアドレスをセル識別子にマッピングすることにより、ＦＡＰ２３０との他のタイプのＯＯＢフェムトプロキシ２４０の統合に関して上記で説明したように（たとえば、図６Ａを参照しながら説明したように）、ＡＴ１１５が実質的に登録される（たとえば、事前登録される）ことが可能になる。
【０１０９】
特に、ただ１つのＦＡＰ２３０が示されているが、ＯＯＢフェムトプロキシ／ルータ２４０ａは複数のＦＡＰ２３０と通信していることがある。たとえば、企業コンテキストでは、いくつかのＦＡＰ２３０は、セルラーサービスカバレージを大きいエリア（たとえば、オフィスビル）まで拡張するために使用され得る。複数のＦＡＰ２３０、および複数のＯＯＢフェムトプロキシ２４０さえ、すべて、ルータによって可能にされる共通のサブネット（たとえば、ローカルエリアネットワーク）の一部であり得る。近接がサブネット上のどこかで検出されたとき、ルータは、アクティブハンドインの信頼性を改善するための適切なＤＨＣＰ要求および／または他のタイプのシグナリングをサブネット中のフェムトセルに送出することが可能であり得る。
【０１１０】
図６Ａおよび図６Ｂにおいて説明した構成は、例示的なものにすぎず、限定するものではない。ＯＯＢフェムトプロキシ２４０とＦＡＰ２３０との間の同じまたは同様のタイプの統合的な機能を提供するための他の構成が考えられる。たとえば、様々な実施形態によれば、多くの構成は、特定のＦＡＰ２３０への信頼できるアクティブハンドインを可能にするために、ＯＯＢ近傍検出が使用されることを可能にし得る。
【０１１１】
ＦＡＰ２３０支援ハンドインを可能にするために、図２Ａにおいて説明したＦＡＰのようなＦＡＰ２３０は、図７Ａおよび図７Ｂにおいて説明するＦＣＳなどのＦＣＳ６４０の実施形態と対話し得る。図７Ａに、フェムトコンバージェンスシステム（ＦＣＳ）６４０ａを含むワイヤレス通信システム７００ａのブロック図を示す。ＦＣＳ６４０ａは、通信管理サブシステム７１０と、フェムトインターフェースサブシステム７３０と、マクロインターフェースサブシステム７４０とを含む。ＦＣＳ６４０ａはまた、メモリ７１５とプロセッサモジュール７２５とを含む。ＦＣＳ６４０ａのすべての構成要素は、（たとえば、１つまたは複数のバスを介して）直接または間接的に互いに通信していることがある。
【０１１２】
コンテキストおよび明快のために、ＦＡＰ２３０と通信しているフェムトインターフェースサブシステム７３０が示されており、（ＭＳＣ６５０ならびに／あるいは１つまたは複数のマクロＢＳＣ（図示せず）を介して）マクロＢＴＳ１０５と通信しているマクロインターフェースサブシステム７４０が示されている。ＦＡＰ２３０支援ハンドインを可能にすることに関与するものを含む、様々な通信機能は、通信管理サブシステム７１０を使用して実装および／または管理される。たとえば、通信管理サブシステム７１０は、マクロインターフェースサブシステム７４０の機能を使用してマクロネットワーク要素との通信を少なくとも部分的に処理し得、フェムトインターフェースサブシステム７３０の機能を使用してＦＡＰ２３０との通信を少なくとも部分的に処理し得る。たとえば、通信管理サブシステム７１０は、バスを介してＦＣＳ６４０ａの他の構成要素の一部または全部と通信しているＦＣＳ６４０の構成要素であり得る。
【０１１３】
メモリ７１５は、ランダムアクセスメモリ（ＲＡＭ）と読取り専用メモリ（ＲＯＭ）とを含み得る。いくつかの実施形態では、メモリ７１５は、登録関係情報を維持するように構成される。以下でより十分に説明するように、登録関係情報は、ＦＡＰ２３０、ＡＴ１１５などのための識別子マッピング、ならびに登録メッセージ、フラグなどを含み得る。
【０１１４】
メモリ７１５はまた、実行されるとプロセッサモジュール７２５に本明細書で説明する様々な機能（たとえば、呼処理、データベース管理、メッセージルーティングなど）を実行させるように構成された命令を含んでいるコンピュータ可読、コンピュータ実行可能ソフトウェアコード７２０を記憶し得る。代替的に、ソフトウェア７２０は、プロセッサモジュール７２５によって直接的に実行可能でないことがあるが、たとえば、コンパイルされ実行されると、コンピュータに本明細書で説明する機能を実行させるように構成され得る。
【０１１５】
プロセッサモジュール７２５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール７２５の実施形態は、タイマー機能などの機能を可能にするように構成され得る。さらに、プロセッサモジュール７２５の実施形態は、通信管理サブシステム７１０、フェムトインターフェースサブシステム７３０、またはマクロインターフェースサブシステム７４０の機能の一部または全部を含むかまたは可能にする。
【０１１６】
たとえば、図７Ｂは、図７ＡのＦＣＳ６４０ａの代替構成であるＦＣＳ６４０ｂのブロック図を示している。図７ＡのＦＣＳ６４０ａの場合と同様に、図７ＢのＦＣＳ６４０ｂは、フェムトインターフェースサブシステム７３０と、マクロインターフェースサブシステム７４０と、メモリ７１５と、プロセッサモジュール７２５とを含み、そのすべては、（たとえば、１つまたは複数のバスを介して）直接または間接的に互いに通信している。図７ＡのＦＣＳ６４０ａとは異なり、図７ＢのＦＣＳ６４０ｂは通信管理コントローラ７１０を含む。通信管理コントローラ７１０の実施形態は、図７Ａに示す通信管理サブシステム７１０の機能と実質的に同じ機能を与えるために、プロセッサモジュール７２５の一部として実装される。
【０１１７】
上記で説明したように、図７Ａおよび図７Ｂにおいて説明したＦＣＳなどのＦＣＳ６４０の実施形態は、ＦＡＰ２３０支援ハンドインを可能にするために、図２Ａにおいて説明したＦＡＰのようなＦＡＰ２３０と対話することができる。たとえば、ＡＴ１１５がＦＡＰ２３０に接近したとき、ＦＡＰ２３０は、ＯＯＢリンク（たとえば、Ｂｌｕｅｔｏｏｔｈページングプロシージャ）を使用してそれの近傍にあるＡＴ１１５を検出し、またはその逆も同様である。ＯＯＢ検出プロシージャに加えて、またはそれの一部として、ＦＡＰ２３０は、ＡＴ１１５が許可されたユーザであるかどうかを判断し得る。たとえば、ＦＡＰ２３０は、ＡＴ１１５が、ＦＡＰ２３０を介してマクロ通信サービスにアクセスすることを許可されるかどうかを判断するためにアクセス制御リストを検査し得る。
【０１１８】
互いを発見すると（また、ＦＡＰ２３０が、許可されたユーザとしてＡＴ１１５を確認すると）、ＦＡＰ２３０はＡＴ１１５をＦＣＳ６４０に登録する。たとえば、ＦＡＰ２３０は、検出プロシージャ中に検出されたＡＴ１１５のＯＯＢ識別子（たとえば、Ｂｌｕｅｔｏｏｔｈデバイスアドレス、ＷｉＦｉ  ＭＡＣアドレス）と、ＡＴ１１５のＩＭＳＩのようなＡＴ１１５のセル識別子との間のＡＴマッピング２１９を維持する。ＦＡＰ２３０は、ＡＴ１１５のセル識別子に従ってＡＴ１１５をＦＣＳ６４０に登録し得る。
【０１１９】
いくつかの実施形態では、ＡＴ１１５がＦＡＰ２３０を検出する前にＡＴ１１５の検出および登録が実行され得るように、ＯＯＢ無線レンジ（たとえば、Ｂｌｕｅｔｏｏｔｈカバレージのエッジ）はＦＡＰ２３０カバレージ範囲よりも大きい。したがって、多くの場合、ハンドオフがＡＴ１１５の測定報告によってトリガされる前に、ＡＴ１１５のためのＯＯＢ存在指示がＦＡＰ２３０によってＦＣＳ６４０に通信され得る（すなわち、ＡＴを示唆するハンドオフ要求を受信すると、ＡＴ１１５は効果的に「事前登録」され得る）。
【０１２０】
特に、様々なタイプの登録または事前登録は、マクロネットワーク１００および／またはＦＡＰ２３０コンテキストにおいて利用可能であり得る。本明細書で使用する「登録」および「事前登録」は、特に、ＯＯＢ存在指示を使用するＦＣＳ６４０へのＡＴ１１５の登録を指すものとする。ハンドオフがトリガされ、ハンドオフ要求が（たとえば、ＭＳＣ６５０から）ＦＣＳ６４０において受信されると、ＦＣＳ６４０は、（たとえば、ＡＴ１１５のセル識別子に従って）ＯＯＢ存在指示をハンドオフ要求と相関させることが可能であり得る。この情報を用いて、ＦＣＳ６４０は、適切なターゲットＦＡＰ２３０を一意に識別し、ハンドインを確実に進めることができる。
【０１２１】
場合によっては、ＦＣＳ６４０は、ＡＴ１１５のセル識別子（たとえば、ＩＭＳＩ）をもつＦＡＰ２３０の前のＯＯＢ存在指示に基づいて、ＡＴ１１５がＦＡＰ２３０の近傍にあるとＦＣＳ６４０が考えていることを示すフラグをもつハンドオフ要求をＦＡＰ２３０に通信する。フラグを受信すると、ＦＡＰ２３０は、（たとえば、ＯＯＢフェムトプロキシを使用してＯＯＢチャネルを介して、逆方向リンク感知を使用してマクロチャネルを介して、または両方を介して）再びＡＴ１１５を検出しようと試み得る。ＡＴ１１５がもはやＦＡＰ２３０の近傍にない場合、ＦＡＰ２３０はＦＣＳ６４０からのハンドオフ要求を拒否することができる。さらに、以下で説明するように、いくつかのタイプの登録解除技法が使用され得る。
【０１２２】
１つの登録解除技法によれば、ＡＴ１１５は、ＯＯＢ不在指示をＦＣＳ６４０に通信することによって明示的に登録解除される。たとえば、ＯＯＢフェムトプロキシ２４０および／またはＦＡＰ２３０は、ＡＴ１１５とのリンク損失を検出し、ＯＯＢ不在指示の形態で登録解除要求をＦＣＳ６４０に送り得る。別の登録解除技法によれば、対応するハンドオフ要求を受信することなく、登録した後にある量の時間が経過した場合、ＡＴ１１５は登録解除され得る。さらに別の登録解除技法によれば、ＡＴ１１５は、ターゲットＦＡＰ２３０へのハンドオフの肯定応答時に、明示的または暗黙的に登録解除され得る。
【０１２３】
いくつかの実施形態では、アクティブＡＴ１１５について登録が実行されるのみである。１つの例示的なシナリオでは、上記で説明したように、登録は、ＯＯＢリンクを介した検出と、ＦＣＳ６４０へのＯＯＢ存在指示の後続の通信とに基づく。このシナリオでは、ＦＡＰ２３０は、ＡＴ１１５がＷＷＡＮアイドル状態にあるのかアクティブ状態にあるのか（たとえば、ボイス呼中であるのか）を知らないことがある。アイドルハンドオフの場合、ＡＴ１１５のセル識別子（たとえば、ＩＭＳＩ）をもつＦＣＳ６４０への、ＦＡＰ２３０の事前登録は無視される。たとえば、ハンドオフ要求メッセージがタイムアウトより前にＦＣＳ６４０に到着しない場合、暗黙的登録解除が行われ得る。
【０１２４】
別の例示的なシナリオでは、同じく上記で説明したように、登録は、ＯＯＢリンクを介した検出と、次いで逆方向リンク感知を使用するＷＷＡＮを介した検出とに基づく。このシナリオでは、ＦＡＰ２３０は、ＡＴ１１５がＷＷＡＮアクティブ状態にあることを知っている。いくつかの実施形態では、アイドルＡＴ１１５は事前登録されない。たとえば、ＡＴ１１５がＯＯＢリンクを介して検出されるが、逆方向リンク感知によって検出されない（すなわち、ＡＴ１１５が近傍にあるが、ＷＷＡＮアイドル状態で動作していることを示す）場合、ＦＡＰ２３０は登録要求をＦＣＳ６４０に送らないであろう。
【０１２５】
さらに別の例示的なシナリオでは、ＡＴ１１５を示唆するハンドオフ要求メッセージが（たとえば、コアネットワーク６３０からＦＡＣＤＩＲ２メッセージとして）ＦＣＳ６４０に到着する。ＡＴ１１５が（たとえば、ＯＯＢ存在指示によって）事前登録された場合でも、ＦＣＳ６４０は、ＡＴ１１５が事前登録に基づいてその特定のＦＡＰ２３０の近傍にあるとＦＣＳ６４０が考えていることを示すフラグをもつハンドオフ要求を、ＦＡＰ２３０に送り得る。いくつかの実施形態では、ＦＡＰ２３０は、ＯＯＢリンクを介して、または逆方向リンク感知を使用して、再びＡＴ１１５を検出しようと試みる。それが失敗した場合は、ＦＡＰ２３０はハンドオフ要求を拒否し得、それが成功した場合は、ＦＡＰ２３０はハンドオフ要求を受け付け得る。
【０１２６】
特に、上記のシナリオでは、逆方向リンク感知は、ＯＯＢリンク検出によってトリガされ得、他の場合には行われない。逆方向リンク感知は、一般に、固定のＡＴ１１５のパブリックロングコードマスクを使用して実行され得る（すなわち、プライベートロングコードマスクは一般に、商業的に使用されないことがある）。したがって、逆方向リンク感知は、ＡＴ１１５のセル識別子（たとえば、ＩＭＳＩ）と、ＡＴ１１５のＯＯＢ識別子（たとえば、ＢｌｕｅｔｏｏｔｈデバイスアドレスまたはＷｉＦｉ  ＭＡＣアドレス）と、ＡＴ１１５のパブリックロングコードマスクとの間のマッピングがＦＡＰ２３０において維持されるようにＦＡＰ２３０において構成され得る。
【０１２７】
ＡＴ１１５を示唆する対応するハンドオフ要求がＦＣＳ６４０において受信された後に登録要求がＦＣＳ６４０において受信された場合、ＦＣＳ６４０は、（たとえば、図１４のコールフロー図を参照しながら）以下でより十分に説明するように、様々な方法でハンドインを処理し得る。たとえば、登録要求が、対応するハンドオフ要求後に受信されたときでも、本明細書で説明する技法は、アクティブハンドインを可能にするのを助けるために使用され得る。代替的に、ハンドインがないことがあるか、またはブラインドハンドイン、逆方向リンク感知などのような、上記で説明した技法が使用され得る。
【０１２８】
本明細書で説明するＦＡＰ２３０支援ハンドイン技法は、いくつかの特徴を与えることを諒解されよう。１つの特徴は、本技法が、アクティブハンドインのための適切なターゲットＦＡＰ２３０を確実に判断するために使用され得ることである。別の特徴は、ＯＯＢ存在指示の通信による事前登録が、逆方向リンク感知技法において使用される測定要求および応答タイマーに関係するレイテンシを低減するかまたはなくし得ることである。さらに別の特徴は、（たとえば、測定要求および応答からの）コアネットワークシグナリングが低減され得ることである。さらに別の特徴は、ＦＡＰ２３０が逆方向リンク感知のために使用される追加の無線なしに実装され得ることである（しかしながら、いくつかの実施形態は、追加の無線が依然として所望され得るように、逆方向リンク感知技法に対する拡張として本明細書で説明する技法を使用し得る）。また、別の特徴は、ＡＴ１１５、エアインターフェース、またはレガシーインフラストラクチャにおいて変更が必要とされないことがあることである。本技法は、ＦＡＰ２３０およびＦＣＳ６４０のみへの変更を用いて実装され得る。
【０１２９】
ＦＡＰ２３０支援ハンドイン技法の実施形態について、図８Ａ〜図１７の方法を参照しながら以下で説明する。最初に図８Ａを参照すると、ＦＡＰを使用してＦＣＳにおいてＡＴ登録を処理するための例示的な方法８００ａの流れ図が示されている。方法８００ａは、段階８０４において開始し、フェムトプロキシシステム２９０の近傍にあり、マクロセル（マクロＢＴＳ１０５）を介してマクロネットワーク１００に通信可能に結合されたＡＴ１１５を検出する。たとえば、ＡＴ１１５は、マクロセル上にキャンピングされ、アクティブセルラー通信していることもしていないこともある。フェムトプロキシシステム２９０は、フェムトコンバージェンスシステム（ＦＣＳ）６４０を介してマクロネットワーク１００に通信可能に結合された、ＯＯＢフェムトプロキシ２４０とフェムトセル（ＦＡＰ２３０）とを含む。
【０１３０】
段階８０８において、ＡＴ１１５がＦＡＰ２３０を介してマクロネットワーク１００にアクセスすることを許可されるかどうかに関する判断を行う。たとえば、ＦＡＰ２３０は、ＦＡＰ２３０に接続することを許可された（たとえば、ＦＡＰ２３０を介してマクロ通信サービスにアクセスすることを許可された）ＡＴ１１５をもつアクセス制御リスト（たとえば、「ホワイトリスト」）を維持する。段階８０８において、ＡＴ１１５がＦＡＰ２３０を介してマクロネットワーク１００にアクセスすることを許可されないと判断された場合、方法８００ａは中止し得る。たとえば、方法８００ａは、段階８２４においてＡＴ１１５を無視する。
【０１３１】
段階８０８において、ＡＴ１１５がＦＡＰ２３０を介してマクロネットワーク１００にアクセスすることを許可されると判断された場合、段階８１６において、ＦＡＰ２３０が、マクロネットワーク１００上のＡＴ１１５を識別するセル識別子（たとえば、ＩＭＳＩ）を判断する。たとえば、段階８０４においてＡＴ１１５を検出することの一部として、ＡＴ１１５に対応するＯＯＢ識別子（たとえば、ＢＤ＿ＡＤＤＲ）が、ＯＯＢ通信リンクを介してＯＯＢフェムトプロキシ２４０を使用して検出される。上記で説明したように、ＦＡＰ２３０は、特定のＡＴ１１５のための対応するＯＯＢ識別子とセル識別子との間のＡＴマッピング２１９を維持する。
【０１３２】
段階８２０において、マクロＢＴＳ１０５からＦＡＰ２３０へのハンドインのためにＡＴ１１５を登録する。たとえば、ＦＡＰ２３０は、登録メッセージの一部として少なくともＡＴ１１５のセル識別子をＦＣＳ６４０に通信する。上記で説明したように、方法８００ａの段階（たとえば、段階８０４における近傍検出から段階８２０における登録方法の通信まで）が、場合によっては、ＡＴ１１５がフェムトレンジに入る前に行われ得るように、ＯＯＢレンジはフェムトレンジよりも大きくなり得る（たとえば、または少なくとも実質的に同じであり得る）。このようにして、ＡＴ１１５の測定報告がＦＡＰ２３０を示す前に、またＦＡＰ２３０へのハンドオフがマクロネットワーク１００によって判断される前に、登録は行われ得る。
【０１３３】
図６Ａおよび図６Ｂを参照しながら上記で説明したように、様々な構成は、登録（たとえば、ＯＯＢ存在指示を使用する事前および／または事後登録）を可能にするために様々なタイプのＯＯＢ近傍検出を使用し得る。たとえば、方法８００ａの部分は、ＯＯＢ近傍検出が、図６Ａに示した構成のような構成を使用して（たとえば、ＦＡＰ２３０に物理的に統合されたＯＯＢフェムトプロキシ２４０としてＢｌｕｅｔｏｏｔｈ無線を使用して）実行されていたのか、または図６Ｂに示した構成のような構成を使用して（たとえば、ＦＡＰ２３０に論理的に統合されたＯＯＢフェムトプロキシ２４０としてＷｉＦｉアクセスポイントを使用して）実行されていたのかに応じて異なり得る。さらなる明快のために、これらのタイプのシナリオの各々の例について、図８Ｂおよび図８Ｃにおいて説明する。
【０１３４】
最初に図８Ｂを参照すると、ＦＡＰ２３０に物理的に統合されたＯＯＢフェムトプロキシ２４０として使用されているＢｌｕｅｔｏｏｔｈ無線のコンテキストにおいてＡＴ登録を処理するための例示的な方法８００ｂの流れ図が示されている。さらなる明快のために、図８Ｂのコンテキストにおいて図８Ａからの対応する段階の可能な例示的な実装形態を示すために、図８Ａからの参照番号が小文字「ａ」を追加して使用される。したがって、方法８００ｂは段階８０４ａで始まり、段階８０４ａにおいて、フェムトプロキシシステム２９０の一部としてフェムトセル（ＦＡＰ２３０）に統合されたＯＯＢフェムトプロキシ２４０として構成されたＢｌｕｅｔｏｏｔｈ無線を使用して、フェムトプロキシシステム２９０の近傍にあるＡＴ１１５を検出する。
【０１３５】
段階８０４ａは、段階８２４と段階８２８とを含む。段階８２４において、Ｂｌｕｅｔｏｏｔｈ無線（すなわち、ＯＯＢフェムトプロキシ２４０）は、ＡＴ１１５がそれの近傍にあるかどうかを確かめるためにＡＴ１１５を周期的にページングする。本明細書で使用する「周期的に」は、非連続であるタイプのシグナリングを搬送することを広く意味する。たとえば、「周期的に」は、特定のしきい値などに従って、あらかじめ定義された間隔におけるシグナリング（たとえば、ページング）を含み得る。段階８２８において、Ｂｌｕｅｔｏｏｔｈ無線は、Ｂｌｕｅｔｏｏｔｈリンクを介してＡＴ１１５からの応答を検出する。
【０１３６】
ＡＴ１１５から応答を受信すると、フェムトプロキシシステム２９０は、ＡＴ１１５が近傍にあることを認識しており、フェムトプロキシシステム２９０は、ＡＴ１１５のＢｌｕｅｔｏｏｔｈデバイスアドレス（たとえば、ＢＤ＿ＡＤＤＲ）を知っている。上記で説明したように、Ｂｌｕｅｔｏｏｔｈデバイスアドレスは、ＡＴ１１５のための一意の帯域外識別子を効果的に与える。いくつかの構成では、フェムトプロキシシステム２９０はさらなる判断を行う。たとえば、フェムトプロキシシステム２９０は（たとえば、図８Ａの段階８０８および段階８２４を参照しながら説明したように）ＡＴ１１５がＦＡＰ２３０を介してマクロネットワーク１００にアクセスすることを許可されるかどうかを判断し得る。
【０１３７】
段階８１６ａにおいて、マクロネットワーク１００上のＡＴ１１５を識別するセル識別子（たとえば、ＩＭＳＩ）を判断する。たとえば、ＦＡＰ２３０がＡＴ１１５の対応するＢｌｕｅｔｏｏｔｈデバイスアドレスからＡＴ１１５のセル識別子を判断し得るように、特定のＡＴ１１５のための対応するＯＯＢ識別子とセル識別子との間のＡＴマッピング２１９は、ＦＡＰ２３０によって維持され得る。代替的に、マッピングはＦＣＳ６４０において維持され得る。
【０１３８】
段階８２０ａにおいて、マクロＢＴＳ１０５からターゲットＦＡＰ２３０へのハンドインのためにＡＴ１１５を登録する。特に、ＦＡＰ２３０は、ＡＴ１１５をＦＣＳ６４０に登録するために、ＡＴ１１５の識別子をもつＯＯＢ存在指示をＦＣＳ６４０に通信する。ＡＴマッピングがＦＡＰ２３０において維持されるいくつかの例示的な構成では、ＡＴ１１５のセル識別子（たとえば、およびいくつかの構成ではＯＯＢ識別子）をもつＯＯＢ存在指示はＦＣＳ６４０に通信され得る。ＡＴマッピングがＦＣＳ６４０において維持される他の構成では、ＡＴ１１５のＯＯＢ識別子をもつＯＯＢ存在指示はＦＣＳ６４０に通信され得、その場合、ＦＣＳ６４０は（たとえば、段階８１６ａに従って）対応するセル識別子へのマッピングを判断する。
【０１３９】
近傍のためにＢｌｕｅｔｏｏｔｈを使用することは、いくつかの特徴を与え得る。たとえば、Ｂｌｕｅｔｏｏｔｈは、比較的低電力のページング、フェムトセルカバレージエリアの範囲と同様であり得る範囲などを可能にし得る。さらに、本技法がほとんどまたはまったくＡＴ１１５への変更なしに実装され得るように、多くのＡＴ１１５はすでにＢｌｕｅｔｏｏｔｈ無線を装備していることがある。しかしながら、いくつかの構成ではいくつかの制限が現れ得る。たとえば、ＦＡＰ２３０は、Ｂｌｕｅｔｏｏｔｈ無線に統合される必要があり得、いくつかのタイプのプロビジョニングは困難であり得る。さらに、オープンフェムトセル（たとえば、アクセス制御リストがない）または企業タイプ構成を使用するときに、近傍にあり得るすべてのＡＴ１１５に対応する多数のＢｌｕｅｔｏｏｔｈアドレスをページングすることは困難または非効率的であり得る。
【０１４０】
別の手法に従って、図８Ｃに、ＦＡＰ２３０に論理的に統合されたＯＯＢフェムトプロキシ２４０として使用されているＷｉＦｉアクセスポイントのコンテキストにおいてＡＴ登録を処理するための例示的な方法８００ｃの流れ図を示す。たとえば、方法８００ｃは、図６Ｂのシステム６００ｂを使用して実装され得る。さらなる明快のために、図８Ｃのコンテキストにおいて図８Ａからの対応する段階の可能な例示的な実装形態を示すために、図８Ａからの参照番号が小文字「ｂ」を追加して使用される。したがって、方法８００ｃは段階８０４ｂで始まり、段階８０４ｂにおいて、フェムトプロキシシステム２９０の一部としてフェムトセル（ＦＡＰ２３０）との共有サブネット上のＯＯＢフェムトプロキシ２４０として構成されたＷｉＦｉアクセスポイントを使用して、フェムトプロキシシステム２９０の近傍にあるＡＴ１１５を検出する。
【０１４１】
段階８０４ｂは、段階８３４と段階８３８と段階８４２とを含む。段階８３４において、ＡＴ１１５は、ＷｉＦｉアクセスポイントのカバレージエリアに入り、それのサービスセット識別子（ＳＳＩＤ）をもつＷｉＦｉアクセスポイントを検出する。段階８３８において、ＡＴ１１５は、動的ホスト構成プロトコル（ＤＨＣＰ）要求をＷｉＦｉアクセスポイントに送る。ＡＴ１１５はＷｉＦｉアクセスポイントからインターネットプロトコル（ＩＰ）アドレスを要求するためにＤＨＣＰ要求を使用し、ＤＨＣＰ要求はＡＴ１１５のＷｉＦｉ  ＭＡＣアドレスを含む。
【０１４２】
ＤＨＣＰ要求に応答して、段階８４２において、ＷｉＦｉアクセスポイントは、利用可能なＩＰアドレスを求める要求をそれのサブネット上のすべてのデバイスにブロードキャストする。たとえば、ＷｉＦｉアクセスポイントは、ＤＨＣＰ要求をサブネット全体に通信するためにサブネットワイドブロードキャストアドレス（たとえば、２５５．２５５．２５５．２５５）を使用する。特に、ＦＡＰ２３０はサブネット上にあり、ＤＨＣＰ要求はＡＴ１１５のＷｉＦｉ  ＭＡＣアドレスを含む。したがって、ＦＡＰ２３０は、ＡＴ１１５の近接とＡＴ１１５のＯＯＢ識別子とを認識するようになる。
【０１４３】
ＡＴ１１５の近接とそれのＯＯＢ識別子との指示を受信すると、方法８００ｃは、実質的に図８Ａおよび図８Ｂを参照しながら説明したように進む。たとえば、段階８１６ｂにおいて、マクロネットワーク１００上のＡＴ１１５を識別するセル識別子（たとえば、ＩＭＳＩ）は、ＦＡＰ２３０によって（たとえば、または登録要求を受信した後のＦＣＳ６４０によって）判断される。段階８２０ｂにおいて、ＦＡＰ２３０は、ＡＴ１１５をＦＣＳ６４０に登録するために、ＡＴ１１５の識別子をもつＯＯＢ存在指示をＦＣＳ６４０に通信する。上記で説明したように、ＯＯＢ存在指示は、たとえば、ＡＴマッピングがどこで維持されるかに応じて、ＡＴ１１５のセル識別子および／またはＯＯＢ識別子とともにＦＣＳ６４０に通信され得る。
【０１４４】
特にＡＴ１１５が前にＦＡＰ２３０とペアリングしなかったとき、ＡＴ１１５のＷｉＦｉ  ＭＡＣアドレスと対応するセル識別子との間にマッピングがないことがあることは注目に値する。たとえば、いくつかの構成（たとえば、何らかの宅内、企業、限定アクセスなど）では、マッピングは、アクセス制御リスト、ペアリング手順などの一部として生成され得る。しかしながら、オープンアクセスフェムトセルのコンテキストでは、どのＡＴ１１５もＷｉＦｉアクセスポイントを介してＦＡＰ２３０を検出し得る。例示的な一構成では、ＡＴ１１５は、ＷｉＦｉリンクを介してＦＡＰ２３０からのユニバーサルプラグアンドプレイ（ＵＰｎＰ：Universal Plug and Play）広告を検出する。それに応答して、ＡＴ１１５は、ＵＰｎＰリモートプロシージャ呼出しを介して、それのセル識別子をＦＡＰ２３０に通知し得る。別の例示的な構成では、ＷｉＦｉ  ＭＡＣアドレスとセル識別子とを周期的に（たとえば、および／またはＳＩＭカードが交換されたときはいつでも）事業者と同期させる適用例が提供される。
【０１４５】
近傍のためにＷｉＦｉを使用することは、たとえば、比較的低電力の検出、フェムトセルカバレージエリアの範囲と同様であり得る範囲、内蔵ＷｉＦｉ機能をもつＡＴ１１５の高まる遍在性（ubiquity）などを含む、Ｂｌｕｅｔｏｏｔｈの機能と同様のいくつかの機能を提供し得る。さらに、ＷｉＦｉ手法は、企業および／またはオープンフェムトセルコンテキストにおいていくつかの機能を提供し得る。たとえば、ＷｉＦｉアクセスポイントは、両方ともそれのサブネット内にある、２つ以上のＦＡＰ２３０のカバレージエリア間に配置され得る。いくつかの構成では、（たとえば、段階８３４〜段階８４２に従って）第１のＦＡＰ２３０がサブネット上でＡＴ１１５を検出すると、第１のＦＡＰ２３０はまた、サブネット上で第２のＦＡＰからのソフトハンドオフレッグを要求し得る。このようにして、第１のＦＡＰ２３０がアクティブハンドインのための最適なＦＡＰでない場合、第１のＦＡＰ２３０と第２のＦＡＰ２３０との間のソフトハンドオフが開始され得る。
【０１４６】
また、いくつかの構成においてＷｉＦｉを使用するときに、いくつかの制限が現れ得る。たとえば、ＦＡＰ２３０をＷｉＦｉアクセスポイントから物理的に分離することが望ましい場合、ＦＡＰ２３０は、ＤＨＣＰ要求のブロードキャストを受信するために、ＷｉＦｉアクセスポイントと通信する何らかの方法を依然として必要とし得る。別の潜在的な制限によれば、近傍検出のためにＷｉＦｉを使用することはバッテリー寿命に悪影響を及ぼし得るが、この制限を緩和するために様々な技法（たとえば、ＡＴ１１５の地理的ロケーションに応じてＷｉＦｉ無線をオンまたはオフにする適用例）が使用され得る。
【０１４７】
図９に、ＦＡＰとのアクティブハンドインを処理するための例示的な方法９００の流れ図を示す。方法９００は、明快にするために図８の段階８２０のコンテキストで示されている。説明のために、方法９００について、ＦＡＰ２３０によってＦＣＳ６４０に登録されたＡＴ１１５に関して、たとえば、図８の方法８００に従って説明する。
【０１４８】
したがって、方法９００は、段階９０４において開始し、ＦＡＰ２３０において、事前登録されたＡＴ１１５（ＯＯＢ存在指示が前にＦＣＳ６４０に通信されたＡＴ１１５）についてのハンドオフ要求をＦＣＳ６４０から受信する。いくつかの実施形態では、ハンドオフ要求が受信されたときにＦＡＰ２３０がＡＴ１１５の近接を認識しているように、ＦＡＰ２３０は、それがＡＴ１１５を登録したという認識を維持する。他の実施形態では、ハンドオフ要求は、関係するＡＴ１１５がＦＡＰ２３０の近傍にあると考えられるという（たとえば、ＯＯＢ存在指示をＦＣＳ６４０に通信することによってＡＴ１１５がＦＡＰ２３０によって事前登録されたという）、ＦＡＰ２３０へのフラグまたは他の指示を含む。
【０１４９】
段階９０８において、ハンドオフ要求を受信したことに応答して、ＦＡＰからＦＣＳ６４０に肯定応答メッセージを通信する。ＦＡＰ２３０とＦＣＳ６４０との間のメッセージングは、１つまたは複数のネットワーク上に実装され得る。たとえば、肯定応答メッセージは、ＦＡＰ２３０からインターネットプロトコルセキュリティ（ＩＰｓｅｃ：Internet Protocol Security）トンネルを介してコアネットワークのエッジにあるセキュアゲートウェイに通信され、セキュアゲートウェイからコアネットワーク中のＩＰマルチメディアサブシステム（ＩＭＳ：IP Multimedia Subsystem）ネットワークに通信され、およびＩＭＳネットワークからコアネットワーク中のＦＣＳ６４０に通信され得る。
【０１５０】
段階９１２において、事前登録されたＡＴに、それの現在接続されている（ソース）マクロＢＴＳ１０５からターゲットＦＡＰ２３０にアクティブ通信をハンドインするように指示する。特に、ＡＴ１１５は、一般にＦＡＰ２３０からはハンドオフ指示を受信しない。そうではなく、ＦＡＰ２３０は、それが適切なハンドオフターゲットであることを示すためにハンドオフ要求を肯定応答し、最終的に、マクロネットワーク１００要素（たとえば、ソースマクロＢＴＳ１０５）がハンドオフ指示をＡＴ１１５に通信する。
【０１５１】
図８および図９の方法８００および９００によるアクティブハンドインを示す例示的なコールフロー図１０００を図１０に示す。コールフロー図１０００は、ＡＴ１１５、現在接続されている（ソース）マクロＢＳ１０５／１２０、ソースＭＳＣ６５０、ターゲットＦＣＳ６５０、および２つの潜在的なターゲットＦＡＰ２３０の間の通信を示している。過度の詳細を避けるために、ソースマクロＢＳは、マクロＢＳＣ１２０と通信しているソースマクロＢＴＳ１０５を含み、それらの要素間のシグナリングは図示していない。コールフロー図１０００では、潜在的なターゲットＦＡＰ２３０は共通セル識別子を有する（たとえば、それらは同じＰＮオフセットを有する）と仮定する。したがって、アクティブハンドインの成功を保証するために、潜在的なターゲットＦＡＰ２３０のうちの適切な１つを確実に判断することが必要であり得る。
【０１５２】
コールフロー図１０００は、段階１００４において、ソースマクロＢＳ１０５／１２０を介してソースＭＳＣ６５０によって可能にされる、ボイス呼またはデータ呼のような、アクティブマクロ通信に現在関与しているＡＴ１１５で開始する。ある時間に、ＡＴ１１５は、潜在的なターゲットＦＡＰ２３０ａのうちの第１のＦＡＰ２３０ａに関連するＯＯＢフェムトプロキシ２４０（たとえば、ＯＯＢフェムトプロキシ２４０と第１の潜在的なターゲットＦＡＰ２３０ａとはフェムトプロキシシステム２９０に統合される）の近傍に移動する。段階１００８において、ＯＯＢフェムトプロキシ２４０は、（たとえば、図８の段階８０４の場合のように）それの近傍にあるＡＴ１１５を検出する。段階１０１２において、第１の潜在的なターゲットＦＡＰ２３０ａは、（たとえば、図８の段階８２０に従って）ＡＴ１１５を事前登録するために、ＯＯＢ存在指示（登録要求）をターゲットＦＣＳ６５０に送る。
【０１５３】
その後のある時間に、ＡＴ１１５は、ＦＡＰ２３０のフェムトカバレージエリアに移動し、ＦＡＰ２３０を検出し、段階１０１６において、測定報告（たとえば、ＰＳＭＭ）をソースマクロＢＳ１０５／１２０に送る。測定報告は、ＡＴ１１５によって観測されたＦＡＰ２３０のパイロット強度とＦＡＰ２３０のＰＮオフセットとを含む。ソースマクロＢＳ１０５／１２０は、測定報告に従ってハンドオフが必要とされると判断し、段階１０２０においてソースＭＳＣ６５０にハンドオフ必要メッセージを通信する。段階１０２４において、ハンドオフ必要メッセージは、ソースＭＳＣ６５０からターゲットＦＣＳ６４０に（たとえば、コアネットワーク上でＦＡＣＤＩＲ２メッセージとして）通信される。
【０１５４】
ハンドオフ要求を受信すると、ターゲットＦＣＳ６５０は、現在、どの潜在的なターゲットＦＡＰ２３０がハンドインのための正しいターゲットであるかを判断する。たとえば、ハンドオフ要求はＡＴ１１５のＩＭＳＩとターゲットＦＡＰ２３０のＰＮオフセットとを含む。ただし、この例示的な事例では、ＰＮオフセットのみでは一意に識別することができないように、２つの潜在的なターゲットＦＡＰ２３０は同じＰＮオフセットを有する。従来の技法を使用すると、上記で説明したように、ハンドオフ要求は、たとえば、潜在的なターゲットＦＡＰ２３０のうちの１つを盲目的に選択すること、ハンドインを無視すること、ＡＴ１１５を検出するために潜在的なターゲットＦＡＰ２３０において逆方向リンク感知を開始することなどによってアドレス指定され得る。しかしながら、段階１０１２においてＯＯＢ存在指示を受信すると、ターゲットＦＣＳ６５０は、第１の潜在的なターゲットＦＡＰ２３０ａをハンドインのための正しいターゲットＦＡＰ２３０として確実に選択することができる。
【０１５５】
段階１０２８において、ターゲットＦＣＳ６４０はハンドオフ要求を第１のターゲットＦＡＰ２３０ａに送る。段階１０３２において、第１のターゲットＦＡＰ２３０ａはハンドオフ肯定応答メッセージでターゲットＦＣＳ６４０に応答する。次いで、ハンドオフはコアネットワークとマクロネットワーク１００とを介してＡＴ１１５に通信される。特に、本明細書では、いくつかの事例において簡単のために「ハンドオフ要求」と一般的に呼ばれるが、各関係するメッセージは、実際は、異なる形態および／または目的をもち得る。たとえば、図示のように、段階１０３６において、ターゲットＦＣＳ６４０からソースＭＳＣ６５０にハンドオフ肯定応答がＦＡＣＤＩＲ２メッセージとして通信され得、段階１０４０において、ソースＭＳＣ６５０からソースマクロＢＳ１０５／１２０にハンドオフコマンドが通信され得、段階１０４４において、ソースマクロＢＳ１０５／１２０からＡＴ１１５にハンドオフコマンドが通信され得る。
【０１５６】
次いで、ハンドオフプロセスが開始し得る。たとえば、段階１０４８において、ＡＴ１１５は肯定応答メッセージをソースマクロＢＳ１０５／１２０に通信し、段階１０５２において、ソースマクロＢＳ１０５／１２０はハンドオフ開始メッセージをソースＭＳＣ６５０に通信する。段階１０５６において、ＡＴ１１５はまた、ハンドオフ完了メッセージを第１の潜在的なターゲットＦＡＰ２３０ａに通信し、段階１０６０において、第１の潜在的なターゲットＦＡＰ２３０ａはハンドオフ完了メッセージをターゲットＦＣＳ６４０に通信する。ハンドインを完了すると、段階１０６４において、ソースマクロＢＳ１０５／１２０によるのではなく、適切に識別されたターゲットＦＡＰ（すなわち、前に第１の潜在的なターゲットＦＡＰ２３０ａ）によって可能にされた、ＡＴ１１５のアクティブマクロ通信（たとえば、ボイス呼）が続く。
【０１５７】
コールフロー図１０００が、例示的なコールフローを示すことのみを目的としており、明快にするために様々な方法で簡略化されていることは注目に値する。たとえば、いくつかの段階で「ハンドオフ要求」について説明したが、各要素が、同様の形態または異なる形態の、同様の情報または異なる情報が含まれるメッセージを通信し得ることを諒解されよう。したがって、コールフロー図１０００は、本開示の範囲または特許請求の範囲を制限するものと解釈すべきでない。
【０１５８】
場合によっては、ＡＴ１１５を登録解除することが必要であり得ること、または望まれ得ることは、さらに注目に値する。たとえば、ＡＴ１１５が第１のＦＡＰ２３０ａによって登録されると仮定する。後で、ＡＴ１１５は、第１のＦＡＰ２３０ａと同じＰＮオフセットを有するが、第１のＦＡＰ２３０ａの範囲の十分外側に（たとえば、数マイル離れて）位置する第２のＦＡＰ２３０ｂの近傍に移動する。ＡＴ１１５は、共有ＰＮオフセットをもつ測定報告を送り、ハンドオフ要求がトリガされ得る。この段階で、ＦＣＳ６４０は、第１のＦＡＰ２３０ａではなく、第２のＦＡＰ２３０ｂへのハンドオフが望ましいと判断するために、１つまたは複数の技法を使用しなければならないことがある。他の場合、Ｔ１１５が第１のＦＡＰ２３０ａの範囲を十分に外れる場合であっても、第１のＦＡＰ２３０ａによる登録は、ＦＣＳ６４０に、それの現在のマクロＢＳ１０５から第１のＦＡＰ２３０ａへのＡＴ１１５のアクティブ通信のハンドインを試行させ得、それは望ましくない結果を生じ得る（たとえば、アクティブボイス呼がドロップし得る）。以下でより十分に説明するように、この問題に対処するために、登録タイムスタンプ、登録解除、および／または本明細書で説明する他の技法が使用され得る。
【０１５９】
図１１に、ＡＴの登録解除を処理するための例示的な方法１１００の流れ図を示す。方法１１００は、明快にするために図８の段階８２０のコンテキストで示されている。説明のために、方法１１００について、ＦＡＰ２３０によってＦＣＳ６４０に登録されたＡＴ１１５に関して、たとえば、図８の方法８００に従って説明する。
【０１６０】
方法１１００は、段階１１０４において、ＯＯＢフェムトプロキシ（フェムトプロキシ２４０）と登録されたＡＴ１１５との間のＯＯＢ通信リンクが失われたかどうかを判断することによって開始する。（たとえば、図８のブロック８０４に関して）上記で説明したように、ＡＴ１１５とターゲットＦＡＰ２３０に関連するＯＯＢフェムトプロキシとの間のＯＯＢリンクが確立され得る。ＯＯＢリンクが（たとえば、すべて、所定の最小持続時間の間など）失われた場合、これはＡＴ１１５がもはやＦＡＰ２３０の近傍にないことを示し得る。
【０１６１】
段階１１０４において、（たとえば、ＡＴ１１５の登録以来）ＯＯＢリンクが失われたと判断された場合、段階１１０８において、ＦＡＰ２３０はＦＣＳ６５０においてＡＴ１１５を登録解除する。段階１１０４において、ＯＯＢリンクが失われていないと判断された場合、方法１１００は、ブロック１１１２において、ＦＡＰ２３０において登録されたＡＴ１１５についてのハンドオフ要求を受信したかどうかに関するさらなる判断を行う。ハンドオフ要求を受信していない場合、段階１１０４においてＯＯＢリンクが失われたと判断するか、または段階１１１２においてハンドオフ要求を受信するまで、方法１１００は段階１１０４から段階１１１２までを反復する。登録されたＡＴ１１５についてのハンドオフ要求をＦＡＰ２３０において受信した場合、登録されたＡＴ１１５に（たとえば、図９の段階９１２に従って）ハンドインするように指示する。
【０１６２】
いくつかの実施形態は他の方法で登録解除を処理し得る。たとえば、例示的な一構成では、方法１１００は、ハンドインを完了（たとえば、成功／または失敗）した後、ＡＴ１１５を明示的に登録解除する。しかしながら、特に、ＡＴ１１５の近傍に関する知識および／または登録から獲得し得る他のタイプの情報をネットワークに提供するために、ハンドイン後も登録を維持する（すなわち、ＡＴ１１５を登録解除しない）ことは有用であり得る。
【０１６３】
別の例示的な構成によれば、ＡＴ１１５がＦＣＳ６４０に登録されるとき、登録はタイムスタンプに関連付けられる。たとえば、登録ＦＡＰ２３０は、ＡＴ１１５のセル識別子（たとえば、またはＯＯＢ識別子）とタイムスタンプとを含むＯＯＢ存在指示を通信し得る。その後、別のＦＡＰ２３０が同じＡＴ１１５についての登録要求をＦＣＳ６４０に送る場合、新しい登録要求は後のタイムスタンプを含む。次いで、ＦＣＳ６４０は、任意の先行する登録要求を無効であると見なし、後で要求したＦＡＰ２３０へのハンドオフを可能にし得る。たとえば、ＡＴ１１５は、ＦＣＳ６４０において後続の登録要求を受信すると、前の要求ＦＡＰ２３０から暗黙的に登録解除され得る。
【０１６４】
さらに別の例示的な構成によれば、タイマーベースの登録解除が実装される。たとえば、ＡＴ１１５を登録すると、ＦＡＰ２３０は、タイマーを開始（たとえば、または場合によっては経過時間の追跡を開始）し得る。その後に登録解除が適切である一定の時間枠（たとえば、１分）が決定され得る。たとえば、時間枠をあまりに小さく設定すると、ＦＡＰ２３０はＡＴ１１５を非効率的に再登録しなければならないことになり得、時間枠をあまりに大きく設定すると、ＡＴ１１５が、登録解除の前に潜在的に同じＰＮオフセットを共有する他のＦＡＰ２３０のカバレージエリアに入ることを可能にし得る。特に、タイマーベースの登録解除はいくつかの構成では望ましくないことがある。たとえば、登録後に、ＡＴ１１５がアイドルであることにより、または何らかの他の状況により、ハンドオフ要求が長時間受信されないことがある。ハンドオフ要求を受信するより前にＡＴ１１５が暗黙的に登録解除された場合、登録の利点は失われ得る。
【０１６５】
図８〜図１１について、上記では主に事前登録の（すなわち、ＡＴ１１５についてのハンドオフ要求を受信するより前に、ＡＴ１１５についてのＯＯＢ存在指示を通信する）コンテキストで説明した。ＡＴ１１５を示唆するハンドオフ要求を受信した後にＯＯＢ存在指示が通信された場合、同様の技法が使用され得ることを諒解されよう。たとえば、上記で説明したように、ＦＣＳ６４０は、ＭＳＣ６５０からのハンドオフ要求中で与えられたセル識別子のみに基づいてハンドインのための適切なターゲットＦＡＰ２３０を判断することができないことがあり、すべての候補ターゲットＦＡＰ２３０に（たとえば、同時に）測定要求を通信し得る。
【０１６６】
図１２に、事前登録なしに（すなわち、ＡＴ１１５についてのハンドオフ要求を受信するより前にＡＴ１１５についてのＯＯＢ存在指示を通信していない）あるアクティブハンドイン機能を実装するための例示的な方法１２００の流れ図を示す。方法１２００は、段階１２０４において開始し、フェムトプロキシシステム２９０において、指定されたＡＴ１１５の近接を検出するために、それのＦＡＰ２３０を介してＦＣＳ６４０から測定要求を受信する。近傍検出は様々な方法で実行され得る。
【０１６７】
一実施形態によれば、ＦＡＰ２３０は、上記で説明したように、逆方向リンク感知のための追加のＷＷＡＮ無線を用いて実装され得る。段階１２０８において、指定されたＡＴ１１５を検出するために、ＦＡＰ２３０によって（たとえば、マクロ通信チャネルを介して）、一般にＯＯＢ感知と組み合わせて逆方向リンク感知を使用する。たとえば、ＦＣＳ６４０は、それのパブリックロングコードマスクのような、逆方向リンク感知において使用するＡＴ１１５のパブリック識別子をＦＡＰ２３０に与え得る。いくつかのタイプの逆方向リンク感知は、３ＧＰＰ２技術仕様書に記載されている。段階１２０８に従って、ＷＷＡＮ無線を使用した逆方向リンク感知に加えて、フェムトプロキシシステム２９０のＯＯＢフェムトプロキシ２４０を使用してＯＯＢリンクを介してＯＯＢ感知が実行され得る。以下でさらに説明するように、逆方向リンク感知にＯＯＢ感知を追加することは、逆方向リンク感知を単独で使用するときに発生し得る、複数のＦＡＰ２３０がＡＴ１１５の成功した検出を同時に戻す可能性を軽減するのに役立つことがある。
【０１６８】
別の実施形態によれば、フェムトプロキシシステム２９０のＯＯＢフェムトプロキシ２４０は、ＷＷＡＮ逆方向リンク感知をも実行することなしにＯＯＢ通信チャネル上でＡＴ１１５を検出するために使用される。たとえば、ＦＡＰ２３０のＡＴマッピング２１９中に（たとえば、ＦＡＰ２３０のアクセス制御リスト中に）ＡＴ１１５がある場合、ＦＡＰ２３０はＡＴ１１５のＯＯＢ識別子（たとえば、ＢＤ＿ＡＤＤＲ、ＷｉＦｉ  ＭＡＣアドレス）を判断するために、ＡＴ１１５のパブリックロングコードマスク、ＩＭＳＩなどを使用することが可能であり得る。次いで、ＦＡＰ２３０はＯＯＢリンクを介してＡＴ１１５を検出し得る。
【０１６９】
ＡＴ１１５を検出するために（たとえば、段階１２０８および／または段階１２１２に従って）１つまたは複数の技法を使用した場合、段階１２１６において、ＦＡＰ２３０の近傍にあるＡＴ１１５が検出されるかどうかに関する判断を行う。段階１２１６において、ＦＡＰ２３０の近傍にあるＡＴ１１５が検出されないと判断された場合、段階１２２０において、ＦＡＰ２３０は検出失敗応答をＦＣＳ６４０に通信する。段階１２１６において、ＦＡＰ２３０の近傍にあるＡＴ１１５が検出されたと判断された場合、段階１２２４において、ＦＡＰ２３０は検出成功応答をＦＣＳ６４０に通信し得る。
【０１７０】
それの近傍にあるＡＴ１１５を正常に検出した場合、ＦＡＰ２３０は、様々な方法でハンドインを処理し得る。１つの技法によれば、ＦＡＰは（たとえば、図８の段階８２０に従ってＦＡＰ２３０からＦＣＳ６４０にＡＴ１１５のセル識別子を通信することによって）ハンドインのためのＡＴ１１５をＦＡＰ２３０に登録する。段階８２０に従ってＡＴ１１５を登録するか、またはハンドインのための関連情報を（たとえば、段階１２２４における検出成功メッセージの一部として）ＦＣＳ６４０に通信すると、ＡＴ１１５の通信は、信頼できる方式でＦＡＰ２３０にハンドオフされ得る。たとえば、ハンドインは、図９を参照しながら説明したブロック９０４〜９１２に従って実現され得る。
【０１７１】
図８および図１２は、例示的なＦＡＰ２３０の観点からハンドイン機能の処理に主に焦点を当てている。上記で説明したように、および図１０のコールフロー図１０００によって示すように、アクティブハンドイン機能はＦＣＳ６４０の動作によってさらに可能にされる。例示的なＦＣＳ６４０の観点からハンドイン機能の処理のための例示的な技法については、図１３〜図１６で説明する。
【０１７２】
図１３を参照すると、例示的なＦＣＳにおいてＦＡＰ支援アクティブハンドインを処理するための例示的な方法１３００の流れ図が示されている。方法１３００は、段階１３０４において、マクロネットワーク１００から（たとえば、コアネットワーク上のＭＳＣ６５０から）ＦＣＳ６４０においてハンドオフ要求を受信することによって開始する。ハンドオフ要求は、現在の（ソース）マクロＢＴＳ１０５から指定されたＦＡＰ２３０にアクティブマクロ通信をハンドオフするようにＡＴ１１５に指示するように構成される。指定されたＦＡＰ２３０は、ＦＣＳ６４０と通信しているいくつかのＦＡＰ２３０のうちの１つであり、各ＦＡＰ２３０は、第１のセル識別子（たとえば、ＰＮオフセット）と、第２のＦＣＳ指向識別子（たとえば、ＦＣＳ６４０と通信しているすべてのＦＡＰ２３０を一意にアドレス指定するためにＦＣＳ６４０によって使用される識別子）とによって識別可能である。
【０１７３】
上記で説明したように、第１のフェムトセル識別子は実質的に非一意である。たとえば、同じマクロセクタ中のいくつかのＦＡＰ２３０が、同じ第１のフェムトセル識別子（たとえば、ＰＮオフセット）を共有し得る。反対に、第２のフェムトセル識別子は、実質的にまたは完全に一意である。たとえば、第２のフェムトセル識別子は、少なくとも、ＦＣＳ６４０の観点から特定のＦＡＰ２３０を確実に識別するために使用されるのに十分一意である。指定されたＦＡＰ２３０は、それの第１のフェムトセル識別子によってハンドオフ要求中で識別されると仮定する。たとえば、第１のフェムトセル識別子は、ＡＴ１１５がそれの測定報告の一部としてＦＡＰ２３０を識別するためのものであり、測定報告は、次いで、ハンドオフ要求をトリガするために使用される。
【０１７４】
段階１３０８において、ＦＣＳ６４０においてハンドオフ要求を受信するより前に、いずれかのＦＡＰ２３０がＡＴ１１５のセル識別子（たとえば、ＩＭＳＩ）をＦＣＳ６４０に登録したかどうかに関する判断を行う。段階１３０８において、ＦＣＳ６４０においてハンドオフ要求を受信するより前に、特定の（「登録」）ＦＡＰ２３０がＡＴ１１５のセル識別子をＦＣＳ６４０に登録したと判断された場合、段階１３１２において、指定されたＦＡＰ２３０を「登録」ＦＡＰ２３０であると判断する（すなわち、「登録」ＦＡＰ２３０をハンドインのためのターゲットＦＡＰ２３０であると判断する）。したがって、段階１３３２において、指定されたＦＡＰ２３０の第２のフェムトセル識別子に従って、ＦＣＳ６４０から指定されたＦＡＰ２３０（すなわち、「登録」ＦＡＰ）にハンドオフ要求を通信する。たとえば、ＦＣＳ６４０は、すべてのそれの接続されたＦＡＰ２３０について、それらのそれぞれの第１の識別子と第２の識別子との間のマッピングを維持する。ＦＣＳ６４０は、（実質的に非一意であり得る）受信された第１のフェムトセル識別子を（実質的に一意であり得る）維持された第２のフェムトセル識別子にマッピングすることによって、ハンドオフ要求を指定されたＦＡＰ２３０に一意にアドレス指定することができる。
【０１７５】
段階１３０８において、ＦＣＳ６４０においてハンドオフ要求を受信するより前に、ＦＡＰ２３０が（ＯＯＢ存在指示を使用して）ＡＴ１１５のセル識別子をＦＣＳ６４０に登録しなかったと判断された場合、ＦＣＳ６４０は、事前登録を活用することができずにハンドインを処理するための１つまたは複数の技法を使用し得る。たとえば、段階１３１６において、ＦＣＳ６４０は候補ターゲットＦＡＰ２３０のセットを判断する。たとえば、ＦＣＳ６４０は、受信された第１のフェムトセル識別子に関連する、関係するマクロセクタ中のすべてのＦＡＰ２３０を候補のセットに含め得る。上記で説明したように、ＦＣＳ６４０は、候補リスト中のＦＡＰ２３０のいずれかへのブラインドハンドオフを実装し得る。
【０１７６】
いくつかの実施形態では、段階１３２０において、候補リストのＦＡＰ２３０にＡＴ１１５を検出するように指示する。たとえば、ＦＡＰは、図１２の段階１２０４〜段階１２２４を参照しながら説明した技法に従って近傍検出を使用し得る。候補ＦＡＰ２３０のいずれも、それの近傍にあるＡＴ１１５を検出しないか、または複数の候補ＦＡＰ２３０が、それらの近傍にあるＡＴ１１５を検出する可能性がある。（たとえば、図１５において以下で説明するように）検出が成功しなかった場合に方法１３００を中止するために、または複数成功した場合に「最良の」結果を選択するために、様々な技法が使用され得る。特に、実施形態は、（たとえば、段階１２０８に従って）ＯＯＢ検出のみを使用するか、または（たとえば、段階１２１２に従って）逆方向リンクとＯＯＢ検出との組合せを使用し得る。ＯＯＢ検出の使用は、複数の成功が生じる可能性をなくし得る。したがって、明快のために、候補ＦＡＰ２３０のうちの１つは、ＡＴ１１５をそれの存在下でうまく検出したのでＦＣＳ６４０によって識別可能であると仮定する。
【０１７７】
段階１３２４において、ＦＣＳ６４０において、候補ＦＡＰ２３０のうちの１つからの、それの近傍にＡＴ１１５があるという指示を受信する。上記で説明したように、これは、測定要求メッセージ、登録メッセージなどへの測定応答であり得る。段階１３２８において、指定されたＦＡＰ２３０を成功した候補ＦＡＰ２３０であると判断する。したがって、段階１３３２において、指定されたＦＡＰ２３０の第２のフェムトセル識別子に従って、ＦＣＳ６４０から指定されたＦＡＰ２３０（すなわち、成功した候補ＦＡＰ２３０）にハンドオフ要求を通信する。たとえば、ＦＣＳ６４０は、第２のフェムトセル識別子の維持されたマッピングに従って、段階１３２４において受信された検出成功メッセージに従ってなど、第２のフェムトセル識別子を判断する。
【０１７８】
それぞれ、図１２および図１３の方法１２００および１３００によるアクティブハンドインを示す例示的なコールフロー図１４００を図１４に示す。コールフロー図１４００は、図１０のコールフロー図１０００と同様であり、図１０で使用したものと同じ参照番号によって同様のメッセージングについて説明する。メッセージングは同様であるが、異なるコールフローの状況によって同じでないことがあることを諒解されよう。特に、図１０では事前登録シナリオについて説明したが、図１４では事後登録シナリオについて説明する。
【０１７９】
図１０の場合のように、コールフロー図１４００は、ＡＴ１１５、現在接続されている（ソース）マクロＢＳ１０５／１２０、ソースＭＳＣ６５０、ターゲットＦＣＳ６５０、および２つの潜在的なターゲットＦＡＰ２３０の間の通信を示す。過度の詳細を避けるために、ソースマクロＢＳは、マクロＢＳＣ１２０と通信しているソースマクロＢＴＳ１０５を含み、それらの要素間のシグナリングは図示していない。コールフロー図１４００では、潜在的なターゲットＦＡＰ２３０は共通セル識別子を有する（たとえば、それらは同じＰＮオフセットを有する）と仮定する。したがって、アクティブハンドインの成功を保証するために、潜在的なターゲットＦＡＰ２３０のうちの適切な１つを確実に判断することが必要であり得る。
【０１８０】
コールフロー図１４００は、段階１００４において、ソースマクロＢＳ１０５／１２０を介してソースＭＳＣ６５０によって可能にされる、ボイス呼またはデータ呼のような、アクティブマクロ通信に現在関与しているＡＴ１１５で開始する。ある時間に、ＡＴ１１５は、ＦＡＰ２３０のフェムトカバレージエリアに移動し、ＦＡＰ２３０を検出し、段階１０１６において、測定報告（たとえば、ＰＳＭＭ）をソースマクロＢＳ１０５／１２０に送る。測定報告は、ＡＴ１１５によって観測されたＦＡＰ２３０のパイロット強度とＦＡＰ２３０のＰＮオフセットとを含む。ソースマクロＢＳ１０５／１２０は、測定報告に従ってハンドオフが必要とされると判断し、段階１０２０においてソースＭＳＣ６５０にハンドオフ必要メッセージを通信する。段階１０２４において、ハンドオフ必要メッセージは、ソースＭＳＣ６５０からターゲットＦＣＳ６４０に（たとえば、コアネットワーク上でＦＡＣＤＩＲ２メッセージとして）通信される。
【０１８１】
図１４では、この段階で、ＡＴ１１５は、複数のＦＡＰ２３０がハンドインのための候補ターゲットＦＡＰ２３０であるように、ＰＳＭＭ中で示された識別子を共有するどのＦＡＰ２３０によっても依然として登録されていないと仮定する。段階１４０４において、潜在的なターゲットＦＡＰ２３０ａのうちの第１のＦＡＰ２３０ａに関連するＯＯＢフェムトプロキシ２４０（たとえば、ＯＯＢフェムトプロキシ２４０と第１の潜在的なターゲットＦＡＰ２３０ａとはフェムトプロキシシステム２９０に統合される）は、それの近傍にあるＡＴ１１５を検出する。たとえば、図１２の段階１２０８および段階１２１２に関して説明したように、ＯＯＢ近傍検出は、ＯＯＢリンクのみを介して、または他の逆方向リンク検出技法と組み合わせて実行され得る。
【０１８２】
段階１４０８において、ＡＴ１１５が潜在的なターゲットＦＡＰ２３０ａのうちの第１のＦＡＰ２３０ａによって検出されたとき、そのＦＡＰ２３０ａはターゲットＦＣＳ６４０にＯＯＢ存在指示を送る。たとえば、ＦＡＰ２３０においておよび／またはターゲットＦＣＳ６４０において、ＡＴ１１５のセル識別子（たとえば、ＩＭＳＩ）をＡＴ１１５の対応するＯＯＢ識別子（たとえば、ＢｌｕｅｔｏｏｔｈデバイスアドレスまたはＷｉＦｉ
ＭＡＣアドレス）にマッピングするマッピングが維持される。このマッピングは、段階１０２０に従って、ＡＴ１１５を、ハンドオフを必要とするＡＴ１１５として識別するために使用され得る。
【０１８３】
段階１４０８においてＯＯＢ存在指示を受信すると、ターゲットＦＣＳ６５０は、現在、第１の潜在的なターゲットＦＡＰ２３０ａをハンドインのための正しいターゲットＦＡＰ２３０として確実に選択することができる。段階１０２８において、ターゲットＦＣＳ６４０はハンドオフ要求を第１のターゲットＦＡＰ２３０ａに送る。段階１０３２において、第１のターゲットＦＡＰ２３０ａはハンドオフ肯定応答メッセージでターゲットＦＣＳ６４０に応答する。次いで、ハンドオフはコアネットワークとマクロネットワーク１００とを介してＡＴ１１５に通信される。特に、本明細書では、いくつかの事例において簡単のために「ハンドオフ要求」と一般的に呼ばれるが、各関係するメッセージは、実際は、異なる形態および／または目的をもち得る。たとえば、図示のように、段階１０３６において、ターゲットＦＣＳ６４０からソースＭＳＣ６５０にハンドオフ肯定応答がＦＡＣＤＩＲ２メッセージとして通信され得、段階１０４０において、ソースＭＳＣ６５０からソースマクロＢＳ１０５／１２０にハンドオフコマンドが通信され得、段階１０４４において、ソースマクロＢＳ１０５／１２０からＡＴ１１５にハンドオフコマンドが通信され得る。
【０１８４】
次いで、ハンドオフプロセスが開始し得る。たとえば、段階１０４８において、ＡＴ１１５は肯定応答メッセージをソースマクロＢＳ１０５／１２０に通信し、段階１０５２において、ソースマクロＢＳ１０５／１２０はハンドオフ開始メッセージをソースＭＳＣ６５０に通信する。段階１０５６において、ＡＴ１１５はまた、ハンドオフ完了メッセージを第１の潜在的なターゲットＦＡＰ２３０ａに通信し、段階１０６０において、第１の潜在的なターゲットＦＡＰ２３０ａはハンドオフ完了メッセージをターゲットＦＣＳ６４０に通信する。ハンドインを完了すると、段階１０６４において、ソースマクロＢＳ１０５／１２０によるのではなく、適切に識別されたターゲットＦＡＰ（すなわち、前に第１の潜在的なターゲットＦＡＰ２３０ａ）によって可能にされた、ＡＴ１１５のアクティブマクロ通信（たとえば、ボイス呼）が続く。
【０１８５】
いくつかの実施形態では、上記で説明した方法の部分（たとえば、図１３の方法１３００）は、さもなければ指定されたＦＡＰ２３０が一意に識別され得ないときのみ実行される。たとえば、図１５に、図１３の方法１３００のいくつかの部分をいつ実装すべきかを判断するための例示的な方法１５００の流れ図を示す。方法１５００は、明快にするために、マクロネットワーク１００からＦＣＳ６４０においてハンドオフ要求が受信されたように、図１３の段階１３０４のコンテキストで示されている。
【０１８６】
方法１５００は、段階１５０４において開始し、（受信されたハンドオフ要求によって指定された）指定されたＦＡＰ２３０が、それの第１のフェムトセル識別子のみに従ってＦＣＳ６４０によって一意にアドレス指定可能であるかどうかを判断する。たとえば、場合によっては、ＦＣＳ６４０は、ハンドオフ要求の一部として受信された第１のフェムトセル識別子に関連する単一のＦＡＰ２３０のみに接続され得る。代替的に、ＦＣＳ６４０は、他の情報に従って可能な一致の範囲を絞り込むことが可能であり得る。たとえば、ＡＴ１１５の概略的なまたは詳細なロケーションの知識に従って（たとえば、ＡＴ１１５の現在のマクロＢＴＳ１０５、最近のＧＰＳ測定値などに従って）、可能なＦＡＰ２３０のセットは、単一の一致のみが残るように限定され得る。
【０１８７】
段階１５０４において、指定されたＦＡＰ２３０が、それの第１のフェムトセル識別子のみに従ってＦＣＳ６４０によって一意にアドレス指定可能であると判断された場合、段階１５０８において、ＦＣＳ６４０から指定されたＦＡＰ２３０にハンドオフ要求を通信する。１つの技法によれば、ハンドインは、実質的に一意の第１のフェムトセル識別子を使用する典型的なマクロ間ハンドオフのように実質的に扱われ得る。別の技法によれば、ＦＣＳ６４０は、たとえば、図１３の段階１３３２に従って、ＦＡＰ２３０の第２のフェムトセル識別子に従ってＦＡＰ２３０をアドレス指定することができる。段階１５０４において、指定されたＦＡＰ２３０が、それの第１のフェムトセル識別子のみに従ってＦＣＳ６４０によって一意にアドレス指定可能でないと判断された場合、他の技法に従ってハンドインのために適切なＦＡＰ２３０を判断することが必要であるかまたは望ましいことがある。たとえば、方法１５００は、図１３の方法１３００に従って進み得る。
【０１８８】
図１６に、図１３の方法１３００に、ある機能を追加するための例示的な方法１６００の流れ図を示す。方法１６００は、明快にするために図１３の方法１３００の部分のコンテキストで示されている。コンテキストのために、（たとえば、段階１３０４に従って）指定されたＡＴ１１５を示唆するハンドオフ要求がＦＣＳ６４０において受信され、（たとえば、段階１３０８の判断に従って）ＡＴ１１５の事前登録がなかったと仮定する。（たとえば、段階１３１６に従って）候補ＦＡＰ２３０のセットを判断し、（たとえば、段階１３２０に従って）各候補に、それの近傍にあるＡＴ１１５を検出するように指示する。
【０１８９】
段階１６０４において、ＦＣＳ６４０は候補ＦＡＰ２３０からの測定応答を待つ。たとえば、上記で説明したように、測定応答は、検出成功または検出不成功メッセージ、登録メッセージなどであり得る。いくつかの実施形態では、測定要求が候補ＦＡＰ２３０に通信されたときからどのくらいの時間が経過したかを判断するために、タイマーが開始される（または、他の方法で時間が監視される）。候補フェムトセルのいずれかから成功応答を受信するより前にタイマーが経過した場合、方法１６００は中止し得る。
【０１９０】
段階１６１６において、いずれかの候補ＦＡＰ２３０が、それらの近傍にあるＡＴ１１５を検出したかどうかに関する判断を行う。たとえば、段階１６１６における判断は、測定応答のいずれかまたはすべてが受信されたかどうかを判断することに関与し得る。段階１６１６において、候補ＦＡＰ２３０のうちの１つが、それの近傍にあるＡＴ１１５を検出したと判断された場合、方法１６００は、段階１６２０においてタイマーを中止する。次いで、成功したＦＡＰ２３０にハンドオフ要求を通信する。たとえば、成功したＦＡＰ２３０への通信は、図１３の段階１３３２に従って実装され得る。
【０１９１】
段階１６１６において、候補ＦＡＰ２３０のいずれもそれらの近傍にあるＡＴ１１５を検出しなかったと判断された場合、方法１６００は検出を待ち続け得る。たとえば、段階１６０８において、所定の時間量が経過したかどうかに関するさらなる判断を行う。段階１６０８において、所定の時間量が経過したと判断された場合、ＦＡＰ２３０のいずれもそれらの近傍にあるＡＴ１１５を検出しなかった（すなわち、段階１６１６に従って、フェムトセルのいずれもそれの近傍にあるＡＴを検出せず、段階１６０８においてタイマーが経過した）と仮定し得る。したがって、段階１６１２において、ハンドオフ要求を無視するか、または場合によっては処理する。たとえば、ハンドオフ要求の転送が中止され得る、ＦＣＳ６４０によってブラインドハンドオフが実装され得るなどである。
【０１９２】
段階１６０８において、所定の時間量が経過していないと判断された場合、方法１６００は、段階１６０８において所定の時間が経過するか、または段階１６１６において検出が判断されるまで、段階１６０４と段階１６１６と段階１６０８とを反復し続け得る。特に、すべての候補ＦＡＰ２３０からのメッセージが不成功として受信された場合、方法１６００は中止し得る（たとえば、タイマーは中止し得る）。
【０１９３】
場合によっては、ハンドオフ要求および／または登録要求は、それらが受信された順序および／または他のイベントの発生に従ってＦＣＳ６４０によって別様に扱われる。たとえば、図１７に、様々な順序でおよび様々なコンテキストにおいて、ＦＣＳ６４０においてハンドオフ要求と登録要求との受信を処理するための例示的な方法１７００の流れ図を示す。方法１７００は、段階１７０４において、登録ＦＡＰ２３０から例示的なＦＣＳ６４０において登録要求を受信することによって開始する。登録要求は、登録ＦＡＰ２３０によって登録ＦＡＰ２３０の近傍にあることが検出されたＡＴ１１５のセル識別子を登録しようとする。登録ＦＡＰ２３０は、ＦＣＳ６４０を介してマクロネットワーク１００と通信しているいくつかのＦＡＰ２３０のうちの１つであり、各ＦＡＰ２３０は、上記で説明したように、第１の（マクロ指向で、実質的に非一意の）フェムトセル識別子と第２の（ＦＣＳ指向で、実質的に一意の）識別子とに従ってアドレス指定可能である。
【０１９４】
段階１７０８において、登録要求を受信するより前に、ＡＴ１１５を示唆する（たとえば、図１３の段階１３０４に従ってなど、マクロＢＴＳ１０５から指定されたＦＡＰ２３０へのＡＴ１１５のハンドオフを指示する）ハンドオフ要求がＦＣＳ６４０において受信されたかどうかに関する判断を行う。段階１７０８において、登録要求を受信するより前に、ＦＣＳ６４０においてハンドオフ要求が受信されたと判断された場合、ブロック１７１２において、登録要求を事後登録状態と見なす。たとえば、ハンドインは、図１３の段階１３１６〜段階１３３２に関して上記で説明したように処理され得る。
【０１９５】
段階１７０８において、登録要求を受信するより前に、対応するハンドオフ要求がＦＣＳ６４０において受信されなかったと判断された場合、段階１７１６において、登録要求を受信した後に、ＡＴ１１５を示唆するハンドオフ要求がＦＣＳ６４０において受信されたかどうかに関する判断を行う。たとえば、登録要求があるときはいつでも、対応するハンドオフ要求の後に登録要求が受信されること（たとえば、事後登録）、対応するハンドオフ要求より前に登録要求が受信されること（たとえば、事前登録）、または対応するハンドオフ要求を受信することなしに（たとえば、以下で説明するように、常にまたは何らかの他の状態より前に）登録要求が受信されることの３つの可能なシナリオがあり得る。
【０１９６】
段階１７１６において、登録要求を受信した後に、対応するハンドオフ要求がＦＣＳ６４０において受信されたと判断された場合、これは、段階１７２０において、図１３の段階１３０８において説明したのと実質的に同じ事前登録状態（すなわち、ハンドオフ要求を受信するより前に、ＦＣＳ６４０によってＯＯＢ存在指示が受信される）と見なされる。したがって、（たとえば、段階１３１２に従って）指定されたＦＡＰ２３０を登録ＦＡＰ２３０であると判断し、（たとえば、段階１３３２に従って）指定されたＦＡＰ２３０の第２のフェムトセル識別子に従って、ＦＣＳ６４０から指定されたＦＡＰ２３０（すなわち、登録ＦＡＰ）にハンドオフ要求を通信する。
【０１９７】
段階１７１６において、登録要求を受信した後に、対応するハンドオフ要求がＦＣＳ６４０において受信されなかったと判断された場合、方法１７００は、対応するハンドオフ要求が受信されるか、または待つことを中止する何らかの他の状態が生じるまで、対応するハンドオフ要求を待ち続け得る。段階１７２４において、登録要求を受信した後、およびＡＴ１１５を示唆するハンドオフ要求を受信するより前に登録解除状態が生じたかどうかに関するさらなる判断を行う。
【０１９８】
たとえば、段階１７２４において、登録要求を受信した後、およびＡＴ１１５を示唆するハンドオフ要求を受信するより前に登録解除状態が生じなかったと判断された場合、上記方法は、段階１７１６において対応するハンドオフ要求が受信されるか、または段階１７２４において登録解除状態が生じるまで、段階１７１６と段階１７２４とを反復することによって待ち続け得る。段階１７２４において、登録要求を受信した後、およびＡＴ１１５を示唆するハンドオフ要求を受信するより前に登録解除状態が生じたと判断された場合、上記で説明したように、段階１７２８においてＡＴ１１５を登録解除する。
【０１９９】
様々な実施形態に従って、様々なタイプの登録解除状態が生じ得る。たとえば、ＦＡＰ２３０の観点からの登録解除状態と同様の登録解除状態がＦＣＳ６４０の観点から評価され得る。図１１を参照しながら上記で説明したように、登録解除状態は、タイムスタンプを付けられた登録要求が取り替えられたかどうか、登録メッセージが受信されたときから所定の時間量が経過したかどうか、ＯＯＢフェムトプロキシ２４０と登録されたＡＴ１１５との間のＯＯＢ通信リンクが失われたかどうかなどを判断することに関係し得る。
【０２００】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【０２０１】
説明した様々な例示的な論理ブロック、モジュール、および回路は、汎用プロセッサ、デジタル信号プロセッサ（ＤＳＰ）、ＡＳＩＣ、フィールドプログラマブルゲートアレイ信号（ＦＰＧＡ）、または他のプログラマブル論理デバイス（ＰＬＤ）、個別ゲート、またはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０２０２】
本開示に関連して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、任意の形態の有形記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。記憶媒体は、プロセッサがその記憶媒体から情報を読み取り得、その記憶媒体に情報を書き込み得るように、プロセッサに結合され得る。代替として、記憶媒体はプロセッサに一体化され得る。ソフトウェアモジュールは、単一の命令、または多数の命令であり得、いくつかの異なるコードセグメント上で、異なるプログラム間で、および複数の記憶媒体にわたって分散され得る。
【０２０３】
本明細書で開示する方法は、説明した方法を達成するための１つまたは複数のアクションを備える。本方法および／またはアクションは、特許請求の範囲から逸脱することなく互いに交換され得る。言い換えれば、アクションの特定の順序が指定されない限り、特定のアクションの順序および／または使用は特許請求の範囲の範囲から逸脱することなく変更され得る。
【０２０４】
説明した機能は、ハードウェア、ソフトウェア、ファームウェア、またはそれらの任意の組合せで実装され得る。ソフトウェアで実装する場合、機能は１つまたは複数の命令として有形コンピュータ可読媒体に記憶され得る。記憶媒体は、コンピュータによってアクセスされ得る任意の利用可能な有形媒体であり得る。限定ではなく、例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の有形媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザで光学的に再生する。
【０２０５】
したがって、コンピュータプログラム製品は、本明細書で提示した動作を実行し得る。たとえば、そのようなコンピュータプログラム製品は、本明細書で説明した動作を実行するために１つまたは複数のプロセッサによって実行可能である命令を有形に記憶（および／または符号化）したコンピュータ可読有形媒体であり得る。コンピュータプログラム製品はパッケージング材料を含み得る。
【０２０６】
ソフトウェアまたは命令はまた、伝送媒体を介して送信され得る。たとえば、ソフトウェアは、同軸ケーブル、光ファイバケーブル、ツイストペア、デジタル加入者回線（ＤＳＬ）などの伝送媒体、あるいは赤外線、無線、またはマイクロ波などのワイヤレス技術を使用して、ウェブサイト、サーバ、または他のリモートソースから送信され得る。
【０２０７】
さらに、本明細書で説明した方法および技法を実行するためのモジュールおよび／または他の適切な手段は、適用可能な場合にユーザ端末および／または基地局によってダウンロードおよび／または他の方法で取得され得る。たとえば、本明細書で説明した方法を実行するための手段の転送を可能にするために、そのようなデバイスをサーバに結合することができる。代替的に、本明細書で説明した様々な方法を記憶手段（たとえば、ＲＡＭ、ＲＯＭ、ＣＤまたはフロッピーディスクなどの物理的記憶媒体など）によって提供することができ、それにより、ユーザ端末および／または基地局は、その記憶手段をデバイスに結合または供給すると、それらの様々な方法を取得することができるようになる。さらに、本明細書で説明した方法および技法をデバイスに与えるための任意の他の好適な技法を利用することができる。
【０２０８】
他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。さらに、「例示的」という用語は、説明する例が他の例よりも好適であるかまたは良いことを意味しない。
【０２０９】
本明細書で説明した技法の様々な変更、置換、および改変は、添付の特許請求の範囲によって定義された教示の技術から逸脱することなく行われ得る。その上、本開示および特許請求の範囲は、上記で説明したプロセス、機械、製造、組成物、手段、方法、およびアクションの特定の態様に限定されない。本明細書で説明した対応する態様と実質的に同じ機能を実行するか、または実質的に同じ結果を達成する、現存するかまたは後で開発される、プロセス、機械、製造、組成物、手段、方法、またはアクションが利用され得る。したがって、添付の特許請求の範囲は、それらの範囲内にそのようなプロセス、機械、製造、組成物、手段、方法、またはアクションを含む。
以下に本願発明の当初の特許請求の範囲に記載された発明を付記する。
［Ｃ１］
フェムトプロキシシステムを用いて、前記フェムトプロキシシステムの近傍にあり、マクロセルを介してマクロネットワークに通信可能に結合されたアクセス端末を検出することであって、前記フェムトプロキシシステムが、フェムトコンバージェンスシステムを介して前記マクロネットワークに通信可能に結合された帯域外（ＯＯＢ）フェムトプロキシとフェムトセルとを備える、検出することと、
ＯＯＢ通信リンクを介して前記ＯＯＢフェムトプロキシを使用して前記アクセス端末に対応するＯＯＢ識別子を検出することと、
前記ＯＯＢ識別子と、前記マクロネットワーク上の前記アクセス端末を識別するセル識別子との間のマッピングに従って、前記セル識別子を判断することと、
前記フェムトセルから前記フェムトコンバージェンスシステムに、前記フェムトセルへの前記アクセス端末の近接を示すＯＯＢ存在指示を通信することによって、前記マクロセルから前記フェムトセルへのハンドインのために前記アクセス端末を登録することと
を備える、マクロセルフェムトセル間ハンドインのための方法。
［Ｃ２］
前記フェムトプロキシシステムの近傍にある前記アクセス端末を検出することが、
前記ＯＯＢ通信リンクを介して前記ＯＯＢフェムトプロキシを使用して前記アクセス端末をページングすることと、
前記ＯＯＢ通信リンクを介して前記ＯＯＢフェムトプロキシを使用して前記アクセス端末からの前記ページングへの応答を検出することであって、前記応答が前記アクセス端末の前記ＯＯＢ識別子を備える、検出することと
を備える、Ｃ１に記載の方法。
［Ｃ３］
前記フェムトプロキシシステムの近傍にある前記アクセス端末を検出することが、
前記ＯＯＢ通信リンクを介して前記ＯＯＢフェムトプロキシを使用して前記アクセス端末からネットワークアドレスについての要求を受信することであって、前記要求が前記アクセス端末の前記ＯＯＢ識別子を備え、サブネットの一部として配設された前記ＯＯＢフェムトプロキシが前記フェムトセルを備える、受信することと、
前記ネットワークアドレスについての前記要求を前記フェムトセルに通信することと
を備える、Ｃ１に記載の方法。
［Ｃ４］
前記ネットワークアドレスについての前記要求が動的ホスト構成プロトコル（ＤＨＣＰ）要求であり、
前記アクセス端末の前記ＯＯＢ識別子がＭＡＣアドレスであり、
前記ネットワークアドレスについての前記要求を前記フェムトセルに通信することは、前記要求が少なくとも前記フェムトセルによって受信されるように、前記ＤＨＣＰ要求を前記サブネットにブロードキャストすることを備える、Ｃ３に記載の方法。
［Ｃ５］
前記セル識別子を判断することが、前記ＯＯＢ識別子と前記セル識別子との間の前記マッピングに従って前記セル識別子を判断するために前記フェムトプロキシシステムを使用することを備え、前記マッピングが前記フェムトプロキシシステムにおいて維持され、
前記ＯＯＢ存在指示を通信することが、前記ＯＯＢ存在指示の一部として前記アクセス端末の前記セル識別子を通信することを備える、Ｃ１に記載の方法。
［Ｃ６］
前記セル識別子を判断することが、前記ＯＯＢ識別子と前記セル識別子との間の前記マッピングに従って前記セル識別子を判断するために前記フェムトコンバージェンスシステムを使用することを備え、前記マッピングが前記フェムトコンバージェンスシステムにおいて維持され、
前記ＯＯＢ存在指示を通信することが、前記ＯＯＢ存在指示の一部として前記アクセス端末の前記ＯＯＢ識別子を通信することを備える、Ｃ１に記載の方法。
［Ｃ７］
前記フェムトプロキシシステムを用いて、前記アクセス端末が前記フェムトセルを介して前記マクロネットワークにアクセスすることを許可されるかどうかを判断することをさらに備え、
前記ＯＯＢ識別子を前記検出することは、前記アクセス端末が前記フェムトセルを介して前記マクロネットワークにアクセスすることを許可されるときのみ実行される、Ｃ１に記載の方法。
［Ｃ８］
前記フェムトセルを介して前記マクロネットワークにアクセスすることを許可されるアクセス端末に対応するセル識別子のリストを備えるアクセス制御リストを前記フェムトプロキシシステムにおいて維持することをさらに備え、
前記アクセス端末が前記フェムトセルを介して前記マクロネットワークにアクセスすることを許可されるかどうかを判断することは、前記アクセス制御リストに従って、前記アクセス端末が前記フェムトセルを介して前記マクロネットワークにアクセスすることを許可されるかどうかを判断することを備える、Ｃ７に記載の方法。
［Ｃ９］
前記フェムトセルにおいて、前記フェムトコンバージェンスシステムから前記アクセス端末についてのハンドオフ要求を受信することをさらに備え、前記ハンドオフ要求が、
前記マクロネットワークとのアクティブ通信を前記マクロセルから前記フェムトセルにハンドオフするように前記アクセス端末に指示するように構成され、
前記マクロセルを介して前記アクセス端末から受信された測定メッセージに従って前記マクロネットワークによって生成され、
前記アクセス端末の前記登録に従って前記フェムトコンバージェンスシステムを介して前記マクロネットワークから前記フェムトセルに通信される、Ｃ１に記載の方法。
［Ｃ１０］
前記ハンドオフ要求が、前記マクロセルから前記フェムトセルへのハンドインのために前記アクセス端末を登録した後に受信される、Ｃ９に記載の方法。
［Ｃ１１］
前記ハンドオフ要求が、前記マクロセルから前記フェムトセルへのハンドインのために前記アクセス端末を登録するより前に受信され、
前記アクセス端末を検出することが、前記ハンドオフ要求を受信したことに応答して前記アクセス端末を検出することを備える、Ｃ９に記載の方法。
［Ｃ１２］
前記ハンドオフ要求を受信したことに応答して前記アクセス端末を検出することが、
前記アクセス端末のＯＯＢ識別子に従って前記ＯＯＢ通信リンクを介して前記アクセス端末を検出するように前記ＯＯＢフェムトプロキシに指示すること
を備える、Ｃ１１に記載の方法。
［Ｃ１３］
前記ハンドオフ要求を受信したことに応答して前記アクセス端末を検出することが、
前記アクセス端末の固定パブリック識別子に従って前記アクセス端末を検出するために逆方向リンク感知を使用すること
をさらに備える、Ｃ１２に記載の方法。
［Ｃ１４］
前記ハンドオフ要求を受信したことに応答して前記アクセス端末を検出することが、
前記アクセス端末の固定パブリック識別子に従って前記アクセス端末を検出するために逆方向リンク感知を使用することを備え、
前記フェムトプロキシシステムにおいて維持される前記マッピングが、さらに、前記アクセス端末の前記ＯＯＢ識別子と、前記セル識別子と、前記固定パブリック識別子との間のマッピングである、Ｃ１１に記載の方法。
［Ｃ１５］
前記アクセス端末の前記固定パブリック識別子が前記アクセス端末のパブリックロングコードマスクである、Ｃ１４に記載の方法。
［Ｃ１６］
前記アクセス端末と、前記フェムトプロキシシステムの前記ＯＯＢフェムトプロキシとの間の前記ＯＯＢ通信リンクの損失を検出することと、
前記ＯＯＢ通信リンクの前記損失を検出したことに従って前記アクセス端末を登録解除することと
をさらに備える、Ｃ１に記載の方法。
［Ｃ１７］
前記ＯＯＢ存在指示が、登録時間に対応するタイムスタンプを備える、Ｃ１に記載の方法。
［Ｃ１８］
前記フェムトプロキシシステムを用いて、前記フェムトプロキシシステムの近傍にある前記アクセス端末を検出することが、前記ＯＯＢ通信リンクを介して前記フェムトプロキシシステムの前記ＯＯＢフェムトプロキシを使用して前記アクセス端末のＯＯＢサブシステムを検出することを備える、Ｃ１に記載の方法。
［Ｃ１９］
前記ＯＯＢ通信リンクがＢｌｕｅｔｏｏｔｈリンクであり、前記ＯＯＢ識別子がＢｌｕｅｔｏｏｔｈデバイスアドレスである、Ｃ１８に記載の方法。
［Ｃ２０］
前記ＯＯＢ通信リンクがＷｉＦｉリンクであり、前記ＯＯＢ識別子がＷｉＦｉ  ＭＡＣアドレスである、Ｃ１８に記載の方法。
［Ｃ２１］
前記フェムトセルが、前記マクロネットワーク上の複数のフェムトセルのうちの１つであり、前記複数のフェムトセルの各々が、前記フェムトセルがそれに従って前記マクロネットワークによって非一意にアドレス指定可能である第１のフェムトセル識別子と、前記フェムトセルがそれに従って前記フェムトコンバージェンスシステムによって一意にアドレス指定可能である第２のフェムトセル識別子とを有する、Ｃ１に記載の方法。
［Ｃ２２］
前記第１のフェムトセル識別子が前記フェムトセルのＰＮオフセットである、Ｃ２１に記載の方法。
［Ｃ２３］
前記アクセス端末の前記セル識別子が、前記アクセス端末に関連する国際モバイル加入者識別情報（ＩＭＳＩ）である、Ｃ１に記載の方法。
［Ｃ２４］
前記フェムトセルが、フェムトレンジにわたって前記アクセス端末に通信可能に結合するように構成され、
前記ＯＯＢフェムトプロキシが、ＯＯＢレンジにわたって前記アクセス端末に通信可能に結合するように構成され、
前記ＯＯＢレンジが前記フェムトレンジを上回る、Ｃ１に記載の方法。
［Ｃ２５］
フェムトコンバージェンスシステムを介してマクロネットワークに通信可能に結合され、アクセス端末にマクロネットワークアクセスを与えるように構成されたフェムトセルと、
前記フェムトセルに通信可能に結合され、ＯＯＢ通信リンクを介して前記アクセス端末と通信するように構成された帯域外（ＯＯＢ）フェムトプロキシと、
前記フェムトセルと前記ＯＯＢフェムトプロキシとに通信可能に結合された通信管理サブシステムであって、
前記通信管理サブシステムの近傍にあり、マクロセルを介して前記マクロネットワークに通信可能に結合された近接アクセス端末を検出することと、
前記ＯＯＢ通信リンクを介して前記ＯＯＢフェムトプロキシを使用して前記近接アクセス端末の前記ＯＯＢ識別子を検出することと、
前記フェムトセルから前記フェムトコンバージェンスシステムに、前記フェムトセルへの前記近接アクセス端末の近接を示すＯＯＢ存在指示を通信することによって、前記マクロセルから前記フェムトセルへのハンドインのために前記近接アクセス端末を登録することと
を行うように構成された通信管理サブシステムと
を備えるフェムトプロキシシステム。
［Ｃ２６］
複数の許可されたアクセス端末の各々について、前記許可されたアクセス端末に対応するＯＯＢ識別子とセル識別子との間のマッピングを維持するように構成されたデータストアであって、前記近接アクセス端末が前記許可されたアクセス端末のうちの１つである、データストアをさらに備え、
前記通信管理サブシステムが、前記データストアにおいて維持される前記マッピングに従って前記近接アクセス端末の前記セル識別子を判断するようにさらに構成され、
ＯＯＢ存在指示を通信することが、前記アクセス端末の前記セル識別子を前記フェムトコンバージェンスシステムに通信することを備える、Ｃ２５に記載のフェムトプロキシシステム。
［Ｃ２７］
前記通信管理サブシステムが、
前記フェムトセルにおいて、前記フェムトコンバージェンスシステムから前記近接アクセス端末についてのハンドオフ要求を受信するようにさらに構成され、前記ハンドオフ要求が、
前記マクロネットワークとのアクティブ通信を前記マクロセルから前記フェムトセルにハンドオフするように前記近接アクセス端末に指示するように構成され、
前記マクロセルを介して前記近接アクセス端末から受信された測定メッセージに従って前記マクロネットワークによって生成され、
前記近接アクセス端末の前記登録に従って前記フェムトコンバージェンスシステムを介して前記マクロネットワークから前記フェムトセルに通信される、Ｃ２５に記載のフェムトプロキシシステム。
［Ｃ２８］
前記ハンドオフ要求が、前記マクロセルから前記フェムトセルへのハンドインのために前記近接アクセス端末を登録した後に受信される、Ｃ２７に記載のフェムトプロキシシステム。
［Ｃ２９］
前記ハンドオフ要求が、前記マクロセルから前記フェムトセルへのハンドインのために前記近接アクセス端末を登録するより前に受信され、
前記通信管理サブシステムが、前記ハンドオフ要求を受信したことに応答して前記近接アクセス端末を検出するように構成された、Ｃ２７に記載のフェムトプロキシシステム。
［Ｃ３０］
前記通信管理サブシステムが、
前記近接アクセス端末と前記ＯＯＢフェムトプロキシとの間の前記ＯＯＢ通信リンクの損失を検出することと、
前記ＯＯＢ通信リンクの前記損失を検出したことに従って前記近接アクセス端末を登録解除することと
を行うようにさらに構成された、Ｃ２７に記載のフェムトプロキシシステム。
［Ｃ３１］
前記通信管理サブシステムが、
前記ＯＯＢ通信リンクを介して前記ＯＯＢフェムトプロキシを使用して前記近接アクセス端末をページングすることと、
前記ＯＯＢ通信リンクを介して前記ＯＯＢフェムトプロキシを使用して前記アクセス端末からの前記ページングへの応答を検出することであって、前記応答が前記アクセス端末の前記ＯＯＢ識別子を備える、検出することと
を行うことによって前記近接アクセス端末を検出するように構成された、Ｃ２５に記載のフェムトプロキシシステム。
［Ｃ３２］
前記通信管理サブシステムが、
前記ＯＯＢ通信リンクを介して前記ＯＯＢフェムトプロキシを使用して前記近接アクセス端末からネットワークアドレスについての要求を受信することであって、前記要求が前記近接アクセス端末の前記ＯＯＢ識別子を備え、サブネットの一部として配設された前記ＯＯＢフェムトプロキシが前記フェムトセルを備える、受信することと、
前記ネットワークアドレスについての前記要求を前記フェムトセルに通信することと
を行うことによって前記近接アクセス端末を検出するように構成された、Ｃ２５に記載のフェムトプロキシシステム。
［Ｃ３３］
フェムトコンバージェンスシステムを介してマクロネットワークに通信可能に結合されたフェムトセルと、ＯＯＢ通信リンクを介して通信するように構成された帯域外（ＯＯＢ）フェムトプロキシとを備えるフェムトプロキシシステムにおけるマクロセルフェムトセル間ハンドインのためのプロセッサであって、
前記通信管理サブシステムの近傍にあり、マクロセルを介して前記マクロネットワークに通信可能に結合された近接アクセス端末を検出することと、
前記ＯＯＢ通信リンクを介して前記ＯＯＢフェムトプロキシを使用して前記近接アクセス端末の前記ＯＯＢ識別子を検出することと、
前記フェムトセルから前記フェムトコンバージェンスシステムに、前記フェムトセルへの前記近接アクセス端末の近接を示すＯＯＢ存在指示を通信することによって、前記マクロセルから前記フェムトセルへのハンドインのために前記近接アクセス端末を登録することと
を行うように構成された通信管理コントローラ
を備える、プロセッサ。
［Ｃ３４］
複数の許可されたアクセス端末の各々について、前記許可されたアクセス端末に対応するＯＯＢ識別子とセル識別子との間のマッピングを維持するように構成されたデータストアと通信しているマッピングコントローラであって、前記近接アクセス端末が前記許可されたアクセス端末のうちの１つであり、前記マッピングコントローラが、前記マッピングに従って前記近接アクセス端末の前記セル識別子を判断するように構成された、マッピングコントローラをさらに備え、
ＯＯＢ存在指示を通信することが、前記近接アクセス端末の前記セル識別子を前記フェムトコンバージェンスシステムに通信することを備える、Ｃ３３に記載のプロセッサ。
［Ｃ３５］
前記通信管理コントローラが、
前記フェムトセルにおいて、前記フェムトコンバージェンスシステムから前記近接アクセス端末についてのハンドオフ要求を受信するようにさらに構成され、前記ハンドオフ要求が、
前記マクロネットワークとのアクティブ通信を前記マクロセルから前記フェムトセルにハンドオフするように前記近接アクセス端末に指示するように構成され、
前記マクロセルを介して前記近接アクセス端末から受信された測定メッセージに従って前記マクロネットワークによって生成され、
前記近接アクセス端末の前記登録に従って前記フェムトコンバージェンスシステムを介して前記マクロネットワークから前記フェムトセルに通信される、Ｃ３３に記載のプロセッサ。
［Ｃ３６］
前記通信管理コントローラが、
前記近接アクセス端末と前記ＯＯＢフェムトプロキシとの間の前記ＯＯＢ通信リンクの損失を検出することと、
前記ＯＯＢ通信リンクの前記損失を検出したことに従って前記近接アクセス端末を登録解除することと
を行うようにさらに構成された、Ｃ３５に記載のプロセッサ。
［Ｃ３７］
プロセッサ可読媒体上に常駐するコンピュータプログラム製品であって、実行されると、プロセッサに、
フェムトプロキシシステムの近傍にあり、マクロセルを介してマクロネットワークに通信可能に結合されたアクセス端末を検出することであって、前記フェムトプロキシシステムが、フェムトコンバージェンスシステムを介して前記マクロネットワークに通信可能に結合された帯域外（ＯＯＢ）フェムトプロキシとフェムトセルとを備える、検出することと、
ＯＯＢ通信リンクを介して前記アクセス端末に対応するＯＯＢ識別子を検出するように前記ＯＯＢフェムトプロキシに指示することと、
前記フェムトセルから前記フェムトコンバージェンスシステムに、前記フェムトセルへの前記アクセス端末の近接を示すＯＯＢ存在指示を通信することによって、前記マクロセルから前記フェムトセルへのハンドインのために前記アクセス端末を登録するように前記フェムトセルに指示することと
を備えるステップを実行させるプロセッサ可読命令を備えるコンピュータプログラム製品。
［Ｃ３８］
前記プロセッサ可読命令が、実行されると、プロセッサに、
前記プロセッサと通信しているデータストアにおいて、複数の許可されたアクセス端末の各々について、前記許可されたアクセス端末に対応するＯＯＢ識別子とセル識別子との間のマッピングを維持することであって、前記アクセス端末が前記許可されたアクセス端末のうちの１つである、維持することと、
前記マッピングに従って、前記近接アクセス端末の前記セル識別子を判断することと
をさらに備えるステップを実行させ、
ＯＯＢ存在指示を通信することが、前記アクセス端末の前記セル識別子を前記フェムトコンバージェンスシステムに通信することを備える、Ｃ３７に記載のコンピュータプログラム製品。
［Ｃ３９］
前記プロセッサ可読命令が、実行されると、プロセッサに、
前記フェムトセルを介して前記フェムトコンバージェンスシステムから前記アクセス端末についてのハンドオフ要求を受信することをさらに備えるステップを実行させ、前記ハンドオフ要求が、
前記マクロネットワークとのアクティブ通信を前記マクロセルから前記フェムトセルにハンドオフするように前記アクセス端末に指示するように構成され、
前記マクロセルを介して前記アクセス端末から受信された測定メッセージに従って前記マクロネットワークによって生成され、
前記アクセス端末の前記登録に従って前記フェムトコンバージェンスシステムを介して前記マクロネットワークから前記フェムトセルに通信される、Ｃ３７に記載のコンピュータプログラム製品。
［Ｃ４０］
前記プロセッサ可読命令が、実行されると、プロセッサに、
前記アクセス端末と、前記フェムトプロキシシステムの前記ＯＯＢフェムトプロキシとの間の前記ＯＯＢ通信リンクの損失を検出することと、
前記ＯＯＢ通信リンクの前記損失を検出したことに従って前記アクセス端末を登録解除するように前記フェムトセルに指示することと
をさらに備えるステップを実行させる、Ｃ３９に記載のコンピュータプログラム製品。
［Ｃ４１］
フェムトプロキシシステムの近傍にあり、マクロセルを介してマクロネットワークに通信可能に結合されたアクセス端末を検出するための手段であって、前記フェムトプロキシシステムが、フェムトコンバージェンスシステムを介して前記マクロネットワークに通信可能に結合された帯域外（ＯＯＢ）フェムトプロキシとフェムトセルとを備える、検出するための手段と、
ＯＯＢ通信リンクを介して前記アクセス端末に対応するＯＯＢ識別子を検出するように前記ＯＯＢフェムトプロキシに指示するための手段と、
前記フェムトセルから前記フェムトコンバージェンスシステムに、前記フェムトセルへの前記アクセス端末の近接を示すＯＯＢ存在指示を通信することによって、前記マクロセルから前記フェムトセルへのハンドインのために前記アクセス端末を登録するように前記フェムトセルに指示するための手段と
を備えるマクロセルフェムトセル間ハンドインのためのシステム。
［Ｃ４２］
複数の許可されたアクセス端末の各々について、前記許可されたアクセス端末に対応するＯＯＢ識別子とセル識別子との間のマッピングを維持するための手段であって、前記アクセス端末が前記許可されたアクセス端末のうちの１つである、維持するための手段と、
前記マッピングに従って、前記近接アクセス端末の前記セル識別子を判断するための手段と
をさらに備え、
ＯＯＢ存在指示を通信することが、前記アクセス端末の前記セル識別子を前記フェムトコンバージェンスシステムに通信することを備える、Ｃ４１に記載のシステム。
［Ｃ４３］
前記フェムトセルを介して前記フェムトコンバージェンスシステムから前記アクセス端末についてのハンドオフ要求を受信するための手段をさらに備え、前記ハンドオフ要求が、
前記マクロネットワークとのアクティブ通信を前記マクロセルから前記フェムトセルにハンドオフするように前記アクセス端末に指示するように構成され、
前記マクロセルを介して前記アクセス端末から受信された測定メッセージに従って前記マクロネットワークによって生成され、
前記アクセス端末の前記登録に従って前記フェムトコンバージェンスシステムを介して前記マクロネットワークから前記フェムトセルに通信される、Ｃ４１に記載のシステム。
［Ｃ４４］
前記アクセス端末と、前記フェムトプロキシシステムの前記ＯＯＢフェムトプロキシとの間の前記ＯＯＢ通信リンクの損失を検出するための手段と、
前記ＯＯＢ通信リンクの前記損失を検出したことに従って前記アクセス端末を登録解除するように前記フェムトセルに指示するための手段と
をさらに備える、Ｃ４３に記載のシステム。
［Ｃ４５］
フェムトコンバージェンスシステムにおいて、マクロネットワークとのアクティブ通信をマクロセルから指定されたフェムトセルにハンドオフするようにアクセス端末に指示するように構成されたハンドオフ要求をマクロネットワークから受信することであって、前記指定されたフェムトセルが、前記フェムトコンバージェンスシステムを介して前記マクロネットワークと通信している複数のフェムトセルのうちの１つであり、前記複数のフェムトセルの各々が、第１のフェムトセル識別子に従って前記マクロネットワークによってアドレス指定可能であり、第２の識別子に従って前記フェムトコンバージェンスシステムによってアドレス指定可能であり、前記ハンドオフ要求が、前記アクセス端末のセル識別子と、前記指定されたフェムトセルの前記第１のフェムトセル識別子とを備える、受信することと、
前記フェムトコンバージェンスシステムを用いて、前記複数のフェムトセルのいずれかが前記ハンドオフ要求を受信するより前に前記アクセス端末を登録したかどうかを判断することと、
前記複数のフェムトセルのうちの登録フェムトセルが前記ハンドオフ要求を受信するより前に前記アクセス端末を登録したとき、前記指定されたフェムトセルが前記登録フェムトセルであると判断することと、
前記複数のフェムトセルのいずれも前記ハンドオフ要求を受信するより前に前記アクセス端末を登録しなかったとき、
前記ハンドオフ要求の一部として受信された前記第１のフェムトセル識別子に従って、前記複数のフェムトセルから候補フェムトセルのセットを判断することと、
候補フェムトセルの前記セットの各々に、それの近傍にある前記アクセス端末を検出するように指示することと、
前記候補フェムトセルのうちの成功したフェムトセルから、それの近傍に前記アクセス端末があるという指示を受信することと、
前記指定されたフェムトセルが前記成功したフェムトセルであると判断することと、
前記指定されたフェムトセルの第２のフェムトセル識別子に従って、前記フェムトコンバージェンスシステムから前記指定されたフェムトセルに前記ハンドオフ要求を通信することと
を備える、マクロセルフェムトセル間ハンドインのための方法。
［Ｃ４６］
前記複数のフェムトセルのいずれかが前記ハンドオフ要求を受信するより前に前記アクセス端末を登録したかどうかを判断することが、
前記ハンドオフ要求を受信するより前に前記複数のフェムトセルのいずれかからＯＯＢ存在指示が受信されたかどうかを判断することであって、前記ＯＯＢ存在指示が前記アクセス端末の前記セル識別子を備える、判断することを備える、Ｃ４５に記載の方法。
［Ｃ４７］
前記複数のフェムトセルのいずれかが前記ハンドオフ要求を受信するより前に前記アクセス端末を登録したかどうかを判断することが、
前記ハンドオフ要求を受信するより前に前記複数のフェムトセルのいずれかからＯＯＢ存在指示が受信されたかどうかを判断することであって、前記ＯＯＢ存在指示が前記アクセス端末のＯＯＢ識別子を備える、判断することと、
マッピングに従って、前記ＯＯＢ識別子に対応する前記アクセス端末の前記セル識別子を判断することと
を備える、Ｃ４５に記載の方法。
［Ｃ４８］
前記指定されたフェムトセルが、前記第１のフェムトセル識別子のみに従って前記フェムトコンバージェンスシステムによって一意にアドレス指定可能であるかどうかを判断することと、
前記指定されたフェムトセルが、前記第１のフェムトセル識別子のみに従って前記フェムトコンバージェンスシステムによって一意にアドレス指定可能であるとき、前記フェムトコンバージェンスシステムから前記指定されたフェムトセルに前記ハンドオフ要求を通信することと
をさらに備え、
前記複数のフェムトセルのいずれかが前記ハンドオフ要求を受信するより前に前記アクセス端末を登録したかどうかを前記判断することと、前記指定されたフェムトセルの第２のフェムトセル識別子に従って前記フェムトコンバージェンスシステムから前記指定されたフェムトセルに前記ハンドオフ要求を前記通信することとは、前記指定されたフェムトセルが、前記第１のフェムトセル識別子のみに従って前記フェムトコンバージェンスシステムによって一意にアドレス指定可能でないときのみ実行される、Ｃ４５に記載の方法。
［Ｃ４９］
前記複数のフェムトセルのいずれも前記ハンドオフ要求を受信するより前に前記アクセス端末を登録しなかったとき、
候補フェムトセルの前記セットに、それの近傍にある前記アクセス端末を検出するように指示した後の経過時間を監視することと、
前記経過時間があらかじめ定義された制限時間内にある間に、前記候補フェムトセルのうちの１つからの、それの近傍に前記アクセス端末があるという前記指示が受信されたかどうかを判断することと
をさらに備え、
前記フェムトコンバージェンスシステムから前記指定されたフェムトセルに前記ハンドオフ要求を前記通信することは、前記候補フェムトセルのうちの前記１つからの、それの近傍に前記アクセス端末があるという前記指示が前記あらかじめ定義された制限時間内に受信されたときのみ実行される、Ｃ４５に記載の方法。
［Ｃ５０］
マクロネットワークのコアノードに通信可能に結合され、前記マクロネットワークから通信を受信するように構成されたマクロインターフェースサブシステムと、
前記マクロネットワークの一部として構成された複数のフェムトセルに通信可能に結合されたフェムトインターフェースサブシステムであって、各フェムトセルが、第１のフェムトセル識別子に従って前記マクロネットワークによってアドレス指定可能であり、第２の識別子に従って前記フェムトインターフェースサブシステムによってアドレス指定可能である、フェムトインターフェースサブシステムと、
前記マクロインターフェースサブシステムと前記フェムトインターフェースサブシステムとに通信可能に結合された通信管理サブシステムであって、
マクロセルから前記複数のフェムトセルのうちの指定されたフェムトセルにマクロネットワークとのアクティブ通信をハンドオフするようにアクセス端末に指示するように構成されたハンドオフ要求をマクロネットワークから受信することであって、前記ハンドオフ要求が、前記アクセス端末のセル識別子と前記指定されたフェムトセルの前記第１のフェムトセル識別子とを備える、受信することと、
前記複数のフェムトセルのいずれかが前記ハンドオフ要求を受信するより前に前記アクセス端末を登録したかどうかを判断することと、
前記複数のフェムトセルのうちの登録フェムトセルが前記ハンドオフ要求を受信するより前に前記アクセス端末を登録したとき、前記指定されたフェムトセルが前記登録フェムトセルであると判断することと、
前記複数のフェムトセルのいずれも前記ハンドオフ要求を受信するより前に前記アクセス端末を登録しなかったとき、
前記ハンドオフ要求の一部として受信された前記第１のフェムトセル識別子に従って、前記複数のフェムトセルから候補フェムトセルのセットを判断することと、
候補フェムトセルの前記セットの各々に、それの近傍にある前記アクセス端末を検出するように指示することと、
前記候補フェムトセルのうちの成功したフェムトセルから、それの近傍に前記アクセス端末があるという指示を受信することと、
前記指定されたフェムトセルが前記成功したフェムトセルであると判断することと、
前記指定されたフェムトセルの第２のフェムトセル識別子に従って、前記フェムトコンバージェンスシステムから前記指定されたフェムトセルに前記ハンドオフ要求を通信することと
を行うように構成された通信管理サブシステムと
を備えるフェムトコンバージェンスシステム。
［Ｃ５１］
前記通信管理サブシステムは、
前記指定されたフェムトセルが、前記第１のフェムトセル識別子のみに従って前記フェムトコンバージェンスシステムによって一意にアドレス指定可能であるかどうかを判断することと、
前記指定されたフェムトセルが、前記第１のフェムトセル識別子のみに従って前記フェムトコンバージェンスシステムによって一意にアドレス指定可能であるとき、前記フェムトコンバージェンスシステムから前記指定されたフェムトセルに前記ハンドオフ要求を通信することと
を行うようにさらに構成され、
前記通信管理サブシステムは、前記指定されたフェムトセルが、前記第１のフェムトセル識別子のみに従って前記フェムトコンバージェンスシステムによって一意にアドレス指定可能でないときのみ、前記複数のフェムトセルのいずれかが前記ハンドオフ要求を受信するより前に前記アクセス端末を登録したかどうかを判断することと、前記指定されたフェムトセルの第２のフェムトセル識別子に従って前記フェムトコンバージェンスシステムから前記指定されたフェムトセルに前記ハンドオフ要求を通信することと
を行うように構成された、Ｃ５０に記載のフェムトコンバージェンスシステム。
［Ｃ５２］
前記通信管理サブシステムは、前記複数のフェムトセルのいずれも前記ハンドオフ要求を受信するより前に前記アクセス端末を登録しなかったとき、
候補フェムトセルの前記セットに、それの近傍にある前記アクセス端末を検出するように指示した後の経過時間を監視することと、
前記候補フェムトセルのうちの１つからの、それの近傍に前記アクセス端末があるという前記指示が、前記経過時間に従ってあらかじめ定義された制限時間内に受信されたかどうかを判断することと
を行うようにさらに構成され、
前記通信管理サブシステムは、前記候補フェムトセルのうちの前記１つからの、それの近傍に前記アクセス端末があるという前記指示があらかじめ定義された制限時間内に受信されたときのみ、前記フェムトコンバージェンスシステムから前記指定されたフェムトセルに前記ハンドオフ要求を通信するように構成された、Ｃ５０に記載のフェムトコンバージェンスシステム。
［Ｃ５３］
フェムトコンバージェンスシステムにおけるマクロセルフェムトセル間ハンドインのためのプロセッサであって、前記フェムトコンバージェンスシステムが、マクロネットワークのコアノードに通信可能に結合され、前記マクロネットワークから通信を受信するように構成されたマクロインターフェースサブシステムを備え、前記フェムトコンバージェンスシステムが、前記マクロネットワークの一部として構成された複数のフェムトセルに通信可能に結合されたフェムトインターフェースサブシステムを備え、各フェムトセルが、第１のフェムトセル識別子に従って前記マクロネットワークによってアドレス指定可能であり、第２の識別子に従って前記フェムトインターフェースサブシステムによってアドレス指定可能であり、前記プロセッサは、
マクロセルから前記複数のフェムトセルのうちの指定されたフェムトセルにマクロネットワークとのアクティブ通信をハンドオフするようにアクセス端末に指示するように構成されたハンドオフ要求をマクロネットワークから受信することであって、前記ハンドオフ要求が、前記アクセス端末のセル識別子と前記指定されたフェムトセルの前記第１のフェムトセル識別子とを備える、受信することと、
前記複数のフェムトセルのいずれかが前記ハンドオフ要求を受信するより前に前記アクセス端末を登録したかどうかを判断することと、
前記複数のフェムトセルのうちの登録フェムトセルが前記ハンドオフ要求を受信するより前に前記アクセス端末を登録したとき、前記指定されたフェムトセルが前記登録フェムトセルであると判断することと、
前記複数のフェムトセルのいずれも前記ハンドオフ要求を受信するより前に前記アクセス端末を登録しなかったとき、
前記ハンドオフ要求の一部として受信された前記第１のフェムトセル識別子に従って、前記複数のフェムトセルから候補フェムトセルのセットを判断することと、
候補フェムトセルの前記セットの各々に、それの近傍にある前記アクセス端末を検出するように指示することと、
前記候補フェムトセルのうちの成功したフェムトセルから、それの近傍に前記アクセス端末があるという指示を受信することと、
前記指定されたフェムトセルが前記成功したフェムトセルであると判断することと、
前記指定されたフェムトセルの第２のフェムトセル識別子に従って、前記フェムトコンバージェンスシステムから前記成功したフェムトセルへの前記ハンドオフ要求の通信を指示することと
を行うように構成された通信管理コントローラを備える、プロセッサ。
［Ｃ５４］
前記通信管理コントローラは、
前記指定されたフェムトセルが、前記第１のフェムトセル識別子のみに従って前記フェムトコンバージェンスシステムによって一意にアドレス指定可能であるかどうかを判断することと、
前記指定されたフェムトセルが、前記第１のフェムトセル識別子のみに従って前記フェムトコンバージェンスシステムによって一意にアドレス指定可能であるとき、前記フェムトコンバージェンスシステムから前記指定されたフェムトセルへの前記ハンドオフ要求の通信を指示することと
を行うようにさらに構成され、
前記通信管理コントローラは、前記指定されたフェムトセルが、前記第１のフェムトセル識別子のみに従って前記フェムトコンバージェンスシステムによって一意にアドレス指定可能でないときのみ、前記複数のフェムトセルのいずれかが前記ハンドオフ要求を受信するより前に前記アクセス端末を登録したかどうかを判断することと、前記指定されたフェムトセルの第２のフェムトセル識別子に従って前記フェムトコンバージェンスシステムから前記成功したフェムトセルへの前記ハンドオフ要求の通信を指示することとを行うように構成された、Ｃ５３に記載のプロセッサ。
［Ｃ５５］
前記通信管理コントローラは、前記複数のフェムトセルのいずれも前記ハンドオフ要求を受信するより前に前記アクセス端末を登録しなかったとき、
候補フェムトセルの前記セットに、それの近傍にある前記アクセス端末を検出するように指示した後の経過時間を監視することと、
前記候補フェムトセルのうちの１つからの、それの近傍に前記アクセス端末があるという前記指示が、前記経過時間に従ってあらかじめ定義された制限時間内に受信されたかどうかを判断することと
を行うようにさらに構成され、
前記通信管理コントローラは、前記候補フェムトセルのうちの前記１つからの、それの近傍に前記アクセス端末があるという前記指示があらかじめ定義された制限時間内に受信されたときのみ、前記フェムトコンバージェンスシステムから前記指定されたフェムトセルに前記ハンドオフ要求を通信するように構成された、Ｃ５３に記載のプロセッサ。
［Ｃ５６］
フェムトコンバージェンスシステムに配設されたプロセッサ可読媒体上に常駐するコンピュータプログラム製品であって、実行されると、プロセッサに、
マクロネットワークとのアクティブ通信をマクロセルから指定されたフェムトセルにハンドオフするようにアクセス端末に指示するように構成されたハンドオフ要求マクロネットワークからを受信することであって、前記指定されたフェムトセルが、前記フェムトコンバージェンスシステムを介して前記マクロネットワークと通信している複数のフェムトセルのうちの１つであり、前記複数のフェムトセルの各々が、第１のフェムトセル識別子に従って前記マクロネットワークによってアドレス指定可能であり、第２の識別子に従って前記フェムトコンバージェンスシステムによってアドレス指定可能であり、前記ハンドオフ要求が、前記アクセス端末のセル識別子と、前記指定されたフェムトセルの前記第１のフェムトセル識別子とを備える、受信することと、
前記複数のフェムトセルのいずれかが前記ハンドオフ要求を受信するより前に前記アクセス端末を登録したかどうかを判断することと、
前記複数のフェムトセルのうちの登録フェムトセルが前記ハンドオフ要求を受信するより前に前記アクセス端末を登録したとき、前記指定されたフェムトセルが前記登録フェムトセルであると判断することと、
前記複数のフェムトセルのいずれも前記ハンドオフ要求を受信するより前に前記アクセス端末を登録しなかったとき、
前記ハンドオフ要求の一部として受信された前記第１のフェムトセル識別子に従って、前記複数のフェムトセルから候補フェムトセルのセットを判断することと、
候補フェムトセルの前記セットの各々に、それの近傍にある前記アクセス端末を検出するように指示することと、
前記候補フェムトセルのうちの成功したフェムトセルから、それの近傍に前記アクセス端末があるという指示を受信することと、
前記指定されたフェムトセルが前記成功したフェムトセルであると判断することと、
前記指定されたフェムトセルの第２のフェムトセル識別子に従って、前記フェムトコンバージェンスシステムから前記指定されたフェムトセルへの前記ハンドオフ要求の通信を指示することと
を備えるステップを実行させるプロセッサ可読命令を備えるコンピュータプログラム製品。
［Ｃ５７］
前記プロセッサ可読命令が、実行されると、プロセッサに、
前記指定されたフェムトセルが、前記第１のフェムトセル識別子のみに従って前記フェムトコンバージェンスシステムによって一意にアドレス指定可能であるかどうかを判断することと、
前記指定されたフェムトセルが、前記第１のフェムトセル識別子のみに従って前記フェムトコンバージェンスシステムによって一意にアドレス指定可能であるとき、前記フェムトコンバージェンスシステムから前記指定されたフェムトセルへの前記ハンドオフ要求の通信を指示することと
をさらに備えるステップを実行させ、
前記複数のフェムトセルのいずれかが前記ハンドオフ要求を受信するより前に前記アクセス端末を登録したかどうかを前記判断することと、前記指定されたフェムトセルの第２のフェムトセル識別子に従って前記フェムトコンバージェンスシステムから前記指定されたフェムトセルへの前記ハンドオフ要求の通信を前記指示することとは、前記指定されたフェムトセルが、前記第１のフェムトセル識別子のみに従って前記フェムトコンバージェンスシステムによって一意にアドレス指定可能でないときのみ実行される、Ｃ５６に記載のコンピュータプログラム製品。
［Ｃ５８］
前記プロセッサ可読命令が、実行されると、プロセッサに、前記複数のフェムトセルのいずれも前記ハンドオフ要求を受信するより前に前記アクセス端末を登録しなかったとき、
候補フェムトセルの前記セットに、それの近傍にある前記アクセス端末を検出するように指示した後の経過時間を監視することと、
前記候補フェムトセルのうちの１つからの、それの近傍に前記アクセス端末があるという前記指示が、前記経過時間に従ってあらかじめ定義された制限時間内に受信されたかどうかを判断することと
をさらに備えるステップを実行させ、
前記フェムトコンバージェンスシステムから前記指定されたフェムトセルへの前記ハンドオフ要求の前記通信を指示することは、前記候補フェムトセルのうちの前記１つからの、それの近傍に前記アクセス端末があるという前記指示があらかじめ定義された制限時間内に受信されたときのみ実行される、Ｃ５６に記載のコンピュータプログラム製品。
［Ｃ５９］
フェムトコンバージェンスシステムにおいて、マクロネットワークとのアクティブ通信をマクロセルから指定されたフェムトセルにハンドオフするようにアクセス端末に指示するように構成されたハンドオフ要求をマクロネットワークから受信するための手段であって、前記指定されたフェムトセルが、前記フェムトコンバージェンスシステムを介して前記マクロネットワークと通信している複数のフェムトセルのうちの１つであり、前記複数のフェムトセルの各々が、第１のフェムトセル識別子に従って前記マクロネットワークによってアドレス指定可能であり、第２の識別子に従って前記フェムトコンバージェンスシステムによってアドレス指定可能であり、前記ハンドオフ要求が、前記アクセス端末のセル識別子と、前記指定されたフェムトセルの前記第１のフェムトセル識別子とを備える、受信するための手段と、
前記フェムトコンバージェンスシステムを用いて、前記複数のフェムトセルのいずれかが前記ハンドオフ要求を受信するより前に前記アクセス端末を登録したかどうかを判断するための手段と、
前記複数のフェムトセルのうちの登録フェムトセルが前記ハンドオフ要求を受信するより前に前記アクセス端末を登録したとき、前記指定されたフェムトセルが前記登録フェムトセルであると判断するための手段と、
前記複数のフェムトセルのいずれも前記ハンドオフ要求を受信するより前に前記アクセス端末を登録しなかったとき、
前記ハンドオフ要求の一部として受信された前記第１のフェムトセル識別子に従って、前記複数のフェムトセルから候補フェムトセルのセットを判断するための手段と、
候補フェムトセルの前記セットの各々に、それの近傍にある前記アクセス端末を検出するように指示するための手段と、
前記候補フェムトセルのうちの成功したフェムトセルから、それの近傍に前記アクセス端末があるという指示を受信するための手段と、
前記指定されたフェムトセルが前記成功したフェムトセルであると判断するための手段と、
前記指定されたフェムトセルの第２のフェムトセル識別子に従って、前記フェムトコンバージェンスシステムから前記指定されたフェムトセルに前記ハンドオフ要求を通信するための手段と
を備えるマクロセルフェムトセル間ハンドインのためのシステム。
［Ｃ６０］
前記指定されたフェムトセルが、前記第１のフェムトセル識別子のみに従って前記フェムトコンバージェンスシステムによって一意にアドレス指定可能であるかどうかを判断するための手段と、
前記指定されたフェムトセルが、前記第１のフェムトセル識別子のみに従って前記フェムトコンバージェンスシステムによって一意にアドレス指定可能であるとき、前記フェムトコンバージェンスシステムから前記指定されたフェムトセルに前記ハンドオフ要求を通信するための手段と
をさらに備え、
前記複数のフェムトセルのいずれかが前記ハンドオフ要求を受信するより前に前記アクセス端末を登録したかどうかを判断するための前記手段と、前記指定されたフェムトセルの第２のフェムトセル識別子に従って前記フェムトコンバージェンスシステムから前記指定されたフェムトセルに前記ハンドオフ要求を通信するための前記手段とは、前記指定されたフェムトセルが、前記第１のフェムトセル識別子のみに従って前記フェムトコンバージェンスシステムによって一意にアドレス指定可能でないときのみ、それらのそれぞれの機能を実行するように構成された、Ｃ５９に記載のシステム。
［Ｃ６１］
前記複数のフェムトセルのいずれも前記ハンドオフ要求を受信するより前に前記アクセス端末を登録しなかったとき、
候補フェムトセルの前記セットに、それの近傍にある前記アクセス端末を検出するように指示した後の経過時間を監視するための手段と、
前記候補フェムトセルのうちの１つからの、それの近傍に前記アクセス端末があるという前記指示が、前記経過時間に従ってあらかじめ定義された制限時間内に受信されたかどうかを判断するための手段と
をさらに備え、
前記フェムトコンバージェンスシステムから前記指定されたフェムトセルに前記ハンドオフ要求を前記通信することは、前記候補フェムトセルのうちの前記１つからの、それの近傍に前記アクセス端末があるという前記指示があらかじめ定義された制限時間内に受信されたときのみ実行される、Ｃ５９に記載のシステム。
［Ｃ６２］
フェムトコンバージェンスシステムにおいて、登録フェムトセルによって前記登録フェムトセルの近傍にあることが検出されたアクセス端末を登録するためのＯＯＢ存在指示を前記登録フェムトセルから受信することであって、前記登録フェムトセルが、前記フェムトコンバージェンスシステムを介して前記マクロネットワークと通信している複数のフェムトセルのうちの１つであり、前記複数のフェムトセルの各々が、第１のフェムトセル識別子に従って前記マクロネットワークによってアドレス指定可能であり、第２の識別子に従って前記フェムトコンバージェンスシステムによってアドレス指定可能である、受信することと、
前記フェムトコンバージェンスシステムにおいて、マクロセルから前記複数のフェムトセルのうちの指定されたフェムトセルへの前記アクセス端末のハンドオフを指示するハンドオフ要求が受信されたかどうかを判断することと、
前記フェムトコンバージェンスシステムにおいて前記ＯＯＢ存在指示を受信した後に前記ハンドオフ要求が受信されたとき、前記指定されたフェムトセルが前記登録フェムトセルであると判断することと、前記登録フェムトセルの第２のフェムトセル識別子に従って前記フェムトコンバージェンスシステムから前記登録フェムトセルに前記ハンドオフ要求を通信することと、
前記ＯＯＢ存在指示を受信した後、および前記アクセス端末を示唆するハンドオフ要求を受信するより前に登録解除状態が生じたとき、前記フェムトコンバージェンスシステムにおいて前記アクセス端末を登録解除することと
を備える、マクロセルフェムトセル間ハンドインのための方法。
［Ｃ６３］
前記フェムトコンバージェンスシステムにおいて、前記マクロセルから前記複数のフェムトセルのうちの前記指定されたフェムトセルへの前記アクセス端末のハンドオフを指示する前記ハンドオフ要求が受信されたかどうかを判断することは、
前記ＯＯＢ存在指示の一部として受信されたセル識別子が、前記ハンドオフ要求によって示された前記アクセス端末の前記セル識別子に対応するかどうかを判断することを備える、Ｃ６２に記載の方法。
［Ｃ６４］
前記フェムトコンバージェンスシステムにおいて、前記マクロセルから前記複数のフェムトセルのうちの前記指定されたフェムトセルへの前記アクセス端末のハンドオフを指示する前記ハンドオフ要求が受信されたかどうかを判断することは、
前記フェムトコンバージェンスシステムによって維持されるマッピングに従って、前記ＯＯＢ存在指示の一部として受信されたＯＯＢ識別子が、前記ハンドオフ要求によって示された前記アクセス端末の前記セル識別子に対応するかどうかを判断することを備える、Ｃ６２に記載の方法。
［Ｃ６５］
前記ＯＯＢ存在指示を受信した後、および前記アクセス端末を示唆するハンドオフ要求を受信するより前に、前記アクセス端末と、前記登録フェムトセルを備えるフェムトプロキシシステムのＯＯＢフェムトプロキシとの間のＯＯＢ通信リンクが失われたとき、前記登録解除状態が生じる、Ｃ６２に記載の方法。
［Ｃ６６］
前記フェムトコンバージェンスシステムにおいて、前記ＯＯＢ存在指示を受信するより前に前記ハンドオフ要求が受信されたとき、
前記ハンドオフ要求の一部として受信された第１のフェムトセル識別子に従って、前記複数のフェムトセルから候補フェムトセルのセットを判断することと、
候補フェムトセルの前記セットの各々に、それの近傍にある前記アクセス端末を検出するように指示することと、
前記指示することに応答して前記登録フェムトセルから前記ＯＯＢ存在指示を受信することと、
前記ＯＯＢ存在指示を受信した後に、前記登録フェムトセルの第２のフェムトセル識別子に従って、前記フェムトコンバージェンスシステムから前記登録フェムトセルに前記ハンドオフ要求を通信することと
をさらに備える、Ｃ６２に記載の方法。
［Ｃ６７］
マクロネットワークのコアノードに通信可能に結合され、前記マクロネットワークから通信を受信するように構成されたマクロインターフェースサブシステムと、
前記マクロネットワークの一部として構成された複数のフェムトセルに通信可能に結合されたフェムトインターフェースサブシステムであって、各フェムトセルが、第１のフェムトセル識別子に従って前記マクロネットワークによってアドレス指定可能であり、第２の識別子に従って前記フェムトインターフェースサブシステムによってアドレス指定可能である、フェムトインターフェースサブシステムと、
前記マクロインターフェースサブシステムと前記フェムトインターフェースサブシステムとに通信可能に結合された通信管理サブシステムであって、
前記フェムトインターフェースサブシステムを介して前記複数のフェムトセルのうちの登録フェムトセルから、前記登録フェムトセルによって前記登録フェムトセルの近傍にあることが検出されたアクセス端末のセル識別子を登録するためのＯＯＢ存在指示を受信することと、
前記フェムトインターフェースサブシステムを介して前記登録フェムトセルから前記ＯＯＢ存在指示を受信した後に、前記マクロインターフェースサブシステムを介して、マクロセルから前記複数のフェムトセルのうちの指定されたフェムトセルへの前記アクセス端末のハンドオフを指示するハンドオフ要求が前記コアノードから受信されたとき、前記指定されたフェムトセルが前記登録フェムトセルであると判断することと、前記指定されたフェムトセルの第２のフェムトセル識別子に従って前記フェムトインターフェースサブシステムを介して前記登録フェムトセルに前記ハンドオフ要求を通信することと、
前記ＯＯＢ存在指示を受信した後、および前記アクセス端末を示唆するハンドオフ要求を受信するより前に登録解除状態が生じたとき、前記アクセス端末を登録解除することと
を行うように構成された通信管理サブシステムと
を備えるフェムトコンバージェンスシステム。
［Ｃ６８］
前記ＯＯＢ存在指示を受信した後、および前記アクセス端末を示唆するハンドオフ要求を受信するより前に、前記アクセス端末と、前記登録フェムトセルを備えるフェムトプロキシシステムのＯＯＢフェムトプロキシとの間のＯＯＢ通信リンクが失われたとき、前記登録解除状態が生じる、Ｃ６７に記載のフェムトプロキシシステム。
［Ｃ６９］
前記通信管理サブシステムが、
前記ＯＯＢ存在指示を受信するより前に前記ハンドオフ要求が受信されたとき、
前記ハンドオフ要求の一部として受信された第１のフェムトセル識別子に従って、前記複数のフェムトセルから候補フェムトセルのセットを判断することと、
候補フェムトセルの前記セットの各々に、それの近傍にある前記アクセス端末を検出するように指示することと、
前記指示することに応答して前記登録フェムトセルから前記ＯＯＢ存在指示を受信することと、
前記ＯＯＢ存在指示を受信した後に、前記登録フェムトセルの第２のフェムトセル識別子に従って前記登録フェムトセルに前記ハンドオフ要求を通信することと
を行うようにさらに構成された、Ｃ６７に記載のフェムトプロキシシステム。
［Ｃ７０］
フェムトコンバージェンスシステムにおけるマクロセルフェムトセル間ハンドインのためのプロセッサであって、前記フェムトコンバージェンスシステムが、マクロネットワークのコアノードに通信可能に結合され、前記マクロネットワークから通信を受信するように構成されたマクロインターフェースサブシステムを備え、前記フェムトコンバージェンスシステムが、前記マクロネットワークの一部として構成された複数のフェムトセルに通信可能に結合されたフェムトインターフェースサブシステムを備え、各フェムトセルが、第１のフェムトセル識別子に従って前記マクロネットワークによってアドレス指定可能であり、第２の識別子に従って前記フェムトインターフェースサブシステムによってアドレス指定可能であり、前記プロセッサは、
前記フェムトインターフェースサブシステムを介して前記複数のフェムトセルのうちの登録フェムトセルから、前記登録フェムトセルによって前記登録フェムトセルの近傍にあることが検出されたアクセス端末のセル識別子を登録するためのＯＯＢ存在指示を受信することと、
前記フェムトインターフェースサブシステムを介して前記登録フェムトセルから前記ＯＯＢ存在指示を受信した後に、前記マクロインターフェースサブシステムを介して、マクロセルから前記複数のフェムトセルのうちの指定されたフェムトセルへの前記アクセス端末のハンドオフを指示するハンドオフ要求が前記コアノードから受信されたとき、前記指定されたフェムトセルが前記登録フェムトセルであると判断することと、前記指定されたフェムトセルの第２のフェムトセル識別子に従って前記フェムトインターフェースサブシステムを介して前記登録フェムトセルに前記ハンドオフ要求を通信することと、
前記ＯＯＢ存在指示を受信した後、および前記アクセス端末を示唆するハンドオフ要求を受信するより前に登録解除状態が生じたとき、前記アクセス端末を登録解除することと
を行うように構成された通信管理コントローラ
を備える、プロセッサ。
［Ｃ７１］
前記ＯＯＢ存在指示を受信した後、および前記アクセス端末を示唆するハンドオフ要求を受信するより前に、前記アクセス端末と、前記登録フェムトセルを備えるフェムトプロキシシステムのＯＯＢフェムトプロキシとの間のＯＯＢ通信リンクが失われたとき、前記登録解除状態が生じる、Ｃ７０に記載のプロセッサ。
［Ｃ７２］
フェムトコンバージェンスシステムに配設されたプロセッサ可読媒体上に常駐するコンピュータプログラム製品であって、実行されると、プロセッサに、
前記登録フェムトセルによって前記登録フェムトセルの近傍にあることが検出されたアクセス端末のセル識別子を登録するためのＯＯＢ存在指示を登録フェムトセルから受信することであって、前記登録フェムトセルが、前記フェムトコンバージェンスシステムを介して前記マクロネットワークと通信している複数のフェムトセルのうちの１つであり、前記複数のフェムトセルの各々が、第１のフェムトセル識別子に従って前記マクロネットワークによってアドレス指定可能であり、第２の識別子に従って前記フェムトコンバージェンスシステムによってアドレス指定可能である、受信することと、
前記ＯＯＢ存在指示を受信した後に、前記フェムトコンバージェンスシステムにおいて、マクロセルから前記複数のフェムトセルのうちの指定されたフェムトセルへの前記アクセス端末のハンドオフを指示するハンドオフ要求が受信されたとき、前記指定されたフェムトセルが前記登録フェムトセルであると判断することと、前記指定されたフェムトセルの第２のフェムトセル識別子に従って、前記フェムトコンバージェンスシステムから前記登録フェムトセルに前記ハンドオフ要求を通信することと、
前記ＯＯＢ存在指示を受信した後、および前記アクセス端末を示唆するハンドオフ要求を受信するより前に登録解除状態が生じたとき、前記フェムトコンバージェンスシステムにおいて前記アクセス端末を登録解除することと
を備えるステップを実行させる、コンピュータプログラム製品。
［Ｃ７３］
前記ＯＯＢ存在指示を受信した後、および前記アクセス端末を示唆するハンドオフ要求を受信するより前に、前記アクセス端末と、前記登録フェムトセルを備えるフェムトプロキシシステムのＯＯＢフェムトプロキシとの間のＯＯＢ通信リンクが失われたとき、前記登録解除状態が生じる、Ｃ７２に記載のコンピュータプログラム製品。
［Ｃ７４］
フェムトコンバージェンスシステムにおいて、登録フェムトセルによって前記登録フェムトセルの近傍にあることが検出されたアクセス端末のセル識別子を登録するためのＯＯＢ存在指示を前記登録フェムトセルから受信するための手段であって、前記登録フェムトセルが、前記フェムトコンバージェンスシステムを介して前記マクロネットワークと通信している複数のフェムトセルのうちの１つであり、前記複数のフェムトセルの各々が、第１のフェムトセル識別子に従って前記マクロネットワークによってアドレス指定可能であり、第２の識別子に従って前記フェムトコンバージェンスシステムによってアドレス指定可能である、受信するための手段と、
前記ＯＯＢ存在指示を受信した後に、前記フェムトコンバージェンスシステムにおいて、マクロセルから前記複数のフェムトセルのうちの指定されたフェムトセルへの前記アクセス端末のハンドオフを指示するハンドオフ要求が受信されたとき、
前記指定されたフェムトセルが前記登録フェムトセルであると判断するための手段と、
前記指定されたフェムトセルの第２のフェムトセル識別子に従って、前記フェムトコンバージェンスシステムから前記登録フェムトセルに前記ハンドオフ要求を通信するための手段と、
前記ＯＯＢ存在指示を受信した後、および前記アクセス端末を示唆するハンドオフ要求を受信するより前に登録解除状態が生じたとき、前記フェムトコンバージェンスシステムにおいて前記アクセス端末を登録解除するための手段と
を備えるマクロセルフェムトセル間ハンドインのためのシステム。
［Ｃ７５］
前記ＯＯＢ存在指示を受信した後、および前記アクセス端末を示唆するハンドオフ要求を受信するより前に、前記アクセス端末と、前記登録フェムトセルを備えるフェムトプロキシシステムのＯＯＢフェムトプロキシとの間のＯＯＢ通信リンクが失われたとき、前記登録解除状態が生じる、Ｃ７４に記載のシステム。
【図１】
0005973018.tif 000002
【図２Ａ】
0005973018.tif 000003
【図２Ｂ】
0005973018.tif 000004
【図３】
0005973018.tif 000005
【図４Ａ】
0005973018.tif 000006
【図４Ｂ】
0005973018.tif 000007
【図５】
0005973018.tif 000008
【図６Ａ】
0005973018.tif 000009
【図６Ｂ】
0005973018.tif 000010
【図７Ａ】
0005973018.tif 000011
【図７Ｂ】
0005973018.tif 000012
【図８Ａ】
0005973018.tif 000013
【図８Ｂ】
0005973018.tif 000014
【図８Ｃ】
0005973018.tif 000015
【図９】
0005973018.tif 000016
【図１０】
0005973018.tif 000017
【図１１】
0005973018.tif 000018
【図１２】
0005973018.tif 000019
【図１３】
0005973018.tif 000020
【図１４】
0005973018.tif 000021
【図１５】
0005973018.tif 000022
【図１６】
0005973018.tif 000023
【図１７】
0005973018.tif 000024